(57)【要約】  本発明の実施形態は、ワイヤレス通信方法、装置、及びシステムを提供する。本方法は、ＵＥによって、サブフレーム番号がｉ−ＫＵＬである固定ダウンリンクサブフレームにおいて、基地局によって送信される少なくとも１つのＴＰＣコマンドを受信するステップであって、少なくとも１つのＴＰＣコマンドが、フォーマットがＤＣＩ  ｆｏｒｍａｔ  ３／３ＡであるＰＤＣＣＨ上で伝達され、少なくとも１つのＴＰＣコマンドが、サブフレーム番号がｉであるアップリンクサブフレームにおいて送信されるアップリンク信号のＴＰＣコマンドを含む、受信するステップと、ＵＥによって、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するステップであって、サブフレーム番号がｉであるサブフレームが、サブフレーム番号がｉ−ＫＵＬである固定ダウンリンクサブフレームの後に存在する（ＫＵＬ）番目のサブフレームである、判定するステップとを含む。本発明の実施形態によって提供されるワイヤレス通信方法、装置、及びシステムによれば、動的なＴＤＤアップリンク−ダウンリンクサブフレーム構成が適用されるシナリオにおいて、基地局がアップリンク信号を受信できないという問題が解決される。
2016525293.tif 000002
【特許請求の範囲】
【請求項１】
ワイヤレス通信方法であって、
サブフレーム番号がｉ−ＫＵＬである固定ダウンリンクサブフレームにおいて、基地局によって送信される少なくとも１つの送信電力制御ＴＰＣコマンドを受信するステップであって、前記少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、前記少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用される、受信するステップと、
サブフレーム番号がｉである前記アップリンクサブフレームにおいて送信される前記アップリンク信号の前記ＴＰＣコマンドに従って、サブフレーム番号がｉである前記アップリンクサブフレームにおいて送信される前記アップリンク信号の送信電力を判定するステップであって、サブフレーム番号がｉである前記アップリンクサブフレームが、サブフレーム番号がｉ−ＫＵＬである前記固定ダウンリンクサブフレームの後に存在する（ＫＵＬ）番目のサブフレームであり、ＫＵＬの値が、時分割複信ＴＤＤシステムのアップリンク−ダウンリンクサブフレーム構成から独立している、判定するステップと、
前記送信電力に従って、サブフレーム番号がｉである前記サブフレームにおいて前記アップリンク信号を送信するステップと、
を含む、ワイヤレス通信方法。
【請求項２】
サブフレーム番号がｉ−ＫＵＬである固定ダウンリンクサブフレームにおいて、基地局によって送信される少なくとも１つの送信電力制御ＴＰＣコマンドを受信する前記ステップの前に、前記方法が、
前記基地局によって送信される第１のＴＰＣ無線ネットワーク一時識別子ＴＰＣ−ＲＮＴＩ、第２のＴＰＣ−ＲＮＴＩ、及び第１の標識情報を受信するステップであって、前記第１の標識情報は、前記第１のＴＰＣ−ＲＮＴＩによってスクランブルされ、フォーマットが前記ＤＣＩ  ｆｏｒｍａｔ  ３／３Ａである第１のＰＤＣＣＨが、第１のＴＰＣコマンドを伝達するために使用されること、及び、前記第２のＴＰＣ−ＲＮＴＩによってスクランブルされ、フォーマットが前記ＤＣＩ  ｆｏｒｍａｔ  ３／３Ａである第２のＰＤＣＣＨが、第２のＴＰＣコマンドを伝達するために使用されることを示すために使用される、受信するステップ
をさらに含み、
サブフレーム番号がｉ−ＫＵＬである固定ダウンリンクサブフレームにおいて、基地局によって送信される少なくとも１つの送信電力制御ＴＰＣコマンドを受信する前記ステップが、
サブフレーム番号がｉ−ＫＵＬである前記固定ダウンリンクサブフレームにおいて、前記基地局によって送信される前記第１のＰＤＣＣＨ及び／又は前記第２のＰＤＣＣＨを受信し、前記第１のＰＤＣＣＨから前記第１のＴＰＣコマンドを取得し、及び／又は前記第２のＰＤＣＣＨから前記第２のＴＰＣコマンドを取得するステップ
を含む、請求項１に記載の方法。
【請求項３】
サブフレーム番号がｉ−ＫＵＬである固定ダウンリンクサブフレームにおいて、基地局によって送信される少なくとも１つの送信電力制御ＴＰＣコマンドを受信する前記ステップの前に、前記方法が、
前記基地局によって送信される第１のＴＰＣインデックス、第２のＴＰＣインデックス、及び第２の標識情報を受信するステップであって、前記第２の標識情報は、前記第１のＴＰＣインデックスが、フォーマットが前記ＤＣＩ  ｆｏｒｍａｔ  ３／３Ａである第３のＰＤＣＣＨ上の第１のＴＰＣコマンドのロケーションを示すために使用されること、及び、前記第２のＴＰＣインデックスが、フォーマットが前記ＤＣＩ  ｆｏｒｍａｔ  ３／３Ａである前記第３のＰＤＣＣＨ上の第２のＴＰＣコマンドのロケーションを示すために使用されることを示すために使用される、受信するステップ
をさらに含み、
サブフレーム番号がｉ−ＫＵＬである固定ダウンリンクサブフレームにおいて、基地局によって送信される少なくとも１つの送信電力制御ＴＰＣコマンドを受信する前記ステップが、
サブフレーム番号がｉ−ＫＵＬである前記固定ダウンリンクサブフレームにおいて、前記基地局によって送信される前記第３のＰＤＣＣＨを受信し、前記第１のＴＰＣインデックスによって示される前記ロケーションから前記第１のＴＰＣコマンドを取得し、及び／又は前記第２のＴＰＣインデックスによって示される前記ロケーションから前記第２のＴＰＣコマンドを取得するステップ
を含む、請求項１に記載の方法。
【請求項４】
前記アップリンク信号が、物理アップリンク共有チャネルＰＵＳＣＨ、物理アップリンク制御チャネルＰＵＣＣＨ、又はサウンディングリファレンス信号ＳＲＳである場合、ＫＵＬの値が、下記のケース：
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４であるケースを含む、請求項１から３のいずれか一項に記載の方法。
【請求項５】
前記アップリンク信号が、前記ＰＵＳＣＨ、前記ＰＵＣＣＨ、又は前記ＳＲＳである場合、ＫＵＬの値が、下記のケース：
ｉが２又は７である場合、ＫＵＬ＝６であり、ｉが３又は８である場合、ＫＵＬ＝７であり、ｉが４又は９である場合、ＫＵＬ＝４であるケースを含む、請求項１から３のいずれか一項に記載の方法。
【請求項６】
前記アップリンク信号が前記ＳＲＳである場合において、前記ＰＵＳＣＨが、サブフレーム番号がｉである前記サブフレームにおいて送信されるとき、サブフレーム番号がｉである前記アップリンクサブフレームにおいて送信される前記アップリンク信号の前記ＴＰＣコマンドに従って、サブフレーム番号がｉである前記アップリンクサブフレームにおいて送信される前記アップリンク信号の送信電力を判定する前記ステップが、
各ＴＰＣコマンドに従って、サブフレーム番号がｉである前記サブフレームにおける前記ＰＵＳＣＨの送信電力を判定するステップと、
サブフレーム番号がｉである前記サブフレームにおける前記ＰＵＳＣＨの前記送信電力に従って、サブフレーム番号がｉである前記サブフレームにおける前記ＳＲＳの送信電力を判定するステップと、
を含み、又は、
ＰＵＳＣＨが、サブフレーム番号がｉである前記サブフレームにおいて送信されない場合、サブフレーム番号がｉである前記アップリンクサブフレームにおいて送信される前記アップリンク信号の前記ＴＰＣコマンドに従って、サブフレーム番号がｉである前記アップリンクサブフレームにおいて送信される前記アップリンク信号の送信電力を判定する前記ステップが、
各ＴＰＣコマンドに従って、サブフレーム番号がｉである前記サブフレームにおける前記ＳＲＳの送信電力を判定するステップ
を含む、請求項４又は５に記載の方法。
【請求項７】
前記アップリンク信号が前記ＰＵＣＣＨである場合、前記ＰＵＣＣＨが、固定アップリンクサブフレームのみにおいて送信され、ＫＵＬの値が、
ＫＵＬ＝６又はＫＵＬ＝７
を含む、請求項１から３のいずれか一項に記載の方法。
【請求項８】
ワイヤレス通信方法であって、
サブフレーム番号がｉ−ＫＵＬである固定ダウンリンクサブフレームにおいて、少なくとも１つの送信電力制御ＴＰＣコマンドをユーザ機器ＵＥへ送信するステップであって、それによって、前記ＵＥが、サブフレーム番号がｉであるアップリンクサブフレームにおいて送信されるアップリンク信号のＴＰＣコマンドに従って、サブフレーム番号がｉである前記アップリンクサブフレームにおいて送信される前記アップリンク信号の送信電力を判定し、ＫＵＬの値が、時分割複信ＴＤＤシステムのアップリンク−ダウンリンクサブフレーム構成から独立しており、
前記少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、前記少なくとも１つのＴＰＣコマンドが、サブフレーム番号がｉである前記アップリンクサブフレームにおいて送信される前記アップリンク信号の前記ＴＰＣコマンドを含み、異なるＴＰＣコマンドが、異なるアップリンクサブフレームにおいて送信されるアップリンク信号の送信電力を示すために使用される、送信するステップと、
サブフレーム番号がｉである前記サブフレームにおいて、前記ＵＥによって送信される前記アップリンク信号を受信するステップと、
を含む、ワイヤレス通信方法。
【請求項９】
サブフレーム番号がｉ−ＫＵＬである固定ダウンリンクサブフレームにおいて、少なくとも１つの送信電力制御ＴＰＣコマンドをユーザ機器ＵＥへ送信する前記ステップの前に、前記方法が、
第１のＴＰＣ無線ネットワーク一時識別子ＴＰＣ−ＲＮＴＩ、第２のＴＰＣ−ＲＮＴＩ、及び第１の標識情報を前記ＵＥへ送信するステップであって、前記第１の標識情報は、前記第１のＴＰＣ−ＲＮＴＩによってスクランブルされ、フォーマットが前記ＤＣＩ  ｆｏｒｍａｔ  ３／３Ａである第１のＰＤＣＣＨが、第１のＴＰＣコマンドを伝達するために使用されること、及び、前記第２のＴＰＣ−ＲＮＴＩによってスクランブルされ、フォーマットが前記ＤＣＩ  ｆｏｒｍａｔ  ３／３Ａである第２のＰＤＣＣＨが、第２のＴＰＣコマンドを伝達するために使用されることを示すために使用される、送信するステップ
をさらに含み、
サブフレーム番号がｉ−ＫＵＬである固定ダウンリンクサブフレームにおいて、少なくとも１つの送信電力制御ＴＰＣコマンドをユーザ機器ＵＥへ送信する前記ステップが、
サブフレーム番号がｉ−ＫＵＬである前記固定ダウンリンクサブフレームにおいて、前記第１のＰＤＣＣＨ及び／又は前記第２のＰＤＣＣＨを前記ＵＥへ送信するステップであって、それによって、前記ＵＥが第１のＰＤＣＣＨ及び／又は前記第２のＰＤＣＣＨを受信した後、前記ＵＥが、前記第１のＰＤＣＣＨから前記第１のＴＰＣコマンドを取得し、及び／又は前記第２のＰＤＣＣＨから前記第２のＴＰＣコマンドを取得する、送信するステップ
を含む、請求項８に記載の方法。
【請求項１０】
サブフレーム番号がｉ−ＫＵＬである固定ダウンリンクサブフレームにおいて、少なくとも１つの送信電力制御ＴＰＣコマンドをユーザ機器ＵＥへ送信する前記ステップの前に、前記方法が、
第１のＴＰＣインデックス、第２のＴＰＣインデックス、及び第２の標識情報を前記ＵＥへ送信するステップであって、前記第２の標識情報は、前記第１のＴＰＣインデックスが、フォーマットが前記ＤＣＩ  ｆｏｒｍａｔ  ３／３Ａである第３のＰＤＣＣＨ上で第１のＴＰＣコマンドのロケーションを示すために使用されること、及び、前記第２のＴＰＣインデックスが、フォーマットが前記ＤＣＩ  ｆｏｒｍａｔ  ３／３Ａである前記第３のＰＤＣＣＨ上で第２のＴＰＣコマンドのロケーションを示すために使用されることを示すために使用される、送信するステップ
をさらに含み、
サブフレーム番号がｉ−ＫＵＬである固定ダウンリンクサブフレームにおいて、少なくとも１つの送信電力制御ＴＰＣコマンドをユーザ機器ＵＥへ送信する前記ステップが、
サブフレーム番号がｉ−ＫＵＬである前記固定ダウンリンクサブフレームにおいて、前記第３のＰＤＣＣＨを前記ＵＥへ送信するステップであって、それによって、前記ＵＥが前記第３のＰＤＣＣＨを受信した後、前記ＵＥが、前記第１のＴＰＣインデックスによって示される前記ロケーションから前記第１のＴＰＣコマンドを取得し、及び／又は、前記第２のＴＰＣインデックスによって示される前記ロケーションから前記第２のＴＰＣコマンドを取得する、送信するステップ
を含む、請求項８に記載の方法。
【請求項１１】
前記アップリンク信号が、物理アップリンク共有チャネルＰＵＳＣＨ、物理アップリンク制御チャネルＰＵＣＣＨ、又はサウンディングリファレンス信号ＳＲＳである場合、ＫＵＬの値が、下記のケース：
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４であるケースを含む、請求項８から１０のいずれか一項に記載の方法。
【請求項１２】
前記アップリンク信号が、前記ＰＵＳＣＨ、前記ＰＵＣＣＨ、又は前記ＳＲＳである場合、ＫＵＬの値が、下記のケース：
ｉが２又は７である場合、ＫＵＬ＝６であり、ｉが３又は８である場合、ＫＵＬ＝７であり、ｉが４又は９である場合、ＫＵＬ＝４であるケースを含む、請求項８から１０のいずれか一項に記載の方法。
【請求項１３】
前記アップリンク信号が前記ＰＵＣＣＨである場合、ＫＵＬの値が、
前記ＰＵＣＣＨが、固定アップリンクサブフレームのみにおいて送信され、
ＫＵＬ＝６又はＫＵＬ＝７
を含む、請求項８から１０のいずれか一項に記載の方法。
【請求項１４】
ユーザ機器であって、
サブフレーム番号がｉ−ＫＵＬである固定ダウンリンクサブフレームにおいて、基地局によって送信される少なくとも１つの送信電力制御ＴＰＣコマンドを受信するように構成された受信モジュールであって、前記少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、前記少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用される、受信モジュールと、
サブフレーム番号がｉである前記アップリンクサブフレームにおいて送信される前記アップリンク信号の前記ＴＰＣコマンドに従って、サブフレーム番号がｉである前記アップリンクサブフレームにおいて送信される前記アップリンク信号の送信電力を判定するように構成された処理モジュールであって、サブフレーム番号がｉである前記アップリンクサブフレームが、サブフレーム番号がｉ−ＫＵＬである前記固定ダウンリンクサブフレームの後に存在する（ＫＵＬ）番目のサブフレームであり、ＫＵＬの値が、時分割複信ＴＤＤシステムのアップリンク−ダウンリンクサブフレーム構成から独立している、処理モジュールと、
前記送信電力に従って、サブフレーム番号がｉである前記サブフレームにおいて前記アップリンク信号を送信するように構成された送信モジュールと、
を備える、ユーザ機器。
【請求項１５】
前記受信モジュールが、
前記基地局によって送信される前記少なくとも１つの送信電力制御ＴＰＣコマンドが、サブフレーム番号がｉ−ＫＵＬである前記固定ダウンリンクサブフレームにおいて受信される前に、前記基地局によって送信される第１のＴＰＣ無線ネットワーク一時識別子ＴＰＣ−ＲＮＴＩ、第２のＴＰＣ−ＲＮＴＩ、及び第１の標識情報を受信するようにさらに構成され、前記第１の標識情報は、前記第１のＴＰＣ−ＲＮＴＩによってスクランブルされ、フォーマットが前記ＤＣＩ  ｆｏｒｍａｔ  ３／３Ａである第１のＰＤＣＣＨが、第１のＴＰＣコマンドを伝達するために使用されること、及び、前記第２のＴＰＣ−ＲＮＴＩによってスクランブルされ、フォーマットが前記ＤＣＩ  ｆｏｒｍａｔ  ３／３Ａである第２のＰＤＣＣＨが、第２のＴＰＣコマンドを伝達するために使用されることを示すために使用され、
前記受信モジュールが、
サブフレーム番号がｉ−ＫＵＬである前記固定ダウンリンクサブフレームにおいて、前記基地局によって送信される前記第１のＰＤＣＣＨ及び／又は前記第２のＰＤＣＣＨを受信し、前記第１のＰＤＣＣＨから前記第１のＴＰＣコマンドを取得し、及び／又は前記第２のＰＤＣＣＨから前記第２のＴＰＣコマンドを取得する
ように構成される、請求項１４に記載のユーザ機器。
【請求項１６】
前記受信モジュールが、
前記基地局によって送信される前記少なくとも１つの送信電力制御ＴＰＣコマンドが、サブフレーム番号がｉ−ＫＵＬである前記固定ダウンリンクサブフレームにおいて受信される前に、前記基地局によって送信される第１のＴＰＣインデックス、第２のＴＰＣインデックス、及び第２の標識情報を受信するようにさらに構成され、前記第２の標識情報は、前記第１のＴＰＣインデックスが、フォーマットが前記ＤＣＩ  ｆｏｒｍａｔ  ３／３Ａである第３のＰＤＣＣＨ上の第１のＴＰＣコマンドのロケーションを示すために使用されること、及び、前記第２のＴＰＣインデックスが、フォーマットが前記ＤＣＩ  ｆｏｒｍａｔ  ３／３Ａである前記第３のＰＤＣＣＨ上の第２のＴＰＣコマンドのロケーションを示すために使用されることを示すために使用され、
前記受信モジュールが、
サブフレーム番号がｉ−ＫＵＬである前記固定ダウンリンクサブフレームにおいて、前記基地局によって送信される前記第３のＰＤＣＣＨを受信し、前記第１のＴＰＣインデックスによって示される前記ロケーションから前記第１のＴＰＣコマンドを取得し、及び／又は前記第２のＴＰＣインデックスによって示される前記ロケーションから前記第２のＴＰＣコマンドを取得する
ように構成される、請求項１４に記載のユーザ機器。
【請求項１７】
前記アップリンク信号が、物理アップリンク共有チャネルＰＵＳＣＨ、物理アップリンク制御チャネルＰＵＣＣＨ、又はサウンディングリファレンス信号ＳＲＳである場合、ＫＵＬの値が、下記のケース：
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４であるケースを含む、請求項１４から１６のいずれか一項に記載のユーザ機器。
【請求項１８】
前記アップリンク信号が、前記ＰＵＳＣＨ、前記ＰＵＣＣＨ、又は前記ＳＲＳである場合、ＫＵＬの値が、下記のケース：
ｉが２又は７である場合、ＫＵＬ＝６であり、ｉが３又は８である場合、ＫＵＬ＝７であり、ｉが４又は９である場合、ＫＵＬ＝４であるケースを含む、請求項１４から１６のいずれか一項に記載のユーザ機器。
【請求項１９】
前記アップリンク信号が前記ＳＲＳである場合において、前記ＰＵＳＣＨが、サブフレーム番号がｉである前記サブフレームにおいて送信されるとき、前記処理モジュールが、
各ＴＰＣコマンドに従って、サブフレーム番号がｉである前記サブフレームにおける前記ＰＵＳＣＨの送信電力を判定し、
サブフレーム番号がｉである前記サブフレームにおける前記ＰＵＳＣＨの前記送信電力に従って、サブフレーム番号がｉである前記サブフレームにおける前記ＳＲＳの送信電力を判定する
ように構成され、又は、
ＰＵＳＣＨが、サブフレーム番号がｉである前記サブフレームにおいて送信されない場合、前記処理モジュールが、
各ＴＰＣコマンドに従って、サブフレーム番号がｉである前記サブフレームにおける前記ＳＲＳの送信電力を判定する
ように構成される、請求項１７又は１８に記載のユーザ機器。
【請求項２０】
前記アップリンク信号が前記ＰＵＣＣＨである場合、前記ＰＵＣＣＨが、固定アップリンクサブフレームのみにおいて送信され、ＫＵＬの値が、
ＫＵＬ＝６又はＫＵＬ＝７
を含む、請求項１４から１６のいずれか一項に記載のユーザ機器。
【請求項２１】
基地局であって、
サブフレーム番号がｉ−ＫＵＬである固定ダウンリンクサブフレームにおいて、少なくとも１つの送信電力制御ＴＰＣコマンドをユーザ機器ＵＥへ送信するように構成された送信モジュールであって、それによって、前記ＵＥが、サブフレーム番号がｉであるアップリンクサブフレームにおいて送信されるアップリンク信号のＴＰＣコマンドに従って、サブフレーム番号がｉである前記アップリンクサブフレームにおいて送信される前記アップリンク信号の送信電力を判定し、ＫＵＬの値が、時分割複信ＴＤＤシステムのアップリンク−ダウンリンクサブフレーム構成から独立しており、
前記少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、前記少なくとも１つのＴＰＣコマンドが、サブフレーム番号がｉである前記アップリンクサブフレームにおいて送信される前記アップリンク信号の前記ＴＰＣコマンドを含み、異なるＴＰＣコマンドが、異なるアップリンクサブフレームにおいて送信されるアップリンク信号の送信電力を示すために使用される、送信モジュールと、
サブフレーム番号がｉである前記サブフレームにおいて、前記ＵＥによって送信される前記アップリンク信号を受信するように構成された受信モジュールと、
を備える、基地局。
【請求項２２】
前記送信モジュールが、
前記少なくとも１つの送信電力制御ＴＰＣコマンドが、前記ユーザ機器ＵＥへ、サブフレーム番号がｉ−ＫＵＬである前記固定ダウンリンクサブフレームにおいて送信される前に、第１のＴＰＣ無線ネットワーク一時識別子ＴＰＣ−ＲＮＴＩ、第２のＴＰＣ−ＲＮＴＩ、及び第１の標識情報を前記ＵＥへ送信するようにさらに構成され、前記第１の標識情報は、前記第１のＴＰＣ−ＲＮＴＩによってスクランブルされ、フォーマットが前記ＤＣＩ  ｆｏｒｍａｔ  ３／３Ａである第１のＰＤＣＣＨが、第１のＴＰＣコマンドを伝達するために使用されること、及び、前記第２のＴＰＣ−ＲＮＴＩによってスクランブルされ、フォーマットが前記ＤＣＩ  ｆｏｒｍａｔ  ３／３Ａである第２のＰＤＣＣＨが、第２のＴＰＣコマンドを伝達するために使用されることを示すために使用され、
前記送信モジュールが、
サブフレーム番号がｉ−ＫＵＬである前記固定ダウンリンクサブフレームにおいて、前記第１のＰＤＣＣＨ及び／又は前記第２のＰＤＣＣＨを前記ＵＥへ送信するように構成され、それによって、前記ＵＥが第１のＰＤＣＣＨ及び／又は前記第２のＰＤＣＣＨを受信した後、前記ＵＥが、前記第１のＰＤＣＣＨから前記第１のＴＰＣコマンドを取得し、及び／又は前記第２のＰＤＣＣＨから前記第２のＴＰＣコマンドを取得する、
請求項２１に記載の基地局。
【請求項２３】
前記送信モジュールが、
前記少なくとも１つの送信電力制御ＴＰＣコマンドが、前記ユーザ機器ＵＥへ、サブフレーム番号がｉ−ＫＵＬである前記固定ダウンリンクサブフレームにおいて送信される前に、第１のＴＰＣインデックス、第２のＴＰＣインデックス、及び第２の標識情報を前記ＵＥへ送信するようにさらに構成され、前記第２の標識情報は、前記第１のＴＰＣインデックスが、フォーマットが前記ＤＣＩ  ｆｏｒｍａｔ  ３／３Ａである第３のＰＤＣＣＨ上で第１のＴＰＣコマンドのロケーションを示すために使用されること、及び、前記第２のＴＰＣインデックスが、フォーマットが前記ＤＣＩ  ｆｏｒｍａｔ  ３／３Ａである前記第３のＰＤＣＣＨ上で第２のＴＰＣコマンドのロケーションを示すために使用されることを示すために使用され、
前記送信モジュールが、
サブフレーム番号がｉ−ＫＵＬである前記固定ダウンリンクサブフレームにおいて、前記第３のＰＤＣＣＨを前記ＵＥへ送信するように構成され、それによって、前記ＵＥが前記第３のＰＤＣＣＨを受信した後、前記ＵＥが、前記第１のＴＰＣインデックスによって示される前記ロケーションから前記第１のＴＰＣコマンドを取得し、及び／又は、前記第２のＴＰＣインデックスによって示される前記ロケーションから前記第２のＴＰＣコマンドを取得する、
請求項２１に記載の基地局。
【請求項２４】
前記アップリンク信号が、物理アップリンク共有チャネルＰＵＳＣＨ、物理アップリンク制御チャネルＰＵＣＣＨ、又はサウンディングリファレンス信号ＳＲＳである場合、ＫＵＬの値が、下記のケース：
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４であるケースを含む、請求項２１から２３のいずれか一項に記載の基地局。
【請求項２５】
前記アップリンク信号が、前記ＰＵＳＣＨ、前記ＰＵＣＣＨ、又は前記ＳＲＳである場合、ＫＵＬの値が、下記のケース：
ｉが２又は７である場合、ＫＵＬ＝６であり、ｉが３又は８である場合、ＫＵＬ＝７であり、ｉが４又は９である場合、ＫＵＬ＝４であるケースを含む、請求項２１から２３のいずれか一項に記載の基地局。
【請求項２６】
前記アップリンク信号が前記ＰＵＣＣＨである場合、ＫＵＬの値が、
前記ＰＵＣＣＨが、固定アップリンクサブフレームのみにおいて送信され、
ＫＵＬ＝６又はＫＵＬ＝７
を含む、請求項２１から２３のいずれか一項に記載の基地局。
【請求項２７】
請求項１４から２０のいずれか一項に記載のユーザ機器と、請求項２１から２６のいずれか一項に記載の基地局とを備える、通信システム。
【請求項２８】
ワイヤレス通信方法であって、
サブフレーム番号がｉ−ＫＵＬである固定ダウンリンクサブフレームにおいて、基地局によって送信される少なくとも１つの送信電力制御ＴＰＣコマンドを受信するステップであって、前記少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、前記少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用され、前記アップリンク信号が、物理アップリンク共有チャネルＰＵＳＣＨ又はサウンディングリファレンス信号ＳＲＳである、受信するステップと、
サブフレーム番号がｉである前記アップリンクサブフレームにおいて送信される前記アップリンク信号の前記ＴＰＣコマンドに従って、サブフレーム番号がｉである前記アップリンクサブフレームにおいて送信される前記アップリンク信号の送信電力を判定するステップであって、サブフレーム番号がｉである前記アップリンクサブフレームが、サブフレーム番号がｉ−ＫＵＬである前記固定ダウンリンクサブフレームの後に存在する（ＫＵＬ）番目のサブフレームであり、ＫＵＬの値が、時分割複信ＴＤＤ構成０において定義される値である、判定するステップと、
前記送信電力に従って、サブフレーム番号がｉである前記サブフレームにおいて前記アップリンク信号を送信するステップと、
を含む、ワイヤレス通信方法。
【請求項２９】
ＫＵＬの値が、時分割複信ＴＤＤ構成０において定義される値であることが、
ｉが２又は７である場合、ＫＵＬ＝６であり、ｉが３又は８である場合、ＫＵＬ＝８であり、ｉが４又は９である場合、ＫＵＬ＝４であること
を含む、請求項２８に記載の方法。
【請求項３０】
サブフレーム番号がｉ−ＫＵＬである固定ダウンリンクサブフレームにおいて、基地局によって送信される少なくとも１つの送信電力制御ＴＰＣコマンドを受信する前記ステップの前に、前記方法が、
前記基地局によって送信される第１のＴＰＣ無線ネットワーク一時識別子ＴＰＣ−ＲＮＴＩ、第２のＴＰＣ−ＲＮＴＩ、及び第１の標識情報を受信するステップであって、前記第１の標識情報は、前記第１のＴＰＣ−ＲＮＴＩによってスクランブルされ、フォーマットが前記ＤＣＩ  ｆｏｒｍａｔ  ３／３Ａである第１のＰＤＣＣＨが、第１のＴＰＣコマンドを伝達するために使用されること、及び、前記第２のＴＰＣ−ＲＮＴＩによってスクランブルされ、フォーマットが前記ＤＣＩ  ｆｏｒｍａｔ  ３／３Ａである第２のＰＤＣＣＨが、第２のＴＰＣコマンドを伝達するために使用されることを示すために使用される、受信するステップ
をさらに含み、
サブフレーム番号がｉ−ＫＵＬである固定ダウンリンクサブフレームにおいて、基地局によって送信される少なくとも１つの送信電力制御ＴＰＣコマンドを受信する前記ステップが、
サブフレーム番号がｉ−ＫＵＬである前記固定ダウンリンクサブフレームにおいて、前記基地局によって送信される前記第１のＰＤＣＣＨ及び／又は前記第２のＰＤＣＣＨを受信し、前記第１のＰＤＣＣＨから前記第１のＴＰＣコマンドを取得し、及び／又は前記第２のＰＤＣＣＨから前記第２のＴＰＣコマンドを取得するステップ
を含む、請求項２８又は２９に記載の方法。
【請求項３１】
サブフレーム番号がｉ−ＫＵＬである固定ダウンリンクサブフレームにおいて、基地局によって送信される少なくとも１つの送信電力制御ＴＰＣコマンドを受信する前記ステップの前に、前記方法が、
前記基地局によって送信される第１のＴＰＣインデックス、第２のＴＰＣインデックス、及び第２の標識情報を受信するステップであって、前記第２の標識情報は、前記第１のＴＰＣインデックスが、フォーマットが前記ＤＣＩ  ｆｏｒｍａｔ  ３／３Ａである第３のＰＤＣＣＨ上の第１のＴＰＣコマンドのロケーションを示すために使用されること、及び、前記第２のＴＰＣインデックスが、フォーマットが前記ＤＣＩ  ｆｏｒｍａｔ  ３／３Ａである前記第３のＰＤＣＣＨ上の第２のＴＰＣコマンドのロケーションを示すために使用されることを示すために使用される、受信するステップ
をさらに含み、
サブフレーム番号がｉ−ＫＵＬである固定ダウンリンクサブフレームにおいて、基地局によって送信される少なくとも１つの送信電力制御ＴＰＣコマンドを受信する前記ステップが、
サブフレーム番号がｉ−ＫＵＬである前記固定ダウンリンクサブフレームにおいて、前記基地局によって送信される前記第３のＰＤＣＣＨを受信し、前記第１のＴＰＣインデックスによって示される前記ロケーションから前記第１のＴＰＣコマンドを取得し、及び／又は前記第２のＴＰＣインデックスによって示される前記ロケーションから前記第２のＴＰＣコマンドを取得するステップ
を含む、請求項２８又は２９に記載の方法。
【請求項３２】
前記アップリンク信号が前記ＳＲＳである場合において、前記ＰＵＳＣＨが、サブフレーム番号がｉである前記サブフレームにおいて送信されるとき、サブフレーム番号がｉである前記アップリンクサブフレームにおいて送信される前記アップリンク信号の前記ＴＰＣコマンドに従って、サブフレーム番号がｉである前記アップリンクサブフレームにおいて送信される前記アップリンク信号の送信電力を判定する前記ステップが、
各ＴＰＣコマンドに従って、サブフレーム番号がｉである前記サブフレームにおける前記ＰＵＳＣＨの送信電力を判定するステップと、
サブフレーム番号がｉである前記サブフレームにおける前記ＰＵＳＣＨの前記送信電力に従って、サブフレーム番号がｉである前記サブフレームにおける前記ＳＲＳの送信電力を判定するステップと、
を含み、又は、
ＰＵＳＣＨが、サブフレーム番号がｉである前記サブフレームにおいて送信されない場合、サブフレーム番号がｉである前記アップリンクサブフレームにおいて送信される前記アップリンク信号の前記ＴＰＣコマンドに従って、サブフレーム番号がｉである前記アップリンクサブフレームにおいて送信される前記アップリンク信号の送信電力を判定する前記ステップが、
各ＴＰＣコマンドに従って、サブフレーム番号がｉである前記サブフレームにおける前記ＳＲＳの送信電力を判定するステップ
を含む、請求項２８から３１のいずれか一項に記載の方法。
【請求項３３】
ワイヤレス通信方法であって、
サブフレーム番号がｉ−ＫＵＬである固定ダウンリンクサブフレームにおいて、少なくとも１つの送信電力制御ＴＰＣコマンドをユーザ機器ＵＥへ送信するステップであって、それによって、前記ＵＥが、サブフレーム番号がｉであるアップリンクサブフレームにおいて送信されるアップリンク信号のＴＰＣコマンドに従って、サブフレーム番号がｉである前記アップリンクサブフレームにおいて送信される前記アップリンク信号の送信電力を判定し、ＫＵＬの値が、時分割複信ＴＤＤ構成０において定義される値であり、前記アップリンク信号が、物理アップリンク共有チャネルＰＵＳＣＨ又はサウンディングリファレンス信号ＳＲＳであり、
前記少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、前記少なくとも１つのＴＰＣコマンドが、サブフレーム番号がｉである前記アップリンクサブフレームにおいて送信される前記アップリンク信号の前記ＴＰＣコマンドを含み、異なるＴＰＣコマンドが、異なるアップリンクサブフレームにおいて送信されるアップリンク信号の送信電力を示すために使用される、送信するステップと、
サブフレーム番号がｉである前記サブフレームにおいて、前記ＵＥによって送信される前記アップリンク信号を受信するステップと、
を含む、ワイヤレス通信方法。
【請求項３４】
ＫＵＬの値が、時分割複信ＴＤＤ構成０において定義される値であることが、
ｉが２又は７である場合、ＫＵＬ＝６であり、ｉが３又は８である場合、ＫＵＬ＝８であり、ｉが４又は９である場合、ＫＵＬ＝４であること
を含む、請求項３３に記載の方法。
【請求項３５】
サブフレーム番号がｉ−ＫＵＬである固定ダウンリンクサブフレームにおいて、少なくとも１つの送信電力制御ＴＰＣコマンドをユーザ機器ＵＥへ送信する前記ステップの前に、前記方法が、
第１のＴＰＣ無線ネットワーク一時識別子ＴＰＣ−ＲＮＴＩ、第２のＴＰＣ−ＲＮＴＩ、及び第１の標識情報を前記ＵＥへ送信するステップであって、前記第１の標識情報は、前記第１のＴＰＣ−ＲＮＴＩによってスクランブルされ、フォーマットが前記ＤＣＩ  ｆｏｒｍａｔ  ３／３Ａである第１のＰＤＣＣＨが、第１のＴＰＣコマンドを伝達するために使用されること、及び、前記第２のＴＰＣ−ＲＮＴＩによってスクランブルされ、フォーマットが前記ＤＣＩ  ｆｏｒｍａｔ  ３／３Ａである第２のＰＤＣＣＨが、第２のＴＰＣコマンドを伝達するために使用されることを示すために使用される、送信するステップ
をさらに含み、
サブフレーム番号がｉ−ＫＵＬである固定ダウンリンクサブフレームにおいて、少なくとも１つの送信電力制御ＴＰＣコマンドをユーザ機器ＵＥへ送信する前記ステップが、
サブフレーム番号がｉ−ＫＵＬである前記固定ダウンリンクサブフレームにおいて、前記第１のＰＤＣＣＨ及び／又は前記第２のＰＤＣＣＨを前記ＵＥへ送信するステップであって、それによって、前記ＵＥが第１のＰＤＣＣＨ及び／又は前記第２のＰＤＣＣＨを受信した後、前記ＵＥが、前記第１のＰＤＣＣＨから前記第１のＴＰＣコマンドを取得し、及び／又は前記第２のＰＤＣＣＨから前記第２のＴＰＣコマンドを取得する、送信するステップ
を含む、請求項３３又は３４に記載の方法。
【請求項３６】
サブフレーム番号がｉ−ＫＵＬである固定ダウンリンクサブフレームにおいて、少なくとも１つの送信電力制御ＴＰＣコマンドをユーザ機器ＵＥへ送信する前記ステップの前に、前記方法が、
第１のＴＰＣインデックス、第２のＴＰＣインデックス、及び第２の標識情報を前記ＵＥへ送信するステップであって、前記第２の標識情報は、前記第１のＴＰＣインデックスが、フォーマットが前記ＤＣＩ  ｆｏｒｍａｔ  ３／３Ａである第３のＰＤＣＣＨ上で第１のＴＰＣコマンドのロケーションを示すために使用されること、及び、前記第２のＴＰＣインデックスが、フォーマットが前記ＤＣＩ  ｆｏｒｍａｔ  ３／３Ａである前記第３のＰＤＣＣＨ上で第２のＴＰＣコマンドのロケーションを示すために使用されることを示すために使用される、送信するステップ
をさらに含み、
サブフレーム番号がｉ−ＫＵＬである固定ダウンリンクサブフレームにおいて、少なくとも１つの送信電力制御ＴＰＣコマンドをユーザ機器ＵＥへ送信する前記ステップが、
サブフレーム番号がｉ−ＫＵＬである前記固定ダウンリンクサブフレームにおいて、前記第３のＰＤＣＣＨを前記ＵＥへ送信するステップであって、それによって、前記ＵＥが前記第３のＰＤＣＣＨを受信した後、前記ＵＥが、前記第１のＴＰＣインデックスによって示される前記ロケーションから前記第１のＴＰＣコマンドを取得し、及び／又は、前記第２のＴＰＣインデックスによって示される前記ロケーションから前記第２のＴＰＣコマンドを取得する、送信するステップ
を含む、請求項３３又は３４に記載の方法。
【請求項３７】
ユーザ機器であって、
サブフレーム番号がｉ−ＫＵＬである固定ダウンリンクサブフレームにおいて、基地局によって送信される少なくとも１つの送信電力制御ＴＰＣコマンドを受信するように構成された受信モジュールであって、前記少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、前記少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用され、前記アップリンク信号が、物理アップリンク共有チャネルＰＵＳＣＨ又はサウンディングリファレンス信号ＳＲＳである、受信モジュールと、
サブフレーム番号がｉである前記アップリンクサブフレームにおいて送信される前記アップリンク信号の前記ＴＰＣコマンドに従って、サブフレーム番号がｉである前記アップリンクサブフレームにおいて送信される前記アップリンク信号の送信電力を判定するように構成された処理モジュールであって、サブフレーム番号がｉである前記アップリンクサブフレームが、サブフレーム番号がｉ−ＫＵＬである前記固定ダウンリンクサブフレームの後に存在する（ＫＵＬ）番目のサブフレームであり、ＫＵＬの値が、時分割複信ＴＤＤ構成０において定義される値である、処理モジュールと、
前記送信電力に従って、サブフレーム番号がｉである前記サブフレームにおいて前記アップリンク信号を送信するように構成された送信モジュールと、
を備える、ユーザ機器。
【請求項３８】
ＫＵＬの値が、時分割複信ＴＤＤ構成０において定義される値であることが、
ｉが２又は７である場合、ＫＵＬ＝６であり、ｉが３又は８である場合、ＫＵＬ＝８であり、ｉが４又は９である場合、ＫＵＬ＝４であること
を含む、請求項３７に記載のユーザ機器。
【請求項３９】
前記受信モジュールが、前記基地局によって送信される前記少なくとも１つの送信電力制御ＴＰＣコマンドが、サブフレーム番号がｉ−ＫＵＬである前記固定ダウンリンクサブフレームにおいて受信される前に、前記基地局によって送信される第１のＴＰＣ無線ネットワーク一時識別子ＴＰＣ−ＲＮＴＩ、第２のＴＰＣ−ＲＮＴＩ、及び第１の標識情報を受信するようにさらに構成され、前記第１の標識情報は、前記第１のＴＰＣ−ＲＮＴＩによってスクランブルされ、フォーマットが前記ＤＣＩ  ｆｏｒｍａｔ  ３／３Ａである第１のＰＤＣＣＨが、第１のＴＰＣコマンドを伝達するために使用されること、及び、前記第２のＴＰＣ−ＲＮＴＩによってスクランブルされ、フォーマットが前記ＤＣＩ  ｆｏｒｍａｔ  ３／３Ａである第２のＰＤＣＣＨが、第２のＴＰＣコマンドを伝達するために使用されることを示すために使用され、
前記受信モジュールが、
サブフレーム番号がｉ−ＫＵＬである前記固定ダウンリンクサブフレームにおいて、前記基地局によって送信される前記第１のＰＤＣＣＨ及び／又は前記第２のＰＤＣＣＨを受信し、前記第１のＰＤＣＣＨから前記第１のＴＰＣコマンドを取得し、及び／又は前記第２のＰＤＣＣＨから前記第２のＴＰＣコマンドを取得する
ように構成される、請求項３７又は３８に記載のユーザ機器。
【請求項４０】
前記受信モジュールが、前記基地局によって送信される前記少なくとも１つの送信電力制御ＴＰＣコマンドが、サブフレーム番号がｉ−ＫＵＬである前記固定ダウンリンクサブフレームにおいて受信される前に、前記基地局によって送信される第１のＴＰＣインデックス、第２のＴＰＣインデックス、及び第２の標識情報を受信するようにさらに構成され、前記第２の標識情報は、前記第１のＴＰＣインデックスが、フォーマットが前記ＤＣＩ  ｆｏｒｍａｔ  ３／３Ａである第３のＰＤＣＣＨ上の第１のＴＰＣコマンドのロケーションを示すために使用されること、及び、前記第２のＴＰＣインデックスが、フォーマットが前記ＤＣＩ  ｆｏｒｍａｔ  ３／３Ａである前記第３のＰＤＣＣＨ上の第２のＴＰＣコマンドのロケーションを示すために使用されることを示すために使用され、
前記受信モジュールが、
サブフレーム番号がｉ−ＫＵＬである前記固定ダウンリンクサブフレームにおいて、前記基地局によって送信される前記第３のＰＤＣＣＨを受信し、前記第１のＴＰＣインデックスによって示される前記ロケーションから前記第１のＴＰＣコマンドを取得し、及び／又は前記第２のＴＰＣインデックスによって示される前記ロケーションから前記第２のＴＰＣコマンドを取得する
ように構成される、請求項３７又は３８に記載のユーザ機器。
【請求項４１】
前記アップリンク信号が前記ＳＲＳである場合において、前記ＰＵＳＣＨが、サブフレーム番号がｉである前記サブフレームにおいて送信されるとき、サブフレーム番号がｉである前記アップリンクサブフレームにおいて送信される前記アップリンク信号の前記ＴＰＣコマンドに従って、前記処理モジュールが、
各ＴＰＣコマンドに従って、サブフレーム番号がｉである前記サブフレームにおける前記ＰＵＳＣＨの送信電力を判定し、
サブフレーム番号がｉである前記サブフレームにおける前記ＰＵＳＣＨの前記送信電力に従って、サブフレーム番号がｉである前記サブフレームにおける前記ＳＲＳの送信電力を判定する
ように構成され、又は、
ＰＵＳＣＨが、サブフレーム番号がｉである前記サブフレームにおいて送信されない場合、前記処理モジュールが、
各ＴＰＣコマンドに従って、サブフレーム番号がｉである前記サブフレームにおける前記ＳＲＳの送信電力を判定する
ように構成される、請求項３７から４０のいずれか一項に記載のユーザ機器。
【請求項４２】
基地局であって、
サブフレーム番号がｉ−ＫＵＬである固定ダウンリンクサブフレームにおいて、少なくとも１つの送信電力制御ＴＰＣコマンドをユーザ機器ＵＥへ送信するように構成された送信モジュールであって、それによって、前記ＵＥが、サブフレーム番号がｉであるアップリンクサブフレームにおいて送信されるアップリンク信号のＴＰＣコマンドに従って、サブフレーム番号がｉである前記アップリンクサブフレームにおいて送信される前記アップリンク信号の送信電力を判定し、ＫＵＬの値が、時分割複信ＴＤＤ構成０において定義される値であり、前記アップリンク信号が、物理アップリンク共有チャネルＰＵＳＣＨ又はサウンディングリファレンス信号ＳＲＳであり、
前記少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、前記少なくとも１つのＴＰＣコマンドが、サブフレーム番号がｉである前記アップリンクサブフレームにおいて送信される前記アップリンク信号の前記ＴＰＣコマンドを含み、異なるＴＰＣコマンドが、異なるアップリンクサブフレームにおいて送信されるアップリンク信号の送信電力を示すために使用される、送信モジュールと、
サブフレーム番号がｉである前記サブフレームにおいて、前記ＵＥによって送信される前記アップリンク信号を受信するように構成された受信モジュールと、
を備える、基地局。
【請求項４３】
ＫＵＬの値が、時分割複信ＴＤＤ構成０において定義される値であることが、
ｉが２又は７である場合、ＫＵＬ＝６であり、ｉが３又は８である場合、ＫＵＬ＝８であり、ｉが４又は９である場合、ＫＵＬ＝４であること
を含む、請求項４２に記載の基地局。
【請求項４４】
前記送信モジュールが、
前記少なくとも１つの送信電力制御ＴＰＣコマンドが、前記ユーザ機器ＵＥへ、サブフレーム番号がｉ−ＫＵＬである前記固定ダウンリンクサブフレームにおいて送信される前に、第１のＴＰＣ無線ネットワーク一時識別子ＴＰＣ−ＲＮＴＩ、第２のＴＰＣ−ＲＮＴＩ、及び第１の標識情報を前記ＵＥへ送信するようにさらに構成され、前記第１の標識情報は、前記第１のＴＰＣ−ＲＮＴＩによってスクランブルされ、フォーマットが前記ＤＣＩ  ｆｏｒｍａｔ  ３／３Ａである第１のＰＤＣＣＨが、第１のＴＰＣコマンドを伝達するために使用されること、及び、前記第２のＴＰＣ−ＲＮＴＩによってスクランブルされ、フォーマットが前記ＤＣＩ  ｆｏｒｍａｔ  ３／３Ａである第２のＰＤＣＣＨが、第２のＴＰＣコマンドを伝達するために使用されることを示すために使用され、
前記送信モジュールが、
サブフレーム番号がｉ−ＫＵＬである前記固定ダウンリンクサブフレームにおいて、前記第１のＰＤＣＣＨ及び／又は前記第２のＰＤＣＣＨを前記ＵＥへ送信するように構成され、それによって、前記ＵＥが第１のＰＤＣＣＨ及び／又は前記第２のＰＤＣＣＨを受信した後、前記ＵＥが、前記第１のＰＤＣＣＨから前記第１のＴＰＣコマンドを取得し、及び／又は前記第２のＰＤＣＣＨから前記第２のＴＰＣコマンドを取得する、
請求項４２又は４３に記載の基地局。
【請求項４５】
前記送信モジュールが、
前記少なくとも１つの送信電力制御ＴＰＣコマンドが、前記ユーザ機器ＵＥへ、サブフレーム番号がｉ−ＫＵＬである前記固定ダウンリンクサブフレームにおいて送信される前に、第１のＴＰＣインデックス、第２のＴＰＣインデックス、及び第２の標識情報を前記ＵＥへ送信するようにさらに構成され、前記第２の標識情報は、前記第１のＴＰＣインデックスが、フォーマットが前記ＤＣＩ  ｆｏｒｍａｔ  ３／３Ａである第３のＰＤＣＣＨ上で第１のＴＰＣコマンドのロケーションを示すために使用されること、及び、前記第２のＴＰＣインデックスが、フォーマットが前記ＤＣＩ  ｆｏｒｍａｔ  ３／３Ａである前記第３のＰＤＣＣＨ上で第２のＴＰＣコマンドのロケーションを示すために使用されることを示すために使用され、
前記送信モジュールが、
サブフレーム番号がｉ−ＫＵＬである前記固定ダウンリンクサブフレームにおいて、前記第３のＰＤＣＣＨを前記ＵＥへ送信するように構成され、それによって、前記ＵＥが前記第３のＰＤＣＣＨを受信した後、前記ＵＥが、前記第１のＴＰＣインデックスによって示される前記ロケーションから前記第１のＴＰＣコマンドを取得し、及び／又は、前記第２のＴＰＣインデックスによって示される前記ロケーションから前記第２のＴＰＣコマンドを取得する、
請求項４２又は４３に記載の基地局。
【請求項４６】
請求項３７から４１のいずれか一項に記載のユーザ機器と、請求項４２から４６のいずれか一項に記載の基地局とを備える、通信システム。
【発明の詳細な説明】
【技術分野】
【０００１】
本発明の実施形態は、通信技術の分野に関し、特に、ワイヤレス通信方法、装置、及びシステムに関する。
【背景技術】
【０００２】
ロングタームエボリューション（Ｌｏｎｇ  Ｔｅｒｍ  Ｅｖｏｌｕｔｉｏｎ：ＬＴＥ）システムは、時分割複信（Ｔｉｍｅ  Ｄｉｖｉｓｉｏｎ  Ｄｕｐｌｅｘｉｎｇ：ＴＤＤ）モードをサポートする。即ち、同じ周波数の異なるタイムスロットが、アップリンク及びダウンリンクのために使用される。様々なアップリンク−ダウンリンク非対称サービスの要件を満たすために、ＬＴＥ  ＴＤＤシステムにおいては、アップリンク−ダウンリンク構成（Ｕｐｌｉｎｋ−Ｄｏｗｎｌｉｎｋ  Ｃｏｎｆｉｇｕｒａｔｉｏｎ）が、サービスタイプに従って、半静的な手法で構成され得る。しかしながら、使用されるアップリンク−ダウンリンク構成は、半静的な手法で構成され、動的に変更されることができない。したがって、現在のアップリンク−ダウンリンク構成は、一時的なアップリンク及びダウンリンクサービス容量に一致しない。結果として、リソースは、有効に使用されることができない。この問題は、比較的少数のユーザを有するセルについて特に深刻である。従来技術においては、前述の問題を解決するために、動的なＴＤＤアップリンク−ダウンリンクサブフレーム構成の概念が導入されている。即ち、幾つかのフレキシブルサブフレーム（ｆｌｅｘｉｂｌｅ  ｓｕｂｆｒａｍｅ）が、無線フレームにおいて構成され、各フレキシブルサブフレームが、アップリンクサブフレーム又はダウンリンクサブフレームとして動的に構成され得る。
【０００３】
従来技術においては、アップリンク信号を送信する場合に、ユーザ機器（Ｕｓｅｒ  Ｅｑｕｉｐｍｅｎｔ：ＵＥ）は、アップリンク信号が基地局（Ｅｖｏｌｖｅｄ  Ｎｏｄｅ  Ｂ：ｅＮＢ）に到達した後に基地局の受信電力の要件を満たすように、基地局によって通知される送信電力制御コマンド（Ｔｒａｎｓｍｉｔ  Ｐｏｗｅｒ  Ｃｏｎｔｒｏｌ  Ｃｏｍｍａｎｄ：ＴＰＣコマンド）に従って、アップリンク信号の送信電力を設定する必要がある。基地局によって送信されるＴＰＣコマンドが、そのフォーマットがダウンリンク制御情報フォーマット３／３Ａ（Ｄｏｗｎｌｉｎｋ  Ｃｏｎｔｒｏｌ  Ｉｎｆｏｒｍａｔｉｏｎ  ｆｏｒｍａｔ：ＤＣＩ  ｆｏｒｍａｔ  ３／３Ａ）である物理ダウンリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）上で伝達される場合、ＵＥは、いつでもアップリンク信号のＴＰＣコマンドを取得することはできず、標準によって予め定義された時系列関係に従ってのみ、アップリンク信号のＴＰＣコマンドを取得することができる。なぜなら、現在のところ、ＤＣＩ  ｆｏｒｍａｔ  ３／３Ａと、ＤＣＩ  ｆｏｒｍａｔ  ３／３Ａによって示されるアップリンク信号との間には、厳格な時系列関係が存在するからである。
【０００４】
したがって、動的なＴＤＤアップリンク−ダウンリンクサブフレーム構成が適用されるシナリオにおいては、ＤＣＩ  ｆｏｒｍａｔ  ３／３Ａを送信するサブフレームがアップリンクサブフレームとして動的に構成される場合、ＵＥは、アップリンク信号を送信するために必要とされるＴＰＣコマンドを取得することができない。結果として、基地局は、アップリンク信号を受信できない。
【発明の概要】
【発明が解決しようとする課題】
【０００５】
本発明の実施形態は、ワイヤレス通信方法、装置、及びシステムを提供して、動的なＴＤＤアップリンク−ダウンリンクサブフレーム構成が適用されるシナリオにおいて、基地局がアップリンク信号を受信できないという問題を解決する。
【課題を解決するための手段】
【０００６】
第１の態様によれば、本発明の実施形態は、ワイヤレス通信方法であって、
サブフレーム番号がｉ−ＫＵＬである固定ダウンリンクサブフレームにおいて、基地局によって送信される少なくとも１つの送信電力制御ＴＰＣコマンドを受信するステップであって、少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用される、受信するステップと、
サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するステップであって、サブフレーム番号がｉであるアップリンクサブフレームが、サブフレーム番号がｉ−ＫＵＬである固定ダウンリンクサブフレームの後に存在する（ＫＵＬ）番目のサブフレームであり、ＫＵＬの値が、時分割複信ＴＤＤシステムのアップリンク−ダウンリンクサブフレーム構成から独立している、判定するステップと、
送信電力に従って、サブフレーム番号がｉであるサブフレームにおいてアップリンク信号を送信するステップと、
を含む、ワイヤレス通信方法を提供する。
【０００７】
第１の態様の第１の取り得る実装手法では、サブフレーム番号がｉ−ＫＵＬである固定ダウンリンクサブフレームにおいて、基地局によって送信される少なくとも１つの送信電力制御ＴＰＣコマンドを受信するステップの前に、本方法が、
基地局によって送信される第１のＴＰＣ無線ネットワーク一時識別子ＴＰＣ−ＲＮＴＩ、第２のＴＰＣ−ＲＮＴＩ、及び第１の標識情報を受信するステップであって、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される、受信するステップ
をさらに含み、
サブフレーム番号がｉ−ＫＵＬである固定ダウンリンクサブフレームにおいて、基地局によって送信される少なくとも１つの送信電力制御ＴＰＣコマンドを受信するステップが、
サブフレーム番号がｉ−ＫＵＬである固定ダウンリンクサブフレームにおいて、基地局によって送信される第１のＰＤＣＣＨ及び／又は第２のＰＤＣＣＨを受信し、第１のＰＤＣＣＨから第１のＴＰＣコマンドを取得し、及び／又は第２のＰＤＣＣＨから第２のＴＰＣコマンドを取得するステップ
を含む。
【０００８】
第１の態様を参照すると、第１の態様の第２の取り得る実装手法では、サブフレーム番号がｉ−ＫＵＬである固定ダウンリンクサブフレームにおいて、基地局によって送信される少なくとも１つの送信電力制御ＴＰＣコマンドを受信するステップの前に、本方法が、
基地局によって送信される第１のＴＰＣインデックス、第２のＴＰＣインデックス、及び第２の標識情報を受信するステップであって、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用される、受信するステップ
をさらに含み、
サブフレーム番号がｉ−ＫＵＬである固定ダウンリンクサブフレームにおいて、基地局によって送信される少なくとも１つの送信電力制御ＴＰＣコマンドを受信するステップが、
サブフレーム番号がｉ−ＫＵＬである固定ダウンリンクサブフレームにおいて、基地局によって送信される第３のＰＤＣＣＨを受信し、第１のＴＰＣインデックスによって示されるロケーションから第１のＴＰＣコマンドを取得し、及び／又は第２のＴＰＣインデックスによって示されるロケーションから第２のＴＰＣコマンドを取得するステップ
を含む。
【０００９】
第１の態様から第１の態様の第２の取り得る実装手法のいずれか１つを参照すると、第１の態様の第３の取り得る実装手法において、アップリンク信号が、物理アップリンク共有チャネルＰＵＳＣＨ、物理アップリンク制御チャネルＰＵＣＣＨ、又はサウンディングリファレンス信号ＳＲＳである場合、ＫＵＬの値が、下記のケースを含む：
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４である。
【００１０】
第１の態様から第１の態様の第２の取り得る実装手法のいずれか１つを参照すると、第１の態様の第４の取り得る実装手法において、アップリンク信号が、ＰＵＳＣＨ、ＰＵＣＣＨ、又はＳＲＳである場合、ＫＵＬの値が、下記のケースを含む：
ｉが２又は７である場合、ＫＵＬ＝６であり、ｉが３又は８である場合、ＫＵＬ＝７であり、ｉが４又は９である場合、ＫＵＬ＝４である。
【００１１】
第１の態様の第３の取り得る実装手法及び第１の態様の第４の取り得る実装手法のどちらかを参照すると、第１の態様の第５の取り得る実装手法では、
アップリンク信号がＳＲＳである場合において、ＰＵＳＣＨが、サブフレーム番号がｉであるサブフレームにおいて送信されるとき、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するステップが、
各ＴＰＣコマンドに従って、サブフレーム番号がｉであるサブフレームにおけるＰＵＳＣＨの送信電力を判定するステップと、
サブフレーム番号がｉであるサブフレームにおけるＰＵＳＣＨの送信電力に従って、サブフレーム番号がｉであるサブフレームにおけるＳＲＳの送信電力を判定するステップと、
を含み、又は、
ＰＵＳＣＨが、サブフレーム番号がｉであるサブフレームにおいて送信されない場合、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するステップが、
各ＴＰＣコマンドに従って、サブフレーム番号がｉであるサブフレームにおけるＳＲＳの送信電力を判定するステップ
を含む。
【００１２】
第１の態様から第１の態様の第２の取り得る実装手法のいずれか１つを参照すると、第１の態様の第６の取り得る実装手法において、アップリンク信号がＰＵＣＣＨである場合、ＰＵＣＣＨが、固定アップリンクサブフレームのみにおいて送信され、ＫＵＬの値が、
ＫＵＬ＝６又はＫＵＬ＝７
を含む。
【００１３】
第２の態様によれば、本発明の実施形態は、ワイヤレス通信方法であって、
サブフレーム番号がｉ−ＫＵＬである固定ダウンリンクサブフレームにおいて、少なくとも１つの送信電力制御ＴＰＣコマンドをユーザ機器ＵＥへ送信するステップであって、それによって、ＵＥが、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定し、ＫＵＬの値が、時分割複信ＴＤＤシステムのアップリンク−ダウンリンクサブフレーム構成から独立しており、
少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用される、送信するステップと、
サブフレーム番号がｉであるサブフレームにおいて、ＵＥによって送信されるアップリンク信号を受信するステップと、
を含む、ワイヤレス通信方法を提供する。
【００１４】
第２の態様の第１の取り得る実装手法では、サブフレーム番号がｉ−ＫＵＬである固定ダウンリンクサブフレームにおいて、少なくとも１つの送信電力制御ＴＰＣコマンドをユーザ機器ＵＥへ送信するステップの前に、本方法が、
第１のＴＰＣ無線ネットワーク一時識別子ＴＰＣ−ＲＮＴＩ、第２のＴＰＣ−ＲＮＴＩ、及び第１の標識情報をＵＥへ送信するステップであって、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される、送信するステップ
をさらに含み、
サブフレーム番号がｉ−ＫＵＬである固定ダウンリンクサブフレームにおいて、少なくとも１つの送信電力制御ＴＰＣコマンドをユーザ機器ＵＥへ送信するステップが、
サブフレーム番号がｉ−ＫＵＬである固定ダウンリンクサブフレームにおいて、第１のＰＤＣＣＨ及び／又は第２のＰＤＣＣＨをＵＥへ送信するステップであって、それによって、ＵＥが第１のＰＤＣＣＨ及び／又は第２のＰＤＣＣＨを受信した後、ＵＥが、第１のＰＤＣＣＨから第１のＴＰＣコマンドを取得し、及び／又は第２のＰＤＣＣＨから第２のＴＰＣコマンドを取得する、送信するステップ
を含む。
【００１５】
第２の態様を参照すると、第２の態様の第２の取り得る実装手法では、サブフレーム番号がｉ−ＫＵＬである固定ダウンリンクサブフレームにおいて、少なくとも１つの送信電力制御ＴＰＣコマンドをユーザ機器ＵＥへ送信するステップの前に、本方法が、
第１のＴＰＣインデックス、第２のＴＰＣインデックス、及び第２の標識情報をＵＥへ送信するステップであって、第２の標識情報は、第１のＴＰＣインデックスが、フォーマットがＤＣＩ  ｆｏｒｍａｔ  ３／３Ａである第３のＰＤＣＣＨ上で第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上で第２のＴＰＣコマンドのロケーションを示すために使用されることを示すために使用される、送信するステップ
をさらに含み、
サブフレーム番号がｉ−ＫＵＬである固定ダウンリンクサブフレームにおいて、少なくとも１つの送信電力制御ＴＰＣコマンドをユーザ機器ＵＥへ送信するステップが、
サブフレーム番号がｉ−ＫＵＬである固定ダウンリンクサブフレームにおいて、第３のＰＤＣＣＨをＵＥへ送信するステップであって、それによって、ＵＥが第３のＰＤＣＣＨを受信した後、ＵＥが、第１のＴＰＣインデックスによって示されるロケーションから第１のＴＰＣコマンドを取得し、及び／又は、第２のＴＰＣインデックスによって示されるロケーションから第２のＴＰＣコマンドを取得する、送信するステップ
を含む。
【００１６】
第２の態様から第２の態様の第２の取り得る実装手法までのいずれか１つを参照すると、第２の態様の第３の取り得る実装手法において、
アップリンク信号が、物理アップリンク共有チャネルＰＵＳＣＨ、物理アップリンク制御チャネルＰＵＣＣＨ、又はサウンディングリファレンス信号ＳＲＳである場合、ＫＵＬの値が、下記のケースを含む：
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４である。
【００１７】
第２の態様から第２の態様の第２の取り得る実装手法までのいずれか１つを参照すると、第２の態様の第４の取り得る実装手法において、アップリンク信号が、ＰＵＳＣＨ、ＰＵＣＣＨ、又はＳＲＳである場合、ＫＵＬの値が、下記のケースを含む：
ｉが２又は７である場合、ＫＵＬ＝６であり、ｉが３又は８である場合、ＫＵＬ＝７であり、ｉが４又は９である場合、ＫＵＬ＝４である。
【００１８】
第２の態様から第２の態様の第２の取り得る実装手法までのいずれか１つを参照すると、第２の態様の第５の取り得る実装手法において、アップリンク信号がＰＵＣＣＨである場合、ＫＵＬの値が、
ＰＵＣＣＨが、固定アップリンクサブフレームのみにおいて送信され、
ＫＵＬ＝６又はＫＵＬ＝７
を含む。
【００１９】
第３の態様によれば、本発明の実施形態は、ユーザ機器であって、
サブフレーム番号がｉ−ＫＵＬである固定ダウンリンクサブフレームにおいて、基地局によって送信される少なくとも１つの送信電力制御ＴＰＣコマンドを受信するように構成された受信モジュールであって、少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用される、受信モジュールと、
サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するように構成された処理モジュールであって、サブフレーム番号がｉであるアップリンクサブフレームが、サブフレーム番号がｉ−ＫＵＬである固定ダウンリンクサブフレームの後に存在する（ＫＵＬ）番目のサブフレームであり、ＫＵＬの値が、時分割複信ＴＤＤシステムのアップリンク−ダウンリンクサブフレーム構成から独立している、処理モジュールと、
送信電力に従って、サブフレーム番号がｉであるサブフレームにおいてアップリンク信号を送信するように構成された送信モジュールと、
を含む、ユーザ機器を提供する。
【００２０】
第３の態様の第１の取り得る実装手法においては、受信モジュールが、
基地局によって送信される少なくとも１つの送信電力制御ＴＰＣコマンドが、サブフレーム番号がｉ−ＫＵＬである固定ダウンリンクサブフレームにおいて受信される前に、基地局によって送信される第１のＴＰＣ無線ネットワーク一時識別子ＴＰＣ−ＲＮＴＩ、第２のＴＰＣ−ＲＮＴＩ、及び第１の標識情報を受信するようにさらに構成され、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用され、
受信モジュールが、
サブフレーム番号がｉ−ＫＵＬである固定ダウンリンクサブフレームにおいて、基地局によって送信される第１のＰＤＣＣＨ及び／又は第２のＰＤＣＣＨを受信し、第１のＰＤＣＣＨから第１のＴＰＣコマンドを取得し、及び／又は第２のＰＤＣＣＨから第２のＴＰＣコマンドを取得する
ように構成される。
【００２１】
第３の態様を参照すると、第３の態様の第２の取り得る実装手法において、受信モジュールが、
基地局によって送信される少なくとも１つの送信電力制御ＴＰＣコマンドが、サブフレーム番号がｉ−ＫＵＬである固定ダウンリンクサブフレームにおいて受信される前に、基地局によって送信される第１のＴＰＣインデックス、第２のＴＰＣインデックス、及び第２の標識情報を受信するようにさらに構成され、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用され、
受信モジュールが、
サブフレーム番号がｉ−ＫＵＬである固定ダウンリンクサブフレームにおいて、基地局によって送信される第３のＰＤＣＣＨを受信し、第１のＴＰＣインデックスによって示されるロケーションから第１のＴＰＣコマンドを取得し、及び／又は第２のＴＰＣインデックスによって示されるロケーションから第２のＴＰＣコマンドを取得する
ように構成される。
【００２２】
第３の態様から第３の態様の第２の取り得る実装手法までのいずれか１つを参照すると、第３の態様の第２の取り得る実装手法において、アップリンク信号が、物理アップリンク共有チャネルＰＵＳＣＨ、物理アップリンク制御チャネルＰＵＣＣＨ、又はサウンディングリファレンス信号ＳＲＳである場合、ＫＵＬの値が、下記のケースを含む：
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４である。
【００２３】
第３の態様から第３の態様の第２の取り得る実装手法までのいずれか１つを参照すると、第３の態様の第３の取り得る実装手法において、アップリンク信号が、ＰＵＳＣＨ、ＰＵＣＣＨ、又はＳＲＳである場合、ＫＵＬの値が、下記のケースを含む：
ｉが２又は７である場合、ＫＵＬ＝６であり、ｉが３又は８である場合、ＫＵＬ＝７であり、ｉが４又は９である場合、ＫＵＬ＝４である。
【００２４】
第３の態様又は第３の態様の第３の取り得る実装手法を参照すると、第３の態様の第４の取り得る実装手法では、アップリンク信号がＳＲＳである場合において、ＰＵＳＣＨが、サブフレーム番号がｉであるサブフレームにおいて送信されるとき、処理モジュールが、
各ＴＰＣコマンドに従って、サブフレーム番号がｉであるサブフレームにおけるＰＵＳＣＨの送信電力を判定し、
サブフレーム番号がｉであるサブフレームにおけるＰＵＳＣＨの送信電力に従って、サブフレーム番号がｉであるサブフレームにおけるＳＲＳの送信電力を判定する
ように構成され、又は、
ＰＵＳＣＨが、サブフレーム番号がｉであるサブフレームにおいて送信されない場合、処理モジュールが、
各ＴＰＣコマンドに従って、サブフレーム番号がｉであるサブフレームにおけるＳＲＳの送信電力を判定する
ように構成される。
【００２５】
第３の態様から第３の態様の第２の取り得る実装手法までのいずれか１つを参照すると、第３の態様の第５の取り得る実装手法において、アップリンク信号がＰＵＣＣＨである場合、ＰＵＣＣＨが、固定アップリンクサブフレームのみにおいて送信され、ＫＵＬの値が、
ＫＵＬ＝６又はＫＵＬ＝７
を含む。
【００２６】
第４の態様によれば、本発明の実施形態は、基地局であって、
サブフレーム番号がｉ−ＫＵＬである固定ダウンリンクサブフレームにおいて、少なくとも１つの送信電力制御ＴＰＣコマンドをユーザ機器ＵＥへ送信するように構成された送信モジュールであって、それによって、ＵＥが、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定し、ＫＵＬの値が、時分割複信ＴＤＤシステムのアップリンク−ダウンリンクサブフレーム構成から独立しており、
少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用される、送信モジュールと、
サブフレーム番号がｉであるサブフレームにおいて、ＵＥによって送信されるアップリンク信号を受信するように構成された受信モジュールと、
を含む、基地局を提供する。
【００２７】
第４の態様の第１の取り得る実装手法においては、送信モジュールが、
少なくとも１つの送信電力制御ＴＰＣコマンドが、ユーザ機器ＵＥへ、サブフレーム番号がｉ−ＫＵＬである固定ダウンリンクサブフレームにおいて送信される前に、第１のＴＰＣ無線ネットワーク一時識別子ＴＰＣ−ＲＮＴＩ、第２のＴＰＣ−ＲＮＴＩ、及び第１の標識情報をＵＥへ送信するようにさらに構成され、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用され、
送信モジュールが、
サブフレーム番号がｉ−ＫＵＬである固定ダウンリンクサブフレームにおいて、第１のＰＤＣＣＨ及び／又は第２のＰＤＣＣＨをＵＥへ送信するように構成され、それによって、ＵＥが第１のＰＤＣＣＨ及び／又は第２のＰＤＣＣＨを受信した後、ＵＥが、第１のＰＤＣＣＨから第１のＴＰＣコマンドを取得し、及び／又は第２のＰＤＣＣＨから第２のＴＰＣコマンドを取得する。
【００２８】
第４の態様を参照すると、第４の態様の第１の取り得る実装手法において、送信モジュールが、
少なくとも１つの送信電力制御ＴＰＣコマンドが、ユーザ機器ＵＥへ、サブフレーム番号がｉ−ＫＵＬである固定ダウンリンクサブフレームにおいて送信される前に、第１のＴＰＣインデックス、第２のＴＰＣインデックス、及び第２の標識情報をＵＥへ送信するようにさらに構成され、第２の標識情報は、第１のＴＰＣインデックスが、フォーマットがＤＣＩ  ｆｏｒｍａｔ  ３／３Ａである第３のＰＤＣＣＨ上で第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上で第２のＴＰＣコマンドのロケーションを示すために使用されることを示すために使用され、
送信モジュールが、
サブフレーム番号がｉ−ＫＵＬである固定ダウンリンクサブフレームにおいて、第３のＰＤＣＣＨをＵＥへ送信するように構成され、それによって、ＵＥが第３のＰＤＣＣＨを受信した後、ＵＥが、第１のＴＰＣインデックスによって示されるロケーションから第１のＴＰＣコマンドを取得し、及び／又は、第２のＴＰＣインデックスによって示されるロケーションから第２のＴＰＣコマンドを取得する。
【００２９】
第４の態様から第４の態様の第２の取り得る実装手法までを参照すると、第４の態様の第３の取り得る実装手法においては、アップリンク信号が、物理アップリンク共有チャネルＰＵＳＣＨ、物理アップリンク制御チャネルＰＵＣＣＨ、又はサウンディングリファレンス信号ＳＲＳである場合、ＫＵＬの値が、下記のケースを含む：
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４である。
【００３０】
第４の態様から第４の態様の第２の取り得る実装手法までを参照すると、第４の態様の第４の取り得る実装手法においては、アップリンク信号が、ＰＵＳＣＨ、ＰＵＣＣＨ、又はＳＲＳである場合、ＫＵＬの値が、下記のケースを含む：
ｉが２又は７である場合、ＫＵＬ＝６であり、ｉが３又は８である場合、ＫＵＬ＝７であり、ｉが４又は９である場合、ＫＵＬ＝４である。
【００３１】
第４の態様から第４の態様の第２の取り得る実装手法までを参照すると、第４の態様の第５の取り得る実装手法において、アップリンク信号がＰＵＣＣＨである場合、ＫＵＬの値が、
ＰＵＣＣＨが、固定アップリンクサブフレームのみにおいて送信され、
ＫＵＬ＝６又はＫＵＬ＝７
を含む。
【００３２】
第６の態様によれば、本発明の実施形態は、ワイヤレス通信方法であって、
サブフレーム番号がｉ−ＫＵＬである固定ダウンリンクサブフレームにおいて、基地局によって送信される少なくとも１つの送信電力制御ＴＰＣコマンドを受信するステップであって、少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用され、アップリンク信号が、物理アップリンク共有チャネルＰＵＳＣＨ又はサウンディングリファレンス信号ＳＲＳである、受信するステップと、
サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するステップであって、サブフレーム番号がｉであるアップリンクサブフレームが、サブフレーム番号がｉ−ＫＵＬである固定ダウンリンクサブフレームの後に存在する（ＫＵＬ）番目のサブフレームであり、ＫＵＬの値が、時分割複信ＴＤＤ構成０において定義される値である、判定するステップと、
送信電力に従って、サブフレーム番号がｉであるサブフレームにおいてアップリンク信号を送信するステップと、
を含む、ワイヤレス通信方法を提供する。
【００３３】
第６の態様の第１の取り得る実装手法においては、ＫＵＬの値が、時分割複信ＴＤＤ構成０において定義される値であることが、
ｉが２又は７である場合、ＫＵＬ＝６であり、ｉが３又は８である場合、ＫＵＬ＝８であり、ｉが４又は９である場合、ＫＵＬ＝４であること
を含む。
【００３４】
第６の態様又は第６の態様の第１の取り得る実装手法を参照すると、第６の態様の第２の取り得る実装手法では、サブフレーム番号がｉ−ＫＵＬである固定ダウンリンクサブフレームにおいて、基地局によって送信される少なくとも１つの送信電力制御ＴＰＣコマンドを受信するステップの前に、本方法が、
基地局によって送信される第１のＴＰＣ無線ネットワーク一時識別子ＴＰＣ−ＲＮＴＩ、第２のＴＰＣ−ＲＮＴＩ、及び第１の標識情報を受信するステップであって、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される、受信するステップ
をさらに含み、
サブフレーム番号がｉ−ＫＵＬである固定ダウンリンクサブフレームにおいて、基地局によって送信される少なくとも１つの送信電力制御ＴＰＣコマンドを受信するステップが、
サブフレーム番号がｉ−ＫＵＬである固定ダウンリンクサブフレームにおいて、基地局によって送信される第１のＰＤＣＣＨ及び／又は第２のＰＤＣＣＨを受信し、第１のＰＤＣＣＨから第１のＴＰＣコマンドを取得し、及び／又は第２のＰＤＣＣＨから第２のＴＰＣコマンドを取得するステップ
を含む。
【００３５】
第６の態様又は第６の態様の第１の取り得る実装手法を参照すると、第６の態様の第３の取り得る実装手法では、サブフレーム番号がｉ−ＫＵＬである固定ダウンリンクサブフレームにおいて、基地局によって送信される少なくとも１つの送信電力制御ＴＰＣコマンドを受信するステップの前に、本方法が、
基地局によって送信される第１のＴＰＣインデックス、第２のＴＰＣインデックス、及び第２の標識情報を受信するステップであって、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用される、受信するステップ
をさらに含み、
サブフレーム番号がｉ−ＫＵＬである固定ダウンリンクサブフレームにおいて、基地局によって送信される少なくとも１つの送信電力制御ＴＰＣコマンドを受信するステップが、
サブフレーム番号がｉ−ＫＵＬである固定ダウンリンクサブフレームにおいて、基地局によって送信される第３のＰＤＣＣＨを受信し、第１のＴＰＣインデックスによって示されるロケーションから第１のＴＰＣコマンドを取得し、及び／又は第２のＴＰＣインデックスによって示されるロケーションから第２のＴＰＣコマンドを取得するステップ
を含む。
【００３６】
第６の態様から第６の態様の第３の取り得る実装手法までのいずれか１つを参照すると、第６の態様の第４の取り得る実装手法では、アップリンク信号がＳＲＳである場合において、ＰＵＳＣＨが、サブフレーム番号がｉであるサブフレームにおいて送信されるとき、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するステップが、
各ＴＰＣコマンドに従って、サブフレーム番号がｉであるサブフレームにおけるＰＵＳＣＨの送信電力を判定するステップと、
サブフレーム番号がｉであるサブフレームにおけるＰＵＳＣＨの送信電力に従って、サブフレーム番号がｉであるサブフレームにおけるＳＲＳの送信電力を判定するステップと、
を含み、又は、
ＰＵＳＣＨが、サブフレーム番号がｉであるサブフレームにおいて送信されない場合、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するステップが、
各ＴＰＣコマンドに従って、サブフレーム番号がｉであるサブフレームにおけるＳＲＳの送信電力を判定するステップ
を含む。
【００３７】
第７の態様によれば、本発明の実施形態は、ワイヤレス通信方法であって、
サブフレーム番号がｉ−ＫＵＬである固定ダウンリンクサブフレームにおいて、少なくとも１つの送信電力制御ＴＰＣコマンドをユーザ機器ＵＥへ送信するステップであって、それによって、ＵＥが、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定し、ＫＵＬの値が、時分割複信ＴＤＤ構成０において定義される値であり、アップリンク信号が、物理アップリンク共有チャネルＰＵＳＣＨ又はサウンディングリファレンス信号ＳＲＳであり、
少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用される、送信するステップと、
サブフレーム番号がｉであるサブフレームにおいて、ＵＥによって送信されるアップリンク信号を受信するステップと、
を含む、ワイヤレス通信方法を提供する。
【００３８】
第７の態様の第１の取り得る実装手法においては、ＫＵＬの値が、時分割複信ＴＤＤ構成０において定義される値であることが、
ｉが２又は７である場合、ＫＵＬ＝６であり、ｉが３又は８である場合、ＫＵＬ＝８であり、ｉが４又は９である場合、ＫＵＬ＝４であること
を含む。
【００３９】
第７の態様又は第７の態様の第１の取り得る実装手法を参照すると、第７の態様の第２の取り得る実装手法では、サブフレーム番号がｉ−ＫＵＬである固定ダウンリンクサブフレームにおいて、少なくとも１つの送信電力制御ＴＰＣコマンドをユーザ機器ＵＥへ送信するステップの前に、本方法が、
第１のＴＰＣ無線ネットワーク一時識別子ＴＰＣ−ＲＮＴＩ、第２のＴＰＣ−ＲＮＴＩ、及び第１の標識情報をＵＥへ送信するステップであって、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される、送信するステップ
をさらに含み、
サブフレーム番号がｉ−ＫＵＬである固定ダウンリンクサブフレームにおいて、少なくとも１つの送信電力制御ＴＰＣコマンドをユーザ機器ＵＥへ送信するステップが、
サブフレーム番号がｉ−ＫＵＬである固定ダウンリンクサブフレームにおいて、第１のＰＤＣＣＨ及び／又は第２のＰＤＣＣＨをＵＥへ送信するステップであって、それによって、ＵＥが第１のＰＤＣＣＨ及び／又は第２のＰＤＣＣＨを受信した後、ＵＥが、第１のＰＤＣＣＨから第１のＴＰＣコマンドを取得し、及び／又は第２のＰＤＣＣＨから第２のＴＰＣコマンドを取得する、送信するステップ
を含む。
【００４０】
第７の態様又は第７の態様の第１の取り得る実装手法を参照すると、第７の態様の第３の取り得る実装手法では、サブフレーム番号がｉ−ＫＵＬである固定ダウンリンクサブフレームにおいて、少なくとも１つの送信電力制御ＴＰＣコマンドをユーザ機器ＵＥへ送信するステップの前に、本方法が、
第１のＴＰＣインデックス、第２のＴＰＣインデックス、及び第２の標識情報をＵＥへ送信するステップであって、第２の標識情報は、第１のＴＰＣインデックスが、フォーマットがＤＣＩ  ｆｏｒｍａｔ  ３／３Ａである第３のＰＤＣＣＨ上で第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上で第２のＴＰＣコマンドのロケーションを示すために使用されることを示すために使用される、送信するステップ
をさらに含み、
サブフレーム番号がｉ−ＫＵＬである固定ダウンリンクサブフレームにおいて、少なくとも１つの送信電力制御ＴＰＣコマンドをユーザ機器ＵＥへ送信するステップが、
サブフレーム番号がｉ−ＫＵＬである固定ダウンリンクサブフレームにおいて、第３のＰＤＣＣＨをＵＥへ送信するステップであって、それによって、ＵＥが第３のＰＤＣＣＨを受信した後、ＵＥが、第１のＴＰＣインデックスによって示されるロケーションから第１のＴＰＣコマンドを取得し、及び／又は、第２のＴＰＣインデックスによって示されるロケーションから第２のＴＰＣコマンドを取得する、送信するステップ
を含む。
【００４１】
第８の態様によれば、本発明の実施形態は、ユーザ機器であって、
サブフレーム番号がｉ−ＫＵＬである固定ダウンリンクサブフレームにおいて、基地局によって送信される少なくとも１つの送信電力制御ＴＰＣコマンドを受信するように構成された受信モジュールであって、少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用され、アップリンク信号が、物理アップリンク共有チャネルＰＵＳＣＨ又はサウンディングリファレンス信号ＳＲＳである、受信モジュールと、
サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するように構成された処理モジュールであって、サブフレーム番号がｉであるアップリンクサブフレームが、サブフレーム番号がｉ−ＫＵＬである固定ダウンリンクサブフレームの後に存在する（ＫＵＬ）番目のサブフレームであり、ＫＵＬの値が、時分割複信ＴＤＤ構成０において定義される値である、処理モジュールと、
送信電力に従って、サブフレーム番号がｉであるサブフレームにおいてアップリンク信号を送信するように構成された送信モジュールと、
を含む、ユーザ機器を提供する。
【００４２】
第８の態様の第１の取り得る実装手法においては、ＫＵＬの値が、時分割複信ＴＤＤ構成０において定義される値であることが、
ｉが２又は７である場合、ＫＵＬ＝６であり、ｉが３又は８である場合、ＫＵＬ＝８であり、ｉが４又は９である場合、ＫＵＬ＝４であること
を含む。
【００４３】
第８の態様又は第８の態様の第１の取り得る実装手法を参照すると、第８の態様の第２の取り得る実装手法においては、受信モジュールが、基地局によって送信される少なくとも１つの送信電力制御ＴＰＣコマンドが、サブフレーム番号がｉ−ＫＵＬである固定ダウンリンクサブフレームにおいて受信される前に、基地局によって送信される第１のＴＰＣ無線ネットワーク一時識別子ＴＰＣ−ＲＮＴＩ、第２のＴＰＣ−ＲＮＴＩ、及び第１の標識情報を受信するようにさらに構成され、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用され、
受信モジュールが、
サブフレーム番号がｉ−ＫＵＬである固定ダウンリンクサブフレームにおいて、基地局によって送信される第１のＰＤＣＣＨ及び／又は第２のＰＤＣＣＨを受信し、第１のＰＤＣＣＨから第１のＴＰＣコマンドを取得し、及び／又は第２のＰＤＣＣＨから第２のＴＰＣコマンドを取得する
ように構成される。
【００４４】
第８の態様又は第８の態様の第１の取り得る実装手法を参照すると、第８の態様の第３の取り得る実装手法においては、受信モジュールが、基地局によって送信される少なくとも１つの送信電力制御ＴＰＣコマンドが、サブフレーム番号がｉ−ＫＵＬである固定ダウンリンクサブフレームにおいて受信される前に、基地局によって送信される第１のＴＰＣインデックス、第２のＴＰＣインデックス、及び第２の標識情報を受信するようにさらに構成され、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用され、
受信モジュールが、
サブフレーム番号がｉ−ＫＵＬである固定ダウンリンクサブフレームにおいて、基地局によって送信される第３のＰＤＣＣＨを受信し、第１のＴＰＣインデックスによって示されるロケーションから第１のＴＰＣコマンドを取得し、及び／又は第２のＴＰＣインデックスによって示されるロケーションから第２のＴＰＣコマンドを取得する
ように構成される。
【００４５】
第８の態様から第８の態様の第３の取り得る実装手法までのいずれか１つを参照すると、アップリンク信号がＳＲＳである場合において、ＰＵＳＣＨが、サブフレーム番号がｉであるサブフレームにおいて送信されるとき、サブフレーム番号がｉであるアップリンクサブフレームにおいて送信されるアップリンク信号のＴＰＣコマンドに従って、処理モジュールが、
各ＴＰＣコマンドに従って、サブフレーム番号がｉであるサブフレームにおけるＰＵＳＣＨの送信電力を判定し、
サブフレーム番号がｉであるサブフレームにおけるＰＵＳＣＨの送信電力に従って、サブフレーム番号がｉであるサブフレームにおけるＳＲＳの送信電力を判定する
ように構成され、又は、
ＰＵＳＣＨが、サブフレーム番号がｉであるサブフレームにおいて送信されない場合、処理モジュールが、
各ＴＰＣコマンドに従って、サブフレーム番号がｉであるサブフレームにおけるＳＲＳの送信電力を判定する
ように構成される。
【００４６】
第９の態様によれば、本発明の実施形態は、基地局であって、
サブフレーム番号がｉ−ＫＵＬである固定ダウンリンクサブフレームにおいて、少なくとも１つの送信電力制御ＴＰＣコマンドをユーザ機器ＵＥへ送信するように構成された送信モジュールであって、それによって、ＵＥが、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定し、ＫＵＬの値が、時分割複信ＴＤＤ構成０において定義される値であり、アップリンク信号が、物理アップリンク共有チャネルＰＵＳＣＨ又はサウンディングリファレンス信号ＳＲＳであり、
少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用される、送信モジュールと、
サブフレーム番号がｉであるサブフレームにおいて、ＵＥによって送信されるアップリンク信号を受信するように構成された受信モジュールと、
を含む、基地局を提供する。
【００４７】
第９の態様の第１の取り得る実装手法においては、ＫＵＬの値が、時分割複信ＴＤＤ構成０において定義される値であることが、
ｉが２又は７である場合、ＫＵＬ＝６であり、ｉが３又は８である場合、ＫＵＬ＝８であり、ｉが４又は９である場合、ＫＵＬ＝４であること
を含む。
【００４８】
第９の態様又は第９の態様の第１の取り得る実装手法を参照すると、第９の態様の第２の取り得る実装手法においては、送信モジュールが、
少なくとも１つの送信電力制御ＴＰＣコマンドが、ユーザ機器ＵＥへ、サブフレーム番号がｉ−ＫＵＬである固定ダウンリンクサブフレームにおいて送信される前に、第１のＴＰＣ無線ネットワーク一時識別子ＴＰＣ−ＲＮＴＩ、第２のＴＰＣ−ＲＮＴＩ、及び第１の標識情報をＵＥへ送信するようにさらに構成され、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用され、
送信モジュールが、
サブフレーム番号がｉ−ＫＵＬである固定ダウンリンクサブフレームにおいて、第１のＰＤＣＣＨ及び／又は第２のＰＤＣＣＨをＵＥへ送信するように構成され、それによって、ＵＥが第１のＰＤＣＣＨ及び／又は第２のＰＤＣＣＨを受信した後、ＵＥが、第１のＰＤＣＣＨから第１のＴＰＣコマンドを取得し、及び／又は第２のＰＤＣＣＨから第２のＴＰＣコマンドを取得する。
【００４９】
第９の態様又は第９の態様の第１の取り得る実装手法を参照すると、第９の態様の第３の取り得る実装手法においては、送信モジュールが、
少なくとも１つの送信電力制御ＴＰＣコマンドが、ユーザ機器ＵＥへ、サブフレーム番号がｉ−ＫＵＬである固定ダウンリンクサブフレームにおいて送信される前に、第１のＴＰＣインデックス、第２のＴＰＣインデックス、及び第２の標識情報をＵＥへ送信するようにさらに構成され、第２の標識情報は、第１のＴＰＣインデックスが、フォーマットがＤＣＩ  ｆｏｒｍａｔ  ３／３Ａである第３のＰＤＣＣＨ上で第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上で第２のＴＰＣコマンドのロケーションを示すために使用されることを示すために使用され、
送信モジュールが、
サブフレーム番号がｉ−ＫＵＬである固定ダウンリンクサブフレームにおいて、第３のＰＤＣＣＨをＵＥへ送信するように構成され、それによって、ＵＥが第３のＰＤＣＣＨを受信した後、ＵＥが、第１のＴＰＣインデックスによって示されるロケーションから第１のＴＰＣコマンドを取得し、及び／又は、第２のＴＰＣインデックスによって示されるロケーションから第２のＴＰＣコマンドを取得する。
【００５０】
第１０の態様によれば、本発明の実施形態は、第８の態様から第８の態様の第３の取り得る実装手法までのいずれか１つに係るユーザ機器と、第９の態様から第９の態様の第３の取り得る実装手法までのいずれか１つに係る基地局とを含む、通信システムを提供する。
【００５１】
本発明の実施形態において提供されるワイヤレス通信方法、装置、及びシステムによれば、ＵＥは、サブフレーム番号がｉ−ＫＵＬである固定ダウンリンクサブフレームにおいて、基地局によって送信される少なくとも１つのＴＰＣコマンドを受信し、ここで、ＴＰＣコマンドは、フォーマットがＤＣＩ  ｆｏｒｍａｔ  ３／３ＡであるＰＤＣＣＨ上で伝達される。次に、ＵＥは、各ＴＰＣコマンドに従って、各ＴＰＣコマンドに対応する、サブフレーム番号がｉであるサブフレームにおいて、アップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームである。最後に、ＵＥは、各アップリンク信号の送信電力に従って、対応する各アップリンク信号を、サブフレーム番号がｉであるサブフレームにおいて送信する。ＵＥは、ＴＰＣコマンドを固定ダウンリンクサブフレームのみにおいて受信し、フレキシブルダウンリンクサブフレームは、ＴＰＣコマンドを伝達しないため、フレキシブルサブフレームがアップリンクサブフレームへ変化した後にＴＣＰコマンドが取得されることができないという問題が、回避される。このように、基地局がアップリンク信号を受信できないという問題が、解決され得る。また、ＴＰＣコマンドを送信することと、アップリンク信号を送信することとの間の時系列関係は、ＵＥが時系列関係に従って異なるアップリンクサブフレームにおいてＴＰＣコマンドを取得することができるように、実施形態においてさらに定義される。
【００５２】
本発明の実施形態又は従来技術における技術的解決策をより明確に説明するために、下記は、実施形態又は従来技術を説明するために必要とされる添付の図面を簡単に紹介する。明らかに、下記の説明における添付の図面は、本発明の幾つかの実施形態を示しており、当業者であれば、創造的な努力なく、これらの添付の図面から他の図面を導き得る。
【図面の簡単な説明】
【００５３】
【図１】本発明に係るワイヤレス通信方法の実施形態１のフローチャートである。
【図２】本発明に係るワイヤレス通信方法の実施形態２のフローチャートである。
【図３】本発明に係るワイヤレス通信方法の実施形態３のフローチャートである。
【図４】本発明に係るユーザ機器の実施形態１の概略構造図である。
【図５】本発明に係る基地局の実施形態１の概略構造図である。
【図６】本発明に係るユーザ機器の実施形態２の概略構造図である。
【図７】本発明に係る基地局の実施形態２の概略構造図である。
【発明を実施するための形態】
【００５４】
本発明の実施形態の目的、技術的解決策、及び利点をより明確にするために、下記は、本発明の実施形態において、添付の図面を参照しつつ、本発明の実施形態における解決策を明確且つ完全に説明する。明らかに、説明される実施形態は、本発明の実施形態の一部であって、全部ではない。創造的な努力なく、本発明の実施形態に基づいて、当業者によって得られる他の全ての実施形態は、本発明の保護範囲内に収まるべきものである。
【００５５】
本発明の実施形態において、まず留意すべきことは、システムにおける時間ドメインが無線フレームを含むこと、及び無線フレームがシステムフレーム番号によって識別されることである。システムにおいて、サブフレームは、各無線フレームにおけるシステムフレーム番号及びサブフレーム番号によって識別される。
【００５６】
現在のＴＤＤシステムは、７つのアップリンク−ダウンリンクサブフレーム構成をサポートする。下記の表１に記載されるように、「Ｄ」は、ダウンリンクサブフレームを表し、「Ｕ」は、アップリンクサブフレームを表し、「Ｓ」は、特殊サブフレームを表し、ここで、「Ｓ」は、主にダウンリンク送信について使用される。エボリューションバージョン（例えば、ＬＴＥリリース１２及びそれ以降のバージョン）をサポートするＵＥの場合、システムは、ＵＥに、異なるアップリンク−ダウンリンクサブフレーム構成を動的に通知することができる。この異なるアップリンク−ダウンリンクサブフレーム構成は、７つの既存の構成であっても、又は新たに追加されるアップリンク−ダウンリンクサブフレーム構成であってもよい。
【００５７】
【表１】
2016525293.tif 000003
【００５８】
さらに留意すべきことは、本発明の実施形態における固定サブフレームが、そのサブフレーム属性が変更されないままであるサブフレーム、即ち、そのサブフレーム属性がアップリンク−ダウンリンク構成と共に変わらないサブフレームを指すことである。固定サブフレームは、常に、アップリンクサブフレーム、ダウンリンクサブフレーム、又は特殊サブフレームであり、それぞれ固定アップリンクサブフレーム、固定ダウンリンクサブフレーム、及び固定特殊サブフレームと称される。本発明の実施形態におけるフレキシブルサブフレームは、そのサブフレーム属性が動的に変更され得るサブフレームを指し、フレキシブルサブフレームは、アップリンクサブフレーム、ダウンリンクサブフレーム、特殊サブフレーム、及びヌルサブフレームのうちの少なくとも２つとして構成され得る。例えば、フレキシブルサブフレームは、アップリンクサブフレーム若しくはダウンリンクサブフレームとして動的に構成され得るサブフレームを指し、又はフレキシブルサブフレームは、アップリンクサブフレーム、ダウンリンクサブフレーム、若しくは特殊サブフレームとして動的に構成され得るサブフレームを指す。ヌルサブフレームは、アップリンクデータもダウンリンクデータも送信しないサブフレームを指す。アップリンクサブフレームとして構成されるフレキシブルサブフレームは、フレキシブルアップリンクサブフレームと称され、ダウンリンクサブフレームとして構成されるフレキシブルサブフレームは、フレキシブルダウンリンクサブフレームと称され、特殊サブフレームとして構成されるフレキシブルサブフレームは、フレキシブル特殊サブフレームと称され、ヌルサブフレームとして構成されるフレキシブルサブフレームは、フレキシブルヌルサブフレームと称される。
【００５９】
本発明において、固定サブフレーム及びフレキシブルサブフレームは、既存バージョンのシステム及び進化型バージョンのシステムによってサポートされるアップリンク−ダウンリンクサブフレーム構成に従って判定され得る。例えば、既存システムと進化型システムとの双方が、前述の表１における７つのアップリンク−ダウンリンク構成のみをサポートする場合、サブフレーム０、１、２、及び５は、固定サブフレームとして使用され、サブフレーム３、４、６、７、８、及び９は、フレキシブルサブフレームとして使用され得る。既存システムと進化型システムとの双方が、４つのアップリンク−ダウンリンクサブフレーム構成０、１、２、及び６のみをサポートする場合、サブフレーム０、１、２、５、６、及び７は、固定サブフレームとして使用され、サブフレーム３、４、８、及び９は、フレキシブルサブフレームとして使用され得る。留意すべきことは、特殊サブフレームが、主に、ダウンリンク送信のために使用されることである。したがって、特殊サブフレームは、ダウンリンクサブフレームとしても使用され得る。このように、既存システムと進化型システムとの双方が、ＵＥに、７つの構成のうちの１つを通知する場合、サブフレーム０、１、２、５、及び６は、固定サブフレームとして使用され、サブフレーム３、４、７、８、及び９は、フレキシブルサブフレームとして使用され得る。また、プライマリセル（Ｐｒｉｍａｒｙ  ｃｅｌｌ：ＰＣｅｌｌ）の場合、ＳＩＢ１（第１のシステム情報ブロック、Ｓｙｓｔｅｍ  Ｉｎｆｏｒｍａｔｉｏｎ  Ｂｌｏｃｋ  １）において示されるダウンリンクサブフレーム又は特殊サブフレームは、アップリンクサブフレームへ変更されることができない。したがって、ＳＩＢ１によって示されるダウンリンクサブフレーム又は特殊サブフレームは、固定ダウンリンクサブフレームと称され得る。セカンダリセル（Ｓｅｃｏｎｄａｒｙ  Ｃｅｌｌ：ＳＣｅｌｌ）の場合、ＲａｄｉｏＲｅｓｏｕｒｃｅＣｏｎｆｉｇＣｏｍｍｏｎＳＣｅｌｌ  ＩＥ（無線リソース構成共通ＳＣｅｌｌ情報要素、Ｒａｄｉｏ  Ｒｅｓｏｕｒｃｅ  Ｃｏｎｆｉｇｕｒａｔｉｏｎ  Ｃｏｍｍｏｎ  ＳＣｅｌｌ  Ｉｎｆｏｒｍａｔｉｏｎ  ｅｌｅｍｅｎｔ）において示されるダウンリンクサブフレーム又は特殊サブフレームは、アップリンクサブフレームへ変更されることができない。したがって、ＲａｄｉｏＲｅｓｏｕｒｃｅＣｏｎｆｉｇＣｏｍｍｏｎＳＣｅｌｌ  ＩＥによって示されるダウンリンクサブフレーム又は特殊サブフレームは、固定ダウンリンクサブフレームと称され得る。
【００６０】
図１は、本発明に係るワイヤレス通信方法の実施形態１のフローチャートである。この実施形態においては、本方法がＵＥによって実行される例が、説明のために使用される。図１に示されるように、この実施形態における本方法は、下記を含み得る。
【００６１】
Ｓ１０１：ＵＥは、サブフレーム番号がｉ−ＫＵＬである固定ダウンリンクサブフレームにおいて、基地局によって送信された少なくとも１つのＴＰＣコマンドを受信する。ここで、少なくとも１つのＴＰＣコマンドは、フォーマットがＤＣＩ  ｆｏｒｍａｔ  ３／３ＡであるＰＤＣＣＨ上で伝達され、少なくとも１つのＴＰＣコマンドは、サブフレーム番号がｉであるアップリンクサブフレームにおいて送信されるアップリンク信号のＴＰＣコマンドを含む。ここで、異なるＴＰＣコマンドは、異なるアップリンクサブフレームにおいて送信されるアップリンク信号の送信電力を示すために使用される。
【００６２】
具体的には、ＵＥは、ＴＰＣコマンドを、サブフレーム番号がｉ−ＫＵＬである固定ダウンリンクサブフレームのみにおいて受信する。即ち、フレキシブルダウンリンクサブフレームは、ＴＰＣコマンドを伝達しない。したがって、フレキシブルサブフレームがアップリンクサブフレームへ変化した後にＴＰＣコマンドが取得されることができないという問題は、回避される。しかしながら、フレキシブルサブフレームは、アップリンクサブフレームとして構成され得るため、固定ダウンリンクサブフレームの数は、全ての考え得るアップリンクサブフレーム（固定アップリンクサブフレームと、アップリンクサブフレームとして構成され得るフレキシブルサブフレームとを含む）の数よりも少ない。このように、１つの固定ダウンリンクサブフレームが、複数のアップリンクサブフレームについてのＴＰＣコマンドを伝達する必要があり得る。本発明のこの実施形態において提供される時系列関係では、１つの固定ダウンリンクサブフレームは、２つのフレキシブルアップリンクサブフレームについてのＴＰＣコマンドを伝達する必要があり得、又は１つの固定ダウンリンクサブフレームは、１つのフレキシブルアップリンクサブフレームについてのＴＰＣコマンドと、１つの固定アップリンクサブフレームについてのＴＰＣコマンドとを伝達する必要があり得る。１つの固定ダウンリンクサブフレームが、２つのフレキシブルアップリンクサブフレームについてのＴＰＣコマンドを伝達する必要がある場合、又は１つの固定ダウンリンクサブフレームが、１つのフレキシブルアップリンクサブフレームについてのＴＰＣコマンドと、１つの固定アップリンクサブフレームについてのＴＰＣコマンドとを伝達する必要があり得る場合、本発明のこの実施形態においては、２つの取り得る実装手法が存在する。
【００６３】
取り得る実装手法において、Ｓ１０１の前に、本方法は、下記をさらに含む。
【００６４】
Ｓ１０４ａ：ＵＥは、基地局によって送信される第１のＴＰＣ無線ネットワーク一時識別子（ＴＰＣ−Ｒａｄｉｏ  Ｎｅｔｗｏｒｋ  Ｔｅｍｐｏｒａｒｙ  Ｉｄｅｎｔｉｆｉｅｒ：ＴＰＣ−ＲＮＴＩ）、第２のＴＰＣ−ＲＮＴＩ、及び第１の標識情報を受信する。ここで、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される。
【００６５】
第１のＴＰＣコマンド及び第２のＴＰＣコマンドは、ＵＥによって、異なるサブフレームにおけるアップリンク信号の送信電力を判定するために使用される。例えば、第１のＴＰＣコマンドは、ＵＥによって、サブフレームｉにおけるアップリンク信号の送信電力を判定するために使用され、第２のＴＰＣコマンドは、ＵＥによって、サブフレームｊにおけるアップリンク信号の送信電力を判定するために使用される。ここで、サブフレームｉとサブフレームｊとは、異なっており、サブフレームｊにおけるアップリンク信号のタイプは、サブフレームｉにおけるアップリンク信号のタイプとは異なり得る。例えば、サブフレームｊにおけるアップリンク信号は、サウンディングリファレンス信号（Ｓｏｕｎｄｉｎｇ  ｒｅｆｅｒｅｎｃｅ  ｓｉｇｎａｌｓ：ＳＲＳ）であり、サブフレームｉにおけるアップリンク信号は、物理アップリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）である。
【００６６】
基地局によって構成される第１のＴＰＣ−ＲＮＴＩと第２のＴＰＣ−ＲＮＴＩとが同じである場合、第１のＴＰＣコマンド及び第２のＴＰＣコマンドは、同じＴＰＣコマンドとして構成され得る。そのような構成の場合、１つのＴＰＣコマンドは、２つのフレキシブルアップリンクサブフレームにおけるアップリンク信号の送信電力を示すために使用され得る。したがって、制御シグナリングオーバーヘッドが低減され得る。
【００６７】
この場合、Ｓ１０１は、具体的には、下記の通りである。
【００６８】
Ｓ１０１ａ：ＵＥは、サブフレーム番号がｉ−ＫＵＬである固定ダウンリンクサブフレームにおいて、基地局によって送信される第１のＰＤＣＣＨ及び／又は第２のＰＤＣＣＨを受信し、第１のＰＤＣＣＨから第１のＴＰＣコマンドを取得し、及び／又は第２のＰＤＣＣＨから第２のＴＰＣコマンドを取得する。
【００６９】
具体的には、例えば、サブフレーム番号がｉ−ＫＵＬである固定ダウンリンクサブフレームにおいて、ＵＥは、第１のＴＰＣ−ＲＮＴＩを使用して、全ての考え得るＰＤＣＣＨをデスクランブルし、次いで、復号を実行する。巡回冗長検査（Ｃｙｃｌｉｃ  Ｒｅｄｕｎｄａｎｃｙ  Ｃｈｅｃｋ：ＣＲＣ）を通過するＰＤＣＣＨは、第１のＴＰＣ−ＲＮＴＩによってスクランブルされ、フォーマットがＤＣＩ  ｆｏｒｍａｔ  ３／３Ａである第１のＰＤＣＣＨである。次いで、第１のＴＰＣコマンドが、第１のＰＤＣＣＨから取得される。
【００７０】
取り得る実装手法において、Ｓ１０１の前に、本方法は、下記をさらに含む。
【００７１】
Ｓ１０４ｂ：ＵＥは、基地局によって送信される第１のＴＰＣインデックス、第２のＴＰＣインデックス、及び第２の標識情報を受信する。ここで、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用される。
【００７２】
複数のアップリンクサブフレームについてのＴＰＣコマンドが、同じ固定ダウンリンクサブフレームにおいて発生した後、基地局は、複数のＴＰＣインデックスを構成し得る。複数のＴＰＣインデックスは、複数のアップリンクサブフレームについてのＴＰＣコマンドと１対１の対応関係にある。
【００７３】
第１の実装手法におけるそれと同様に、第１のＴＰＣコマンド及び第２のＴＰＣコマンドは、ＵＥによって、異なるサブフレームにおけるアップリンク信号の送信電力を判定するために使用される。基地局によって構成される第１のＴＰＣインデックスと第２のＴＰＣインデックスとが同じ場合、第１のＴＰＣコマンド及び第２のＴＰＣコマンドは、同じＴＰＣコマンドとして構成され得る。そのような構成の場合、１つのＴＰＣコマンドは、２つのフレキシブルアップリンクサブフレームにおけるアップリンク信号の送信電力を示すために使用され得る。したがって、制御シグナリングオーバーヘッドが低減され得る。
【００７４】
この場合、Ｓ１０１は、具体的には、下記の通りである。
【００７５】
Ｓ１０１ｂ：ＵＥは、サブフレーム番号がｉ−ＫＵＬである固定ダウンリンクサブフレームにおいて、基地局によって送信される第３のＰＤＣＣＨを受信し、第１のＴＰＣインデックスによって示されるロケーションから第１のＴＰＣコマンドを取得し、及び／又は第２のＴＰＣインデックスによって示されるロケーションから第２のＴＰＣコマンドを取得する。
【００７６】
具体的には、フォーマットがＤＣＩ  ｆｏｒｍａｔ  ３／３Ａである第３のＰＤＣＣＨは、複数のＴＰＣコマンドを伝達し得る。ここで、ＴＰＣコマンドのロケーションは、ＴＰＣインデックスによって識別される。したがって、ＴＰＣインデックスを受信した後、ＵＥは、ＴＰＣコマンドを対応するロケーションから取得することができる。
【００７７】
Ｓ１０２：ＵＥは、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームであり、ＫＵＬの値は、ＴＤＤシステムのアップリンク−ダウンリンクサブフレーム構成から独立している。
【００７８】
ＴＤＤシステムのアップリンク−ダウンリンクサブフレーム構成は、物理層シグナリングによって示されるＴＤＤアップリンク−ダウンリンク構成である。ここで、物理層シグナリングは、ＰＤＣＣＨ又はｅＰＤＣＣＨ（ｅｎｈａｎｃｅｄ  ＰＤＣＣＨ）上で伝達されるシグナリングである。
【００７９】
具体的には、ＵＥは、各ＴＰＣコマンドに従って、各ＴＰＣコマンドに対応するアップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームである。ＫＵＬの値については、下記の３つの取り得る実装手法が、この実施形態において存在する。
【００８０】
第１の取り得る実装手法において、ＫＵＬの値は、フレキシブルアップリンクサブフレームについてのＴＰＣコマンドと、固定アップリンクサブフレームについてのＴＰＣコマンドとが、異なる固定ダウンリンクサブフレームにおいて伝達されることを確保する必要がある。この実装手法は、ＰＵＳＣＨ、ＰＵＣＣＨ、又はＳＲＳであるアップリンク信号に適用可能であり、この実装手法については３つのケースが存在する。
【００８１】
第１：下記の表２に記載されるように、無線フレーム内のサブフレームｉのサブフレーム番号が２又は７である場合、ＫＵＬ＝６である。ｉが３又は８である場合、ＫＵＬ＝８である。ｉが４又は９である場合、ＫＵＬ＝４である。この解決策におけるＫＵＬの値は、ＴＰＣコマンドの送信とアップリンク信号の送信との間の最小時間遅延を確保することができる。これは、アップリンク電力制御の適時性、即ち、ＵＥが最も正確なＴＰＣコマンドを取得し得ることをさらに確保する。
【００８２】
【表２】
2016525293.tif 000004
【００８３】
第２：下記の表３に記載されるように、無線フレーム内のサブフレームｉのサブフレーム番号が２、３、７、又は８である場合、ＫＵＬ＝７である。ｉが４又は９である場合、ＫＵＬ＝８である。１つのＴＰＣコマンドが、２つのフレキシブルアップリンクサブフレームのために使用され得る場合、この解決策におけるＫＵＬの値は、互いに最も近い２つのフレキシブルサブフレームが同じＴＰＣコマンドを使用することを確保することができる。
【００８４】
【表３】
2016525293.tif 000005
【００８５】
第３：下記の表４又は表５に記載されるように、無線フレーム内のサブフレームｉのサブフレーム番号が２又は７である場合、ＫＵＬ＝７である。ｉが３である場合、ＫＵＬ＝７又はＫＵＬ＝１２である。ｉが４である場合、ＫＵＬ＝４又はＫＵＬ＝９である。ｉが８である場合、ＫＵＬ＝１２又はＫＵＬ＝７である。ｉが９である場合、ＫＵＬ＝９又はＫＵＬ＝４である。既存システムと進化型システムとの双方が、４つのアップリンク−ダウンリンクサブフレーム構成０、１、２、及び６のみをサポートする場合、サブフレーム番号が３及び８であるフレキシブルアップリンクサブフレームが被る干渉のタイプは、同様である（即ち、近接セル内のダウンリンク信号からの干渉は、同じである）。この解決策におけるＫＵＬの値は、サブフレーム番号が３及び８であるフレキシブルアップリンクサブフレームが同じＴＰＣコマンドを使用することを確保することができる。
【００８６】
【表４】
2016525293.tif 000006
【００８７】
【表５】
2016525293.tif 000007
【００８８】
第２の取り得る実装手法において、この実装手法は、ＰＵＳＣＨ、ＰＵＣＣＨ、又はＳＲＳであるアップリンク信号に適用可能である。この実装手法において、フレキシブルアップリンクサブフレームについてのＴＰＣコマンドと、固定アップリンクサブフレームについてのＴＰＣコマンドとは、同じサブフレームにおいて発生し得る。ＫＵＬの値は、下記の表６に記載されるような、既存バージョンにおいて定義されるＴＤＤ構成０における値である。
【００８９】
無線フレーム内のサブフレームｉのサブフレーム番号が２又は７である場合、ＫＵＬ＝６である。ｉが３又は８である場合、ＫＵＬ＝７である。ｉが４又は９である場合、ＫＵＬ＝４である。
【００９０】
【表６】
2016525293.tif 000008
【００９１】
或いは、無線フレーム内のサブフレームｉのサブフレーム番号が２又は７である場合、ＫＵＬ＝６又はＫＵＬ＝７である。ｉが３又は８である場合、ＫＵＬ＝７である。ｉが４又は９である場合、ＫＵＬ＝４である。
【００９２】
構成０において、ＴＰＣコマンドは、固定ダウンリンクサブフレームのみにおいて送信され得る。したがって、構成０における時系列関係は、任意のＴＤＤ構成について使用される（ＴＤＤ構成は、物理層チャネル上で伝達される構成情報によって示されるＴＤＤアップリンク−ダウンリンク構成であり得る）。これは、ＴＰＣコマンドが取得されることができないという問題を解決することができる。この解決策において、ＵＥの既存バージョンにおける全てのＴＤＤ構成は、ＴＤＤ構成０として構成される。このように、前方互換性及び後方互換性が、好ましい形で確保され得る。
【００９３】
前述の第１及び第２の取り得る実装手法では、アップリンク信号がＳＲＳである場合において、ＰＵＳＣＨが、サブフレーム番号がｉであるサブフレームにおいて送信されるとき、各ＴＰＣコマンドに従って、サブフレーム番号がｉであるサブフレームにおけるアップリンク信号の送信電力を判定するＳ１０２は、具体的には、
各ＴＰＣコマンドに従って、サブフレーム番号がｉであるサブフレームにおけるＰＵＳＣＨの送信電力を判定するステップ、及びサブフレーム番号がｉであるサブフレームにおけるＰＵＳＣＨの送信電力に従って、サブフレーム番号がｉであるサブフレームにおけるＳＲＳの送信電力を判定するステップ
となる。
【００９４】
サブフレーム番号がｉであるサブフレームにおいてＰＵＳＣＨが送信されない場合、各ＴＰＣコマンドに従って、サブフレーム番号がｉであるサブフレームにおけるアップリンク信号の送信電力を判定するＳ１０２は、具体的には、
各ＴＰＣコマンドに従って、サブフレーム番号がｉであるサブフレームにおけるＳＲＳの送信電力を判定するステップ
となる。
【００９５】
この解決策において、前述の方法は、ＰＵＳＣＨが送信されない場合であっても、ＳＲＳについてのＴＰＣコマンドがなお構成され得ることを達成することができる。
【００９６】
第３の取り得る実装手法において、この実装手法は、アップリンク信号がＰＵＣＣＨのみであるケースに適用可能である。ここで、ＰＵＣＣＨは、固定アップリンクサブフレームのみにおいて送信され、ＫＵＬ＝６又はＫＵＬ＝７である。
【００９７】
Ｓ１０３：ＵＥは、送信電力に従って、サブフレーム番号がｉであるサブフレームにおいてアップリンク信号を送信する。
【００９８】
この実施形態において提供されるワイヤレス通信方法によれば、ＵＥは、サブフレーム番号がｉ−ＫＵＬである固定ダウンリンクサブフレームにおいて、基地局によって送信された少なくとも１つのＴＰＣコマンドを受信する。ここで、ＴＰＣコマンドは、フォーマットがＤＣＩ  ｆｏｒｍａｔ  ３／３ＡであるＰＤＣＣＨ上で伝達される。次に、ＵＥは、各ＴＰＣコマンドに従って、各ＴＰＣコマンドに対応する、サブフレーム番号がｉであるサブフレームにおけるアップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームである。最後に、ＵＥは、各アップリンク信号の送信電力に従って、対応する各アップリンク信号をサブフレーム番号がｉであるサブフレームにおいて送信する。ＵＥは、ＴＰＣコマンドを固定ダウンリンクサブフレームのみにおいて受信し、フレキシブルダウンリンクサブフレームは、ＴＰＣコマンドを伝達しないため、フレキシブルサブフレームがアップリンクサブフレームへ変化した後にＴＰＣコマンドが取得されることができないという問題が、回避される。このように、基地局がアップリンク信号を受信できないという問題は、解決され得る。また、ＴＰＣコマンドを送信することと、アップリンク信号を送信することとの間の時系列関係は、ＵＥが時系列関係に従って異なるアップリンクサブフレームにおいてＴＰＣコマンドを取得することができるように、この実施形態においてさらに定義される。
【００９９】
図２は、本発明に係るワイヤレス通信方法の実施形態２のフローチャートである。この実施形態においては、本方法が基地局によって実行される例が、説明のために使用される。図２に示されるように、この実施形態における本方法は、下記を含み得る。
【０１００】
Ｓ２０１：基地局は、サブフレーム番号がｉ−ＫＵＬである固定ダウンリンクサブフレームにおいて、少なくとも１つのＴＰＣコマンドをユーザ機器ＵＥへ送信し、それによって、ＵＥは、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定する。ここで、ＫＵＬの値は、時分割複信ＴＤＤシステムのアップリンク−ダウンリンクサブフレーム構成から独立している。
【０１０１】
ＴＤＤシステムのアップリンク−ダウンリンクサブフレーム構成は、物理層シグナリングによって示されるＴＤＤアップリンク−ダウンリンク構成である。ここで、物理層シグナリングは、ＰＤＣＣＨ又はｅＰＤＣＣＨ（ｅｎｈａｎｃｅｄ  ＰＤＣＣＨ）上で伝達されるシグナリングである。
【０１０２】
少なくとも１つのＴＰＣコマンドは、フォーマットがＤＣＩ  ｆｏｒｍａｔ  ３／３ＡであるＰＤＣＣＨ上で伝達され、少なくとも１つのＴＰＣコマンドは、サブフレーム番号がｉであるアップリンクサブフレームにおいて送信されるアップリンク信号のＴＰＣコマンドを含む。ここで、異なるＴＰＣコマンドは、異なるアップリンクサブフレームにおいて送信されるアップリンク信号の送信電力を示すために使用される。
【０１０３】
具体的には、基地局は、サブフレーム番号がｉ−ＫＵＬである固定ダウンリンクサブフレームのみにおいてＴＰＣコマンドを送信する。即ち、フレキシブルダウンリンクサブフレームは、ＴＰＣコマンドを伝達しない。したがって、フレキシブルサブフレームがアップリンクサブフレームへ変化した後にＴＰＣコマンドが取得されることができないという問題が、回避される。しかしながら、フレキシブルサブフレームは、アップリンクサブフレームとして構成され得るため、固定ダウンリンクサブフレームの数は、全ての考え得るアップリンクサブフレーム（固定アップリンクサブフレームと、アップリンクサブフレームとして構成され得るフレキシブルサブフレームとを含む）の数よりも少ない。このように、１つの固定ダウンリンクサブフレームが、複数のアップリンクサブフレームについてのＴＰＣコマンドを伝達する必要があり得る。本発明のこの実施形態において提供される時系列関係において、１つの固定ダウンリンクサブフレームは、２つのフレキシブルアップリンクサブフレームについてのＴＰＣコマンドを伝達する必要があり得、又は、１つの固定ダウンリンクサブフレームは、１つのフレキシブルアップリンクサブフレームについてのＴＰＣコマンドと、１つの固定アップリンクサブフレームについてのＴＰＣコマンドとを伝達する必要があり得る。１つの固定ダウンリンクサブフレームが、２つのフレキシブルアップリンクサブフレームについてのＴＰＣコマンドを伝達する必要がある場合、又は１つの固定ダウンリンクサブフレームが、１つのフレキシブルアップリンクサブフレームについてのＴＰＣコマンドと、１つの固定アップリンクサブフレームについてのＴＰＣコマンドと伝達する必要がある場合、本発明のこの実施形態においては２つの取り得る実装手法が存在する。
【０１０４】
取り得る実装手法において、Ｓ２０１の前に、本方法は、下記をさらに含む。
【０１０５】
Ｓ２０３ａ：第１のＴＰＣ−ＲＮＴＩ、第２のＴＰＣ−ＲＮＴＩ、及び第１の標識情報をＵＥへ送信する。ここで、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される。
【０１０６】
第１のＴＰＣコマンド及び第２のＴＰＣコマンドは、ＵＥによって、異なるサブフレームにおけるアップリンク信号の送信電力を判定するために使用される。基地局によって構成される第１のＴＰＣ−ＲＮＴＩと第２のＴＰＣ−ＲＮＴＩとが同じである場合、第１のＴＰＣコマンド及び第２のＴＰＣコマンドは、同じＴＰＣコマンドである。そのような構成の場合、１つのＴＰＣコマンドは、２つのフレキシブルアップリンクサブフレームにおけるアップリンク信号の送信電力を示すために使用され得る。したがって、制御シグナリングオーバーヘッドが低減され得る。
【０１０７】
この場合、Ｓ２０１は、具体的には、下記の通りである。
【０１０８】
Ｓ２０１ａ：基地局は、サブフレーム番号がｉ−ＫＵＬである固定ダウンリンクサブフレームにおいて、第１のＰＤＣＣＨ及び／又は第２のＰＤＣＣＨをＵＥへ送信し、それによって、ＵＥが第１のＰＤＣＣＨ及び／又は第２のＰＤＣＣＨを受信した後、ＵＥは、第１のＰＤＣＣＨから第１のＴＰＣコマンドを取得し、及び／又は第２のＰＤＣＣＨから第２のＴＰＣコマンドを取得する。
【０１０９】
別の取り得る実装手法において、Ｓ２０１の前に、本方法は、下記をさらに含む。
【０１１０】
Ｓ２０３ｂ：基地局は、第１のＴＰＣインデックス、第２のＴＰＣインデックス、及び第２の標識情報をＵＥへ送信する。ここで、第２の標識情報は、第１のＴＰＣインデックスが、フォーマットがＤＣＩ  ｆｏｒｍａｔ  ３／３Ａである第３のＰＤＣＣＨ上で第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上で第２のＴＰＣコマンドのロケーションを示すために使用されることを示すために使用される。
【０１１１】
複数のアップリンクサブフレームについてのＴＰＣコマンドが、同じ固定ダウンリンクサブフレームにおいて発生した後、基地局は、複数のＴＰＣインデックスを構成し得る。複数のＴＰＣインデックスは、複数のアップリンクサブフレームについてのＴＰＣコマンドと１対１の対応関係にある。
【０１１２】
第１の実装手法におけるそれと同様に、第１のＴＰＣコマンド及び第２のＴＰＣコマンドは、ＵＥによって、異なるサブフレームにおけるアップリンク信号の送信電力を判定するために使用される。基地局によって構成される第１のＴＰＣインデックスと第２のＴＰＣインデックスとが同じである場合、第１のＴＰＣコマンド及び第２のＴＰＣコマンドは、同じＴＰＣコマンドである。そのような構成の場合、１つのＴＰＣコマンドは、２つのフレキシブルアップリンクサブフレームにおけるアップリンク信号の送信電力を示すために使用され得る。したがって、制御シグナリングオーバーヘッドが低減され得る。
【０１１３】
この場合、Ｓ２０１は、具体的には、下記の通りである。
【０１１４】
Ｓ２０１ｂ：サブフレーム番号がｉ−ＫＵＬである固定ダウンリンクサブフレームにおいて、第３のＰＤＣＣＨをＵＥへ送信し、それによって、ＵＥが第３のＰＤＣＣＨを受信した後、ＵＥは、第１のＴＰＣインデックスによって示されるロケーションから第１のＴＰＣコマンドを取得し、及び／又は、第２のＴＰＣインデックスによって示されるロケーションから第２のＴＰＣコマンドを取得する。
【０１１５】
サブフレーム番号がｉであるサブフレームは、サブフレーム番号がｉ−ＫＵＬである固定ダウンリンクサブフレームの後に存在する（ＫＵＬ）番目のサブフレームである。ＫＵＬの値は、フレキシブルアップリンクサブフレームについてのＴＰＣコマンドと、固定アップリンクサブフレームについてのＴＰＣコマンドとが、異なる固定ダウンリンクサブフレームにおいて伝達されることを確保する必要がある。ＫＵＬの値については、下記の３つの取り得る実装手法が、この実施形態において存在する。
【０１１６】
第１の取り得る実装手法において、この実装手法は、ＰＵＳＣＨ、ＰＵＣＣＨ、又はＳＲＳであるアップリンク信号に適用可能であり、この実装手法については３つのケースが存在する。
【０１１７】
第１：前述の表２に記載されるように、無線フレーム内のサブフレームｉのサブフレーム番号が２又は７である場合、ＫＵＬ＝６である。ｉが３又は８である場合、ＫＵＬ＝８である。ｉが４又は９である場合、ＫＵＬ＝４である。本解決策におけるＫＵＬの値は、ＴＰＣコマンドの送信とアップリンク信号の送信との間の最小時間遅延を確保することができる。これは、アップリンク電力制御の適時性、即ち、ＵＥが最も正確なＴＰＣコマンドを取得し得ることをさらに確保する。
【０１１８】
第２：前述の表３に記載されるように、無線フレーム内のサブフレームｉのサブフレーム番号が２、３、７又は８である場合、ＫＵＬ＝７であり、ｉが４又は９である場合、ＫＵＬ＝８である。１つのＴＰＣコマンドが、２つのフレキシブルアップリンクサブフレームのために使用され得る場合、本解決策におけるＫＵＬの値は、互いに最も近い２つのフレキシブルサブフレームが同じＴＰＣコマンドを使用することを確保することができる。
【０１１９】
第３：前述の表４又は表５に記載されるように、無線フレーム内のサブフレームｉのサブフレーム番号が２又は７である場合、ＫＵＬ＝７である。ｉが３である場合、ＫＵＬ＝７又はＫＵＬ＝１２である。ｉが４である場合、ＫＵＬ＝４又はＫＵＬ＝９である。ｉが８である場合、ＫＵＬ＝１２又はＫＵＬ＝７である。ｉが９である場合、ＫＵＬ＝９又はＫＵＬ＝４である。既存システムと進化型システムとの双方が、４つのアップリンク−ダウンリンクサブフレーム構成０、１、２、及び６のみをサポートする場合、サブフレーム番号が３及び８であるフレキシブルアップリンクサブフレームが被る干渉のタイプは、同様である（即ち、近接セル内のダウンリンク信号からの干渉は、同じである）。この解決策におけるＫＵＬの値は、サブフレーム番号が３及び８であるフレキシブルアップリンクサブフレームが同じＴＰＣコマンドを使用することを確保することができる。
【０１２０】
第２の取り得る実装手法において、この実装手法は、ＰＵＳＣＨ、ＰＵＣＣＨ、又はＳＲＳであるアップリンク信号に適用可能である。この実装手法において、ＫＵＬの値は、前述の表６に記載されるような、既存バージョンにおいて定義されるＴＤＤ構成０における値である。
【０１２１】
無線フレーム内のサブフレームｉのサブフレーム番号が２又は７である場合、ＫＵＬ＝６である。ｉが３又は８である場合、ＫＵＬ＝７である。ｉが４又は９である場合、ＫＵＬ＝４である。
【０１２２】
或いは、無線フレーム内のサブフレームｉのサブフレーム番号が２又は７である場合、ＫＵＬ＝６又はＫＵＬ＝７である。ｉが３又は８である場合、ＫＵＬ＝７である。ｉが４又は９である場合、ＫＵＬ＝４である。
【０１２３】
構成０において、ＴＰＣコマンドは、固定ダウンリンクサブフレームのみにおいて送信され得る。したがって、構成０における時系列関係は、任意のＴＤＤ構成について使用される（ＴＤＤ構成は、物理層チャネル上で伝達される構成情報によって示されるＴＤＤアップリンク−ダウンリンク構成であり得る）。これは、ＴＰＣコマンドが取得されることができないという問題を解決することができる。この解決策において、ＵＥの既存バージョンにおける全てのＴＤＤ構成は、ＴＤＤ構成０として構成される。このように、前方互換性及び後方互換性が、好ましい形で確保され得る。
【０１２４】
第３の取り得る実装手法において、この実装手法は、アップリンク信号がＰＵＣＣＨのみであるケースに適用可能である。ここで、ＰＵＣＣＨは、固定アップリンクサブフレームのみにおいて送信され、ＫＵＬ＝６又はＫＵＬ＝７である。
【０１２５】
Ｓ２０２：基地局は、サブフレーム番号がｉであるサブフレームにおいて、ＵＥによって送信されたアップリンク信号を受信する。
【０１２６】
この実施形態において提供されるワイヤレス通信方法によれば、基地局は、サブフレーム番号がｉ−ＫＵＬである固定ダウンリンクサブフレームにおいて、少なくとも１つの送信電力制御ＴＰＣコマンドをユーザ機器ＵＥへ送信し、それによって、ＵＥは、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームである。次いで、基地局は、サブフレーム番号がｉであるサブフレームにおいて、ＵＥによって送信されたアップリンク信号を受信する。基地局は、ＴＰＣコマンドを固定ダウンリンクサブフレームのみにおいて送信し、フレキシブルダウンリンクサブフレームは、ＴＰＣコマンドを伝達しないため、フレキシブルサブフレームがアップリンクサブフレームへ変化した後にＴＣＰコマンドが取得されることができないという問題が、回避される。このように、基地局がアップリンク信号を受信できないという問題が、解決され得る。また、ＴＰＣコマンドを送信することと、アップリンク信号を送信することとの間の時系列関係は、ＵＥが時系列関係に従って異なるアップリンクサブフレームにおいてＴＰＣコマンドを取得することができるように、この実施形態においてさらに定義される。
【０１２７】
前述の方法実施形態の技術的解決策は、特定の実施形態を使用することによって、下記において詳細に説明される。
【０１２８】
図３は、本発明に係るワイヤレス通信方法の実施形態３のフローチャートである。図３に示されるように、ＵＥと基地局とが情報を交換する例が、この実施形態において説明のために使用される。この実施形態における方法は、下記を含み得る。
【０１２９】
Ｓ３０１：基地局は、サブフレーム番号がｉ−ＫＵＬである固定ダウンリンクサブフレームにおいて、少なくとも１つのＴＰＣコマンドをユーザ機器ＵＥへ送信する。ここで、ＴＰＣコマンドは、フォーマットがＤＣＩ  ｆｏｒｍａｔ  ３／３ＡであるＰＤＣＣＨ上で伝達される。
【０１３０】
Ｓ３０２：ＵＥは、サブフレーム番号がｉ−ＫＵＬである固定ダウンリンクサブフレームにおいて、基地局によって送信された少なくとも１つのＴＰＣコマンドを受信する。
【０１３１】
Ｓ３０３：ＵＥは、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームである。異なるＴＰＣコマンドは、異なるアップリンクサブフレームにおいて送信されるアップリンク信号の送信電力を示す。ＫＵＬの値は、時分割複信ＴＤＤシステムのアップリンク−ダウンリンクサブフレーム構成から独立している。ＴＤＤシステムのアップリンク−ダウンリンクサブフレーム構成は、物理層シグナリングによって示されるＴＤＤアップリンク−ダウンリンク構成である。ここで、物理層シグナリングは、ＰＤＣＣＨ又はｅＰＤＣＣＨ（ｅｎｈａｎｃｅｄ  ＰＤＣＣＨ）上で伝達されるシグナリングである。
【０１３２】
Ｓ３０４：ＵＥは、送信電力に従って、サブフレーム番号がｉであるサブフレームにおいてアップリンク信号を送信する。
【０１３３】
Ｓ３０５：基地局は、サブフレーム番号がｉであるサブフレームにおいて、ＵＥによって送信されたアップリンク信号を受信する。
【０１３４】
Ｓ３０１の前に、固定ダウンリンクサブフレームが、２つのフレキシブルアップリンクサブフレームについてのＴＰＣコマンドを伝達する必要がある場合、方法手続きは、下記へ変更される。
【０１３５】
Ｓ３０ａ：基地局は、第１のＴＰＣ−ＲＮＴＩ、第２のＴＰＣ−ＲＮＴＩ、及び第１の標識情報をＵＥへ送信する。ここで、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される。
【０１３６】
Ｓ３０１ａ：基地局は、サブフレーム番号がｉ−ＫＵＬである固定ダウンリンクサブフレームにおいて、第１のＰＤＣＣＨ及び／又は第２のＰＤＣＣＨをＵＥへ送信する。
【０１３７】
Ｓ３０２ａ：ＵＥは、サブフレーム番号がｉ−ＫＵＬである固定ダウンリンクサブフレームにおいて、基地局によって送信された第１のＰＤＣＣＨ及び／又は第２のＰＤＣＣＨを受信し、第１のＰＤＣＣＨから第１のＴＰＣコマンドを取得し、及び／又は第２のＰＤＣＣＨから第２のＴＰＣコマンドを取得する。
【０１３８】
次に、Ｓ３０３、Ｓ３０４、及びＳ３０５が実行される。
【０１３９】
或いは、方法手続きが、下記へ変更される。
【０１４０】
Ｓ３０ｂ：基地局は、第１のＴＰＣインデックス、第２のＴＰＣインデックス、及び第２の標識情報をＵＥへ送信する。ここで、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用される。
【０１４１】
Ｓ３０１ｂ：基地局は、サブフレーム番号がｉ−ＫＵＬである固定ダウンリンクサブフレームにおいて、第３のＰＤＣＣＨをＵＥへ送信する。
【０１４２】
Ｓ３０２ｂ：ＵＥは、サブフレーム番号がｉ−ＫＵＬである固定ダウンリンクサブフレームにおいて、基地局によって送信される第３のＰＤＣＣＨを受信し、第１のＴＰＣインデックスによって示されるロケーションから第１のＴＰＣコマンドを取得し、及び／又は第２のＴＰＣインデックスによって示されるロケーションから第２のＴＰＣコマンドを取得する。
【０１４３】
次に、Ｓ３０３、Ｓ３０４、及びＳ３０５が実行される。
【０１４４】
サブフレーム番号がｉであるサブフレームは、サブフレーム番号がｉ−ＫＵＬである固定ダウンリンクサブフレームの後に存在する（ＫＵＬ）番目のサブフレームである。ＫＵＬの値については、下記の３つの取り得る実装手法が、この実施形態において存在する。
【０１４５】
第１の取り得る実装手法において、ＫＵＬの値は、フレキシブルアップリンクサブフレームについてのＴＰＣコマンドと、固定アップリンクサブフレームについてのＴＰＣコマンドとが、異なる固定ダウンリンクサブフレームにおいて伝達されることを確保する必要がある。この実装手法は、ＰＵＳＣＨ、ＰＵＣＣＨ、又はＳＲＳであるアップリンク信号に適用可能であり、この実装手法については３つのケースが存在する。
【０１４６】
第１：前述の表２に記載されるように、無線フレーム内のサブフレームｉのサブフレーム番号が２又は７である場合、ＫＵＬ＝６である。ｉが３又は８である場合、ＫＵＬ＝８である。ｉが４又は９である場合、ＫＵＬ＝４である。この解決策におけるＫＵＬの値は、ＴＰＣコマンドの送信とアップリンク信号の送信との間の最小時間遅延を確保することができる。これは、アップリンク電力制御の適時性、即ち、ＵＥが最も正確なＴＰＣコマンドを取得し得ることをさらに確保する。
【０１４７】
第２：前述の表３に記載されるように、無線フレーム内のサブフレームｉのサブフレーム番号が２、３、７又は８である場合、ＫＵＬ＝７であり、ｉが４又は９である場合、ＫＵＬ＝８である。１つのＴＰＣコマンドが、２つのフレキシブルアップリンクサブフレームのために使用され得る場合、本解決策におけるＫＵＬの値は、互いに最も近い２つのフレキシブルサブフレームが同じＴＰＣコマンドを使用することを確保することができる。
【０１４８】
第３：前述の表４又は表５に記載されるように、無線フレーム内のサブフレームｉのサブフレーム番号が２又は７である場合、ＫＵＬ＝７である。ｉが３である場合、ＫＵＬ＝７又はＫＵＬ＝１２である。ｉが４である場合、ＫＵＬ＝４又はＫＵＬ＝９である。ｉが８である場合、ＫＵＬ＝１２又はＫＵＬ＝７である。ｉが９である場合、ＫＵＬ＝９又はＫＵＬ＝４である。既存システムと進化型システムとの双方が、４つのアップリンク−ダウンリンクサブフレーム構成０、１、２、及び６のみをサポートする場合、サブフレーム番号が３及び８であるフレキシブルアップリンクサブフレームが被る干渉のタイプは、同様である（即ち、近接セル内のダウンリンク信号からの干渉は、同じである）。この解決策におけるＫＵＬの値は、サブフレーム番号が３及び８であるフレキシブルアップリンクサブフレームが同じＴＰＣコマンドを使用することを確保することができる。
【０１４９】
第２の取り得る実装手法において、この実装手法は、ＰＵＳＣＨ、ＰＵＣＣＨ、又はＳＲＳであるアップリンク信号に適用可能である。この実装手法において、フレキシブルアップリンクサブフレームについてのＴＰＣコマンドと、固定アップリンクサブフレームについてのＴＰＣコマンドとは、同じサブフレームにおいて発生し得る。ＫＵＬの値は、前述の表６に記載されるような、既存バージョンにおいて定義されるＴＤＤ構成０における値である。
【０１５０】
無線フレーム内のサブフレームｉのサブフレーム番号が２又は７である場合、ＫＵＬ＝６である。ｉが３又は８である場合、ＫＵＬ＝７である。ｉが４又は９である場合、ＫＵＬ＝４である。或いは、無線フレーム内のサブフレームｉのサブフレーム番号が２又は７である場合、ＫＵＬ＝６又はＫＵＬ＝７である。ｉが３又は８である場合、ＫＵＬ＝７である。ｉが４又は９である場合、ＫＵＬ＝４である。
【０１５１】
構成０において、ＴＰＣコマンドは、固定ダウンリンクサブフレームのみにおいて送信され得る。したがって、構成０における時系列関係は、任意のＴＤＤ構成について使用される。これは、ＴＰＣコマンドが取得されることができないという問題を解決することができる。この解決策において、ＵＥの既存バージョンにおける全てのＴＤＤ構成は、ＴＤＤ構成０として構成される。このように、前方互換性及び後方互換性が、好ましい形で確保され得る。
【０１５２】
第３の取り得る実装手法において、この実装手法は、アップリンク信号がＰＵＣＣＨのみであるケースに適用可能である。ここで、ＰＵＣＣＨは、固定アップリンクサブフレームのみにおいて送信され、ＫＵＬ＝６又はＫＵＬ＝７である。
【０１５３】
図４は、本発明に係るユーザ機器の実施形態１の概略構造図である。図４に示されるように、この実施形態における装置は、受信モジュール１１と、処理モジュール１２と、送信モジュール１３とを含み得る。受信モジュール１１は、サブフレーム番号がｉ−ＫＵＬである固定ダウンリンクサブフレームにおいて、基地局によって送信された少なくとも１つのＴＰＣコマンドを受信するように構成される。ここで、少なくとも１つのＴＰＣコマンドは、フォーマットがＤＣＩ  ｆｏｒｍａｔ  ３／３Ａである物理ダウンリンク制御チャネルＰＤＣＣＨ上で伝達され、少なくとも１つのＴＰＣコマンドは、サブフレーム番号がｉであるアップリンクサブフレームにおいて送信されるアップリンク信号のＴＰＣコマンドを含む。ここで、異なるＴＰＣコマンドは、異なるアップリンクサブフレームにおいて送信されるアップリンク信号の送信電力を示すために使用される。処理モジュール１２は、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するように構成される。ここで、サブフレーム番号がｉであるアップリンクサブフレームは、サブフレーム番号がｉ−ＫＵＬである固定ダウンリンクサブフレームの後に存在する（ＫＵＬ）番目のサブフレームであり、ＫＵＬの値は、ＴＤＤシステムのアップリンク−ダウンリンクサブフレーム構成から独立している。即ち、サブフレーム番号がｉ−ＫＵＬである固定ダウンリンクサブフレームは、サブフレーム番号がｉであるアップリンクサブフレームに先立って発生し、２つのサブフレームは、ＫＵＬ−１個のサブフレームによって分離される。ＴＤＤシステムのアップリンク−ダウンリンクサブフレーム構成は、物理層シグナリングによって示されるＴＤＤアップリンク−ダウンリンク構成である。ここで、物理層シグナリングは、ＰＤＣＣＨ又はｅＰＤＣＣＨ（ｅｎｈａｎｃｅｄ  ＰＤＣＣＨ）上で伝達されるシグナリングである。送信モジュール１３は、送信電力に従って、サブフレーム番号がｉであるサブフレームにおいてアップリンク信号を送信するように構成される。
【０１５４】
さらに、受信モジュール１１は、
基地局によって送信される少なくとも１つの送信電力制御ＴＰＣコマンドが、サブフレーム番号がｉ−ＫＵＬである固定ダウンリンクサブフレームにおいて受信される前に、基地局によって送信される第１のＴＰＣ−ＲＮＴＩ、第２のＴＰＣ−ＲＮＴＩ、及び第１の標識情報を受信するようにさらに構成される。ここで、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される。また、受信モジュール１１は、
サブフレーム番号がｉ−ＫＵＬである固定ダウンリンクサブフレームにおいて、基地局によって送信される第１のＰＤＣＣＨ及び／若しくは第２のＰＤＣＣＨを受信し、第１のＰＤＣＣＨから第１のＴＰＣコマンドを取得し、並びに／又は第２のＰＤＣＣＨから第２のＴＰＣコマンドを取得するように構成される。
【０１５５】
さらに、随意的に、受信モジュール１１は、
基地局によって送信される少なくとも１つの送信電力制御ＴＰＣコマンドが、サブフレーム番号がｉ−ＫＵＬである固定ダウンリンクサブフレームにおいて受信される前に、基地局によって送信される第１のＴＰＣインデックス、第２のＴＰＣインデックス、及び第２の標識情報を受信するようにさらに構成される。ここで、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用される。また、受信モジュール１１は、
サブフレーム番号がｉ−ＫＵＬである固定ダウンリンクサブフレームにおいて、基地局によって送信される第３のＰＤＣＣＨを受信し、第１のＴＰＣインデックスによって示されるロケーションから第１のＴＰＣコマンドを取得し、及び／又は第２のＴＰＣインデックスによって示されるロケーションから第２のＴＰＣコマンドを取得するように構成される。
【０１５６】
前述の実施形態において、アップリンク信号が、ＰＵＳＣＨ、ＰＵＣＣＨ、又はＳＲＳである場合、ＫＵＬの値は、下記のケースを含む。
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４である。
【０１５７】
前述の実施形態において、アップリンク信号が、ＰＵＳＣＨ、ＰＵＣＣＨ、又はＳＲＳである場合、ＫＵＬの値は、下記のケースを含む。
ｉが２又は７である場合、ＫＵＬ＝６であり、ｉが３又は８である場合、ＫＵＬ＝７であり、ｉが４又は９である場合、ＫＵＬ＝４である。或いは、無線フレーム内のサブフレームｉのサブフレーム番号が２又は７である場合、ＫＵＬ＝６又はＫＵＬ＝７であり、ｉが３又は８である場合、ＫＵＬ＝７であり、ｉが４又は９である場合、ＫＵＬ＝４である。
【０１５８】
さらに、アップリンク信号がＳＲＳである場合において、ＰＵＳＣＨが、サブフレーム番号がｉであるサブフレームにおいて送信されるとき、処理モジュール１２は、
各ＴＰＣコマンドに従って、サブフレーム番号がｉであるサブフレームにおけるＰＵＳＣＨの送信電力を判定し、
サブフレーム番号がｉであるサブフレームにおけるＰＵＳＣＨの送信電力に従って、サブフレーム番号がｉであるサブフレームにおけるＳＲＳの送信電力を判定するように構成される。又は、
ＰＵＳＣＨが、サブフレーム番号がｉであるサブフレームにおいて送信されない場合、処理モジュールは、
各ＴＰＣコマンドに従って、サブフレーム番号がｉであるサブフレームにおけるＳＲＳの送信電力を判定するように構成される。
【０１５９】
前述の実施形態において、随意的に、アップリンク信号がＰＵＣＣＨである場合、ＰＵＣＣＨは、固定アップリンクサブフレームのみにおいて送信され、ＫＵＬの値は、
ＫＵＬ＝６又はＫＵＬ＝７を含む。
【０１６０】
この実施形態における装置は、図１に示される方法実施形態における技術的解決策を実装するように構成され得る。装置実施形態の実装原理は、方法実施形態の実装原理と同様であり、詳細は、本明細書において繰り返し説明されない。
【０１６１】
この実施形態において提供されるユーザ機器によれば、受信モジュールは、サブフレーム番号がｉ−ＫＵＬである固定ダウンリンクサブフレームにおいて、基地局によって送信される少なくとも１つのＴＰＣコマンドを受信する。ここで、ＴＰＣコマンドは、フォーマットがＤＣＩ  ｆｏｒｍａｔ  ３／３ＡであるＰＤＣＣＨ上で伝達される。次に、処理モジュールは、各ＴＰＣコマンドに従って、各ＴＰＣコマンドに対応する、サブフレーム番号がｉであるサブフレームにおける、アップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームである。最後に、送信モジュールは、各アップリンク信号の送信電力に従って、サブフレーム番号がｉであるサブフレームにおいて、対応する各アップリンク信号を送信する。ＵＥは、固定ダウンリンクサブフレームのみにおいてＴＰＣコマンドを受信し、フレキシブルダウンリンクサブフレームは、ＴＰＣコマンドを伝達しないため、フレキシブルサブフレームがアップリンクサブフレームへ変化した後にＴＰＣコマンドが取得されることができないという問題が、回避される。このように、基地局がアップリンク信号を受信できないという問題は、解決され得る。また、ＴＰＣコマンドを送信することと、アップリンク信号を送信することとの間の時系列関係は、ＵＥが時系列関係に従って異なるアップリンクサブフレームにおいてＴＰＣコマンドを取得することができるように、この実施形態においてさらに定義される。
【０１６２】
図５は、本発明に係る基地局の実施形態１の概略構造図である。図５に示されるように、この実施形態における装置は、送信モジュール２１と、受信モジュール２２とを含む。送信モジュール２１は、サブフレーム番号がｉ−ＫＵＬである固定ダウンリンクサブフレームにおいて、少なくとも１つのＴＰＣコマンドをユーザ機器ＵＥへ送るように構成され、それによって、ＵＥは、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定する。ここで、ＫＵＬの値は、ＴＤＤシステムのアップリンク−ダウンリンクサブフレーム構成から独立している。ＴＤＤシステムのアップリンク−ダウンリンクサブフレーム構成は、物理層シグナリングによって示されるＴＤＤアップリンク−ダウンリンク構成である。ここで、物理層シグナリングは、ＰＤＣＣＨ又はｅＰＤＣＣＨ（ｅｎｈａｎｃｅｄ  ＰＤＣＣＨ）上で伝達されるシグナリングである。
【０１６３】
少なくとも１つのＴＰＣコマンドは、フォーマットがＤＣＩ  ｆｏｒｍａｔ  ３／３Ａである物理ダウンリンク制御チャネルＰＤＣＣＨ上で伝達され、少なくとも１つのＴＰＣコマンドは、サブフレーム番号がｉであるアップリンクサブフレームにおいて送信されるアップリンク信号のＴＰＣコマンドを含む。ここで、異なるＴＰＣコマンドは、異なるアップリンクサブフレームにおいて送信されるアップリンク信号の送信電力を示すために使用される。
【０１６４】
受信モジュール２２は、サブフレーム番号がｉであるサブフレームにおいて、ＵＥによって送信されるアップリンク信号を受信するように構成される。
【０１６５】
さらに、送信モジュール２１は、
少なくとも１つの送信電力制御ＴＰＣコマンドが、サブフレーム番号がｉ−ＫＵＬである固定ダウンリンクサブフレームにおいてユーザ機器ＵＥへ送信される前に、第１のＴＰＣ−ＲＮＴＩ、第２のＴＰＣ−ＲＮＴＩ、及び第１の標識情報をＵＥへ送るようにさらに構成される。ここで、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される。また、送信モジュール２１は、
サブフレーム番号がｉ−ＫＵＬである固定ダウンリンクサブフレームにおいて、第１のＰＤＣＣＨ及び／又は第２のＰＤＣＣＨをＵＥへ送信するように構成され、それによって、ＵＥが第１のＰＤＣＣＨ及び／又は第２のＰＤＣＣＨを受信した後、ＵＥは、第１のＰＤＣＣＨから第１のＴＰＣコマンドを取得し、及び／又は第２のＰＤＣＣＨから第２のＴＰＣコマンドを取得する。
【０１６６】
さらに、随意的に、送信モジュール２１は、
少なくとも１つの送信電力制御ＴＰＣコマンドが、サブフレーム番号がｉ−ＫＵＬである固定ダウンリンクサブフレームにおいてユーザ機器ＵＥへ送信される前に、第１のＴＰＣインデックス、第２のＴＰＣインデックス、及び第２の標識情報をＵＥへ送るようにさらに構成される。ここで、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用される。また、送信モジュール２１は、
サブフレーム番号がｉ−ＫＵＬである固定ダウンリンクサブフレームにおいて、第３のＰＤＣＣＨをＵＥへ送信するように構成され、それによって、ＵＥが第３のＰＤＣＣＨを受信した後、ＵＥは、第１のＴＰＣインデックスによって示されるロケーションから第１のＴＰＣコマンドを取得し、及び／又は、第２のＴＰＣインデックスによって示されるロケーションから第２のＴＰＣコマンドを取得する。
【０１６７】
前述の実施形態において、アップリンク信号が、ＰＵＳＣＨ、ＰＵＣＣＨ、又はＳＲＳである場合、ＫＵＬの値は、下記のケースを含む。
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４である。
【０１６８】
前述の実施形態において、アップリンク信号が、ＰＵＳＣＨ、ＰＵＣＣＨ、又はＳＲＳである場合、ＫＵＬの値は、下記のケースを含む。
ｉが２又は７である場合、ＫＵＬ＝６であり、ｉが３又は８である場合、ＫＵＬ＝７であり、ｉが４又は９である場合、ＫＵＬ＝４である。或いは、無線フレーム内のサブフレームｉのサブフレーム番号が２又は７である場合、ＫＵＬ＝６又はＫＵＬ＝７であり、ｉが３又は８である場合、ＫＵＬ＝７であり、ｉが４又は９である場合、ＫＵＬ＝４である。
【０１６９】
前述の実施形態において、アップリンク信号がＰＵＣＣＨである場合、ＫＵＬの値は、下記を含む。
ＰＵＣＣＨは、固定アップリンクサブフレームのみにおいて送信され、
ＫＵＬ＝６又はＫＵＬ＝７である。
【０１７０】
この実施形態における装置は、図２に示される方法実施形態における技術的解決策を実装するように構成され得る。装置実施形態の実装原理及び技術的効果は、方法実施形態の実装原理及び技術的効果と同様であり、詳細は、本明細書において繰り返し説明されない。
【０１７１】
この実施形態において提供される基地局によれば、送信モジュールは、サブフレーム番号がｉ−ＫＵＬである固定ダウンリンクサブフレームにおいて、少なくとも１つの送信電力制御ＴＰＣコマンドをユーザ機器ＵＥへ送信し、それによって、ＵＥは、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームである。次いで、受信モジュールは、サブフレーム番号がｉであるサブフレームにおいて、ＵＥによって送信されたアップリンク信号を受信する。基地局は、ＴＰＣコマンドを固定ダウンリンクサブフレームのみにおいて送信し、フレキシブルダウンリンクサブフレームは、ＴＰＣコマンドを伝達しないため、フレキシブルサブフレームがアップリンクサブフレームへ変化した後にＴＣＰコマンドが取得されることができないという問題が、回避される。このように、基地局がアップリンク信号を受信できないという問題が、解決され得る。また、ＴＰＣコマンドを送信することと、アップリンク信号を送信することとの間の時系列関係は、ＵＥが時系列関係に従って異なるアップリンクサブフレームにおいてＴＰＣコマンドを取得することができるように、この実施形態においてさらに定義される。
【０１７２】
本発明の実施形態において提供される通信システムは、図４に示されるユーザ機器と、図５に示される基地局とを含む。
【０１７３】
図６は、本発明に係るユーザ機器の実施形態２の概略構造図である。図６に示されるように、この実施形態における装置は、受信器３１と、プロセッサ３２と、送信器３３とを含み得る。受信器３１は、サブフレーム番号がｉ−ＫＵＬである固定ダウンリンクサブフレームにおいて、基地局によって送信される少なくとも１つのＴＰＣコマンドを受信するように構成される。ここで、少なくとも１つのＴＰＣコマンドは、フォーマットがＤＣＩ  ｆｏｒｍａｔ  ３／３Ａである物理ダウンリンク制御チャネルＰＤＣＣＨ上で伝達され、少なくとも１つのＴＰＣコマンドは、サブフレーム番号がｉであるアップリンクサブフレームにおいて送信されるアップリンク信号のＴＰＣコマンドを含む。ここで、異なるＴＰＣコマンドは、異なるアップリンクサブフレームにおいて送信されるアップリンク信号の送信電力を示すために使用される。プロセッサ３２は、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するように構成される。ここで、サブフレーム番号がｉであるアップリンクサブフレームは、サブフレーム番号がｉ−ＫＵＬである固定ダウンリンクサブフレームの後に存在する（ＫＵＬ）番目のサブフレームであり、ＫＵＬの値は、ＴＤＤシステムのアップリンク−ダウンリンクサブフレーム構成から独立している。ＴＤＤシステムのアップリンク−ダウンリンクサブフレーム構成は、物理層シグナリングによって示されるＴＤＤアップリンク−ダウンリンク構成である。ここで、物理層シグナリングは、ＰＤＣＣＨ又はｅＰＤＣＣＨ（ｅｎｈａｎｃｅｄ  ＰＤＣＣＨ）上で伝達されるシグナリングである。送信器３３は、送信電力に従って、サブフレーム番号がｉであるサブフレームにおいてアップリンク信号を送信するように構成される。
【０１７４】
さらに、受信器３１は、
基地局によって送信される少なくとも１つの送信電力制御ＴＰＣコマンドが、サブフレーム番号がｉ−ＫＵＬである固定ダウンリンクサブフレームにおいて受信される前に、基地局によって送信される第１のＴＰＣ−ＲＮＴＩ、第２のＴＰＣ−ＲＮＴＩ、及び第１の標識情報を受信するようにさらに構成される。ここで、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される。また、受信器３１は、
サブフレーム番号がｉ−ＫＵＬである固定ダウンリンクサブフレームにおいて、基地局によって送信される第１のＰＤＣＣＨ及び／若しくは第２のＰＤＣＣＨを受信し、第１のＰＤＣＣＨから第１のＴＰＣコマンドを取得し、並びに／又は第２のＰＤＣＣＨから第２のＴＰＣコマンドを取得するように構成される。
【０１７５】
さらに、随意的に、受信器３１は、
基地局によって送信される少なくとも１つの送信電力制御ＴＰＣコマンドが、サブフレーム番号がｉ−ＫＵＬである固定ダウンリンクサブフレームにおいて受信される前に、第１のＴＰＣインデックス、第２のＴＰＣインデックス、及び第２の標識情報を受信するようにさらに構成される。ここで、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用される。また、受信器３１は、
サブフレーム番号がｉ−ＫＵＬである固定ダウンリンクサブフレームにおいて、基地局によって送信される第３のＰＤＣＣＨを受信し、第１のＴＰＣインデックスによって示されるロケーションから第１のＴＰＣコマンドを取得し、及び／又は第２のＴＰＣインデックスによって示されるロケーションから第２のＴＰＣコマンドを取得するように構成される。
【０１７６】
前述の実施形態において、アップリンク信号が、ＰＵＳＣＨ、ＰＵＣＣＨ、又はＳＲＳである場合、ＫＵＬの値は、下記のケースを含む。
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４である。
【０１７７】
前述の実施形態において、アップリンク信号が、ＰＵＳＣＨ、ＰＵＣＣＨ、又はＳＲＳである場合、ＫＵＬの値は、下記のケースを含む。
ｉが２又は７である場合、ＫＵＬ＝６であり、ｉが３又は８である場合、ＫＵＬ＝７であり、ｉが４又は９である場合、ＫＵＬ＝４である。或いは、無線フレーム内のサブフレームｉのサブフレーム番号が２又は７である場合、ＫＵＬ＝６又はＫＵＬ＝７であり、ｉが３又は８である場合、ＫＵＬ＝７であり、ｉが４又は９である場合、ＫＵＬ＝４である。
【０１７８】
さらに、アップリンク信号がＳＲＳである場合において、ＰＵＳＣＨが、サブフレーム番号がｉであるサブフレームにおいて送信されるとき、プロセッサ３２は、
各ＴＰＣコマンドに従って、サブフレーム番号がｉであるサブフレームにおけるＰＵＳＣＨの送信電力を判定し、
サブフレーム番号がｉであるサブフレームにおけるＰＵＳＣＨの送信電力に従って、サブフレーム番号がｉであるサブフレームにおけるＳＲＳの送信電力を判定するように構成される。又は、
ＰＵＳＣＨが、サブフレーム番号がｉであるサブフレームにおいて送信されない場合、処理モジュールは、
各ＴＰＣコマンドに従って、サブフレーム番号がｉであるサブフレームにおけるＳＲＳの送信電力を判定するように構成される。
【０１７９】
前述の実施形態において、随意的に、アップリンク信号がＰＵＣＣＨである場合、ＰＵＣＣＨは、固定アップリンクサブフレームのみにおいて送信され、ＫＵＬの値は、
ＫＵＬ＝６又はＫＵＬ＝７を含む。
【０１８０】
この実施形態における装置は、図１に示される方法実施形態の技術的解決策を実装するように構成され得る。装置実施形態の実装原理は、方法実施形態の実装原理と同様であり、詳細は、本明細書において繰り返し説明されない。
【０１８１】
この実施形態において提供されるユーザ機器によれば、受信器は、サブフレーム番号がｉ−ＫＵＬである固定ダウンリンクサブフレームにおいて、基地局によって送信される少なくとも１つのＴＰＣコマンドを受信する。ここで、ＴＰＣコマンドは、フォーマットがＤＣＩ  ｆｏｒｍａｔ  ３／３ＡであるＰＤＣＣＨ上で伝達される。次に、プロセッサは、各ＴＰＣコマンドに従って、各ＴＰＣコマンドに対応する、サブフレーム番号がｉであるサブフレームにおけるアップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームである。最後に、送信器は、各アップリンク信号の送信電力に従って、対応する各アップリンク信号をサブフレーム番号がｉであるサブフレームにおいて送信する。ＵＥは、ＴＰＣコマンドを固定ダウンリンクサブフレームのみにおいて受信し、フレキシブルダウンリンクサブフレームは、ＴＰＣコマンドを伝達しないため、フレキシブルサブフレームがアップリンクサブフレームへ変化した後にＴＰＣコマンドが取得されることができないという問題が、回避される。このように、基地局がアップリンク信号を受信できないという問題は、解決され得る。また、ＴＰＣコマンドを送信することと、アップリンク信号を送信することとの間の時系列関係は、ＵＥが時系列関係に従って異なるアップリンクサブフレームにおいてＴＰＣコマンドを取得することができるように、この実施形態においてさらに定義される。
【０１８２】
図７は、本発明に係る基地局の実施形態２の概略構造図である。図７に示されるように、この実施形態における装置は、送信器４１と、受信器４２とを含む。送信器４１は、サブフレーム番号がｉ−ＫＵＬである固定ダウンリンクサブフレームにおいて、少なくとも１つのＴＰＣコマンドをユーザ機器ＵＥへ送るように構成され、それによって、ＵＥは、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定する。ここで、ＫＵＬの値は、ＴＤＤシステムのアップリンク−ダウンリンクサブフレーム構成から独立している。ＴＤＤシステムのアップリンク−ダウンリンクサブフレーム構成は、物理層シグナリングによって示されるＴＤＤアップリンク−ダウンリンク構成である。ここで、物理層シグナリングは、ＰＤＣＣＨ又はｅＰＤＣＣＨ（ｅｎｈａｎｃｅｄ  ＰＤＣＣＨ）上で伝達されるシグナリングである。
【０１８３】
少なくとも１つのＴＰＣコマンドは、フォーマットがＤＣＩ  ｆｏｒｍａｔ  ３／３Ａである物理ダウンリンク制御チャネルＰＤＣＣＨ上で伝達され、少なくとも１つのＴＰＣコマンドは、サブフレーム番号がｉであるアップリンクサブフレームにおいて送信されるアップリンク信号のＴＰＣコマンドを含む。ここで、異なるＴＰＣコマンドは、異なるアップリンクサブフレームにおいて送信されるアップリンク信号の送信電力を示すために使用される。
【０１８４】
受信器４２は、サブフレーム番号がｉであるサブフレームにおいて、ＵＥによって送信されるアップリンク信号を受信するように構成される。
【０１８５】
さらに、送信器４１は、
少なくとも１つの送信電力制御ＴＰＣコマンドが、サブフレーム番号がｉ−ＫＵＬである固定ダウンリンクサブフレームにおいてユーザ機器ＵＥへ送信される前に、第１のＴＰＣ−ＲＮＴＩ、第２のＴＰＣ−ＲＮＴＩ、及び第１の標識情報をＵＥへ送るようにさらに構成される。ここで、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される。また、送信器４１は、
サブフレーム番号がｉ−ＫＵＬである固定ダウンリンクサブフレームにおいて、第１のＰＤＣＣＨ及び／又は第２のＰＤＣＣＨをＵＥへ送信するように構成され、それによって、ＵＥが第１のＰＤＣＣＨ及び／又は第２のＰＤＣＣＨを受信した後、ＵＥは、第１のＰＤＣＣＨから第１のＴＰＣコマンドを取得し、及び／又は第２のＰＤＣＣＨから第２のＴＰＣコマンドを取得する。
【０１８６】
さらに、随意的に、送信器４１は、
少なくとも１つの送信電力制御ＴＰＣコマンドが、サブフレーム番号がｉ−ＫＵＬである固定ダウンリンクサブフレームにおいてユーザ機器ＵＥへ送信される前に、第１のＴＰＣインデックス、第２のＴＰＣインデックス、及び第２の標識情報をＵＥへ送るようにさらに構成される。ここで、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用される。また、送信器４１は、
サブフレーム番号がｉ−ＫＵＬである固定ダウンリンクサブフレームにおいて、第３のＰＤＣＣＨをＵＥへ送信するように構成され、それによって、ＵＥが第３のＰＤＣＣＨを受信した後、ＵＥは、第１のＴＰＣインデックスによって示されるロケーションから第１のＴＰＣコマンドを取得し、及び／又は、第２のＴＰＣインデックスによって示されるロケーションから第２のＴＰＣコマンドを取得する。
【０１８７】
前述の実施形態において、アップリンク信号が、ＰＵＳＣＨ、ＰＵＣＣＨ、又はＳＲＳである場合、ＫＵＬの値は、下記のケースを含む。
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４である。
【０１８８】
前述の実施形態において、アップリンク信号が、ＰＵＳＣＨ、ＰＵＣＣＨ、又はＳＲＳである場合、ＫＵＬの値は、下記のケースを含む。
ｉが２又は７である場合、ＫＵＬ＝６であり、ｉが３又は８である場合、ＫＵＬ＝７であり、ｉが４又は９である場合、ＫＵＬ＝４である。或いは、無線フレーム内のサブフレームｉのサブフレーム番号が２又は７である場合、ＫＵＬ＝６又はＫＵＬ＝７であり、ｉが３又は８である場合、ＫＵＬ＝７であり、ｉが４又は９である場合、ＫＵＬ＝４である。
【０１８９】
前述の実施形態において、アップリンク信号がＰＵＣＣＨである場合、ＫＵＬの値は、下記を含む。
ＰＵＣＣＨは、固定アップリンクサブフレームのみにおいて送信され、
ＫＵＬ＝６又はＫＵＬ＝７である。
【０１９０】
この実施形態における装置は、図２に示される方法実施形態における技術的解決策を実装するように構成され得る。装置実施形態の実装原理及び技術的効果は、方法実施形態の実装原理及び技術的効果と同様であり、詳細は、本明細書において繰り返し説明されない。
【０１９１】
この実施形態において提供される基地局によれば、送信器は、サブフレーム番号がｉ−ＫＵＬである固定ダウンリンクサブフレームにおいて、少なくとも１つの送信電力制御ＴＰＣコマンドをユーザ機器ＵＥへ送信し、それによって、ＵＥは、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームである。次いで、受信器は、サブフレーム番号がｉであるサブフレームにおいて、ＵＥによって送信されたアップリンク信号を受信する。基地局は、ＴＰＣコマンドを固定ダウンリンクサブフレームのみにおいて送信し、フレキシブルダウンリンクサブフレームは、ＴＰＣコマンドを伝達しないため、フレキシブルサブフレームがアップリンクサブフレームへ変化した後にＴＣＰコマンドが取得されることができないという問題が、回避される。このように、基地局がアップリンク信号を受信できないという問題が、解決され得る。また、ＴＰＣコマンドを送信することと、アップリンク信号を送信することとの間の時系列関係は、ＵＥが時系列関係に従って異なるアップリンクサブフレームにおいてＴＰＣコマンドを取得することができるように、この実施形態においてさらに定義される。
【０１９２】
本発明の実施形態において提供される通信システムは、図６に示されるユーザ機器と、図７に示される基地局とを含む。
【０１９３】
本発明において提供される幾つかの実施形態では、開示された装置及び方法が他の手法において実装されてもよいことが理解されるべきである。例えば、説明された装置実施形態は、例に過ぎない。例えば、ユニット分割は、論理的な機能分割に過ぎず、実際の実装においては他の分割であってもよい。例えば、複数のユニット又は複数のコンポーネントは、組み合わせられても、若しくは別のシステムへ統合されてもよく、又は、幾つかの特徴は、無視されても、若しくは実行されなくてもよい。また、表示若しくは議論された相互結合又は直接結合又は通信接続は、幾つかのインターフェースを通じて実装され得る。装置間又はユニット間の間接結合又は通信接続は、電気的形式、機械的形式、又は他の形式において実装され得る。
【０１９４】
別個の部分として説明されたユニットは、物理的に別個であっても、又は物理的に別個でなくてもよく、ユニットとして表示された部分は、物理的ユニットであっても、又は物理的ユニットでなくてもよく、１つの場所に位置しても、又は複数のネットワークユニット上に分散されてもよい。ユニットの一部又は全部は、実施形態の解決策の目的を達成するために、実際の必要性に従って選択され得る。
【０１９５】
また、本発明の実施形態における機能ユニットは、１つの処理ユニットに統合されてもよく、又はユニットの各々が、物理的に単独で存在してもよく、又は２つ以上のユニットが、１つのユニットに統合される。統合されたユニットは、ハードウェアの形式で実装されてもよく、又はソフトウェア機能ユニットに加えてハードウェアの形式で実装されてもよい。
【０１９６】
前述の統合されたユニットが、ソフトウェア機能ユニットの形式で実装される場合、当該統合されたユニットは、コンピュータ読取可能な記憶媒体に記憶され得る。ソフトウェア機能ユニットは、記憶媒体に記憶され、（パーソナルコンピュータ、サーバ、又はネットワークデバイスであり得る）コンピュータデバイス又はプロセッサに、本発明の実施形態において説明された方法のステップのうちの一部を実行するように命令するための幾つかの命令を含む。前述の記憶媒体は、ＵＳＢフラッシュドライブ、リムーバブルハードディスク、読み出し専用メモリ（Ｒｅａｄ−Ｏｎｌｙ  Ｍｅｍｏｒｙ：ＲＯＭ）、ランダムアクセスメモリ（Ｒａｎｄｏｍ  Ａｃｃｅｓｓ  Ｍｅｍｏｒｙ：ＲＡＭ）、磁気ディスク、又は光ディスクなどの、プログラムコードを記憶することができる任意の媒体を含む。
【０１９７】
便宜及び簡単な説明のために、前述の機能もモジュールの分割は例示のための例として見なされることが、当業者によって明確に理解され得る。実際の適用例において、前述の機能は、異なる機能モジュールに割り当てられ、要件に従って実装され得る。即ち、装置の内部構造は、上述された機能の全部又は一部を実装するために、異なる機能モジュールに分割される。前述の装置の詳細な作業工程については、前述の方法実施形態における対応する工程への参照がなされ得、詳細は、本明細書において繰り返し説明されない。
【０１９８】
最後に、留意すべきことは、前述の実施形態が本発明の技術的解決策を説明するために意図されたものに過ぎず、本発明を限定するために意図されたものではないことである。本発明は、前述の実施形態を参照しつつ、詳細に説明されているが、当業者であれば、本発明の実施形態の技術的解決策の範囲から逸脱することなく、前述の実施形態において説明された技術的解決策に対して変更を為し得ること、又は前述の実施形態の一部若しくは全部の技術的解決策に対して均等な置換を為し得ることを理解するはずである。
【図１】
2016525293.tif 000009
【図２】
2016525293.tif 000010
【図３】
2016525293.tif 000011
【図４】
2016525293.tif 000012
【図５】
2016525293.tif 000013
【図６】
2016525293.tif 000014
【図７】
2016525293.tif 000015
【手続補正書】
【提出日】平成28年1月14日(2016.1.14)
【手続補正１】
【補正対象書類名】明細書
【補正対象項目名】全文
【補正方法】変更
【補正の内容】
【発明の詳細な説明】
【技術分野】
【０００１】
本発明の実施形態は、通信技術の分野に関し、特に、ワイヤレス通信方法、装置、及びシステムに関する。
【背景技術】
【０００２】
ロングタームエボリューション（Ｌｏｎｇ  Ｔｅｒｍ  Ｅｖｏｌｕｔｉｏｎ：ＬＴＥ）システムは、時分割複信（Ｔｉｍｅ  Ｄｉｖｉｓｉｏｎ  Ｄｕｐｌｅｘｉｎｇ：ＴＤＤ）モードをサポートする。即ち、同じ周波数の異なるタイムスロットが、アップリンク及びダウンリンクのために使用される。様々なアップリンク−ダウンリンク非対称サービスの要件を満たすために、ＬＴＥ  ＴＤＤシステムにおいては、アップリンク−ダウンリンク構成（Ｕｐｌｉｎｋ−Ｄｏｗｎｌｉｎｋ  Ｃｏｎｆｉｇｕｒａｔｉｏｎ）が、サービスタイプに従って、半静的な手法で構成され得る。しかしながら、使用されるアップリンク−ダウンリンク構成は、半静的な手法で構成され、動的に変更されることができない。したがって、現在のアップリンク−ダウンリンク構成は、一時的なアップリンク及びダウンリンクサービス容量に一致しない。結果として、リソースは、有効に使用されることができない。この問題は、比較的少数のユーザを有するセルについて特に深刻である。従来技術においては、前述の問題を解決するために、動的なＴＤＤアップリンク−ダウンリンクサブフレーム構成の概念が導入されている。即ち、幾つかのフレキシブルサブフレーム（ｆｌｅｘｉｂｌｅ  ｓｕｂｆｒａｍｅ）が、無線フレームにおいて構成され、各フレキシブルサブフレームが、アップリンクサブフレーム又はダウンリンクサブフレームとして動的に構成され得る。
【０００３】
従来技術においては、アップリンク信号を送信する場合に、ユーザ機器（Ｕｓｅｒ  Ｅｑｕｉｐｍｅｎｔ：ＵＥ）は、アップリンク信号が基地局（Ｅｖｏｌｖｅｄ  Ｎｏｄｅ−Ｂ：ｅＮＢ）に到達した後に基地局の受信電力の要件を満たすように、基地局によって通知される送信電力制御コマンド（Ｔｒａｎｓｍｉｔ  Ｐｏｗｅｒ  Ｃｏｎｔｒｏｌ  Ｃｏｍｍａｎｄ：ＴＰＣコマンド）に従って、アップリンク信号の送信電力を設定する必要がある。基地局によって送信されるＴＰＣコマンドが、そのフォーマットがダウンリンク制御情報フォーマット３／３Ａ（Ｄｏｗｎｌｉｎｋ  Ｃｏｎｔｒｏｌ  Ｉｎｆｏｒｍａｔｉｏｎ  ｆｏｒｍａｔ  ３／３Ａ：ＤＣＩ  ｆｏｒｍａｔ  ３／３Ａ）である物理ダウンリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）上で伝達される場合、ＵＥは、いつでもアップリンク信号のＴＰＣコマンドを取得することはできず、標準によって予め定義された時系列関係に従ってのみ、アップリンク信号のＴＰＣコマンドを取得することができる。なぜなら、現在のところ、ＤＣＩ  ｆｏｒｍａｔ  ３／３Ａと、ＤＣＩ  ｆｏｒｍａｔ  ３／３Ａによって示されるアップリンク信号との間には、厳格な時系列関係が存在するからである。
【０００４】
したがって、動的なＴＤＤアップリンク−ダウンリンクサブフレーム構成が適用されるシナリオにおいては、ＤＣＩ  ｆｏｒｍａｔ  ３／３Ａを送信するサブフレームがアップリンクサブフレームとして動的に構成される場合、ＵＥは、アップリンク信号を送信するために必要とされるＴＰＣコマンドを取得することができない。結果として、基地局は、アップリンク信号を受信できない。
【発明の概要】
【発明が解決しようとする課題】
【０００５】
本発明の実施形態は、ワイヤレス通信方法、装置、及びシステムを提供して、動的なＴＤＤアップリンク−ダウンリンクサブフレーム構成が適用されるシナリオにおいて、基地局がアップリンク信号を受信できないという問題を解決する。
【課題を解決するための手段】
【０００６】
第１の態様によれば、本発明の実施形態は、ワイヤレス通信方法であって、
サブフレーム番号がｉ−ＫＵＬである固定ダウンリンクサブフレームにおいて、基地局によって送信される少なくとも１つの送信電力制御ＴＰＣコマンドを受信するステップであって、少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用される、受信するステップと、
サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するステップであって、サブフレーム番号がｉであるアップリンクサブフレームが、サブフレーム番号がｉ−ＫＵＬである固定ダウンリンクサブフレームの後に存在する（ＫＵＬ）番目のサブフレームであり、ＫＵＬの値が、時分割複信ＴＤＤシステムのアップリンク−ダウンリンクサブフレーム構成から独立している、判定するステップと、
送信電力に従って、サブフレーム番号がｉであるサブフレームにおいてアップリンク信号を送信するステップと、
を含む、ワイヤレス通信方法を提供する。
【０００７】
第１の態様の第１の取り得る実装手法では、サブフレーム番号がｉ−ＫＵＬである固定ダウンリンクサブフレームにおいて、基地局によって送信される少なくとも１つの送信電力制御ＴＰＣコマンドを受信するステップの前に、本方法が、
基地局によって送信される第１のＴＰＣ無線ネットワーク一時識別子ＴＰＣ−ＲＮＴＩ、第２のＴＰＣ−ＲＮＴＩ、及び第１の標識情報を受信するステップであって、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される、受信するステップ
をさらに含み、
サブフレーム番号がｉ−ＫＵＬである固定ダウンリンクサブフレームにおいて、基地局によって送信される少なくとも１つの送信電力制御ＴＰＣコマンドを受信するステップが、
サブフレーム番号がｉ−ＫＵＬである固定ダウンリンクサブフレームにおいて、基地局によって送信される第１のＰＤＣＣＨ及び／又は第２のＰＤＣＣＨを受信し、第１のＰＤＣＣＨから第１のＴＰＣコマンドを取得し、及び／又は第２のＰＤＣＣＨから第２のＴＰＣコマンドを取得するステップ
を含む。
【０００８】
第１の態様を参照すると、第１の態様の第２の取り得る実装手法では、サブフレーム番号がｉ−ＫＵＬである固定ダウンリンクサブフレームにおいて、基地局によって送信される少なくとも１つの送信電力制御ＴＰＣコマンドを受信するステップの前に、本方法が、
基地局によって送信される第１のＴＰＣインデックス、第２のＴＰＣインデックス、及び第２の標識情報を受信するステップであって、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用される、受信するステップ
をさらに含み、
サブフレーム番号がｉ−ＫＵＬである固定ダウンリンクサブフレームにおいて、基地局によって送信される少なくとも１つの送信電力制御ＴＰＣコマンドを受信するステップが、
サブフレーム番号がｉ−ＫＵＬである固定ダウンリンクサブフレームにおいて、基地局によって送信される第３のＰＤＣＣＨを受信し、第１のＴＰＣインデックスによって示されるロケーションから第１のＴＰＣコマンドを取得し、及び／又は第２のＴＰＣインデックスによって示されるロケーションから第２のＴＰＣコマンドを取得するステップ
を含む。
【０００９】
第１の態様から第１の態様の第２の取り得る実装手法のいずれか１つを参照すると、第１の態様の第３の取り得る実装手法において、アップリンク信号が、物理アップリンク共有チャネルＰＵＳＣＨ、物理アップリンク制御チャネルＰＵＣＣＨ、又はサウンディングリファレンス信号ＳＲＳである場合、ＫＵＬの値が、下記のケースを含む：
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４である。
【００１０】
第１の態様から第１の態様の第２の取り得る実装手法のいずれか１つを参照すると、第１の態様の第４の取り得る実装手法において、アップリンク信号が、ＰＵＳＣＨ、ＰＵＣＣＨ、又はＳＲＳである場合、ＫＵＬの値が、下記のケースを含む：
ｉが２又は７である場合、ＫＵＬ＝６であり、ｉが３又は８である場合、ＫＵＬ＝７であり、ｉが４又は９である場合、ＫＵＬ＝４である。
【００１１】
第１の態様の第３の取り得る実装手法及び第１の態様の第４の取り得る実装手法のどちらかを参照すると、第１の態様の第５の取り得る実装手法では、
アップリンク信号がＳＲＳである場合において、ＰＵＳＣＨが、サブフレーム番号がｉであるサブフレームにおいて送信されるとき、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するステップが、
各ＴＰＣコマンドに従って、サブフレーム番号がｉであるサブフレームにおけるＰＵＳＣＨの送信電力を判定するステップと、
サブフレーム番号がｉであるサブフレームにおけるＰＵＳＣＨの送信電力に従って、サブフレーム番号がｉであるサブフレームにおけるＳＲＳの送信電力を判定するステップと、
を含み、又は、
ＰＵＳＣＨが、サブフレーム番号がｉであるサブフレームにおいて送信されない場合、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するステップが、
各ＴＰＣコマンドに従って、サブフレーム番号がｉであるサブフレームにおけるＳＲＳの送信電力を判定するステップ
を含む。
【００１２】
第１の態様から第１の態様の第２の取り得る実装手法のいずれか１つを参照すると、第１の態様の第６の取り得る実装手法において、アップリンク信号がＰＵＣＣＨである場合、ＰＵＣＣＨが、固定アップリンクサブフレームのみにおいて送信され、ＫＵＬの値が、
ＫＵＬ＝６又はＫＵＬ＝７
を含む。
【００１３】
第２の態様によれば、本発明の実施形態は、ワイヤレス通信方法であって、
サブフレーム番号がｉ−ＫＵＬである固定ダウンリンクサブフレームにおいて、少なくとも１つの送信電力制御ＴＰＣコマンドをユーザ機器ＵＥへ送信するステップであって、それによって、ＵＥが、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定し、ＫＵＬの値が、時分割複信ＴＤＤシステムのアップリンク−ダウンリンクサブフレーム構成から独立しており、
少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用される、送信するステップと、
サブフレーム番号がｉであるサブフレームにおいて、ＵＥによって送信されるアップリンク信号を受信するステップと、
を含む、ワイヤレス通信方法を提供する。
【００１４】
第２の態様の第１の取り得る実装手法では、サブフレーム番号がｉ−ＫＵＬである固定ダウンリンクサブフレームにおいて、少なくとも１つの送信電力制御ＴＰＣコマンドをユーザ機器ＵＥへ送信するステップの前に、本方法が、
第１のＴＰＣ無線ネットワーク一時識別子ＴＰＣ−ＲＮＴＩ、第２のＴＰＣ−ＲＮＴＩ、及び第１の標識情報をＵＥへ送信するステップであって、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される、送信するステップ
をさらに含み、
サブフレーム番号がｉ−ＫＵＬである固定ダウンリンクサブフレームにおいて、少なくとも１つの送信電力制御ＴＰＣコマンドをユーザ機器ＵＥへ送信するステップが、
サブフレーム番号がｉ−ＫＵＬである固定ダウンリンクサブフレームにおいて、第１のＰＤＣＣＨ及び／又は第２のＰＤＣＣＨをＵＥへ送信するステップであって、それによって、ＵＥが第１のＰＤＣＣＨ及び／又は第２のＰＤＣＣＨを受信した後、ＵＥが、第１のＰＤＣＣＨから第１のＴＰＣコマンドを取得し、及び／又は第２のＰＤＣＣＨから第２のＴＰＣコマンドを取得する、送信するステップ
を含む。
【００１５】
第２の態様を参照すると、第２の態様の第２の取り得る実装手法では、サブフレーム番号がｉ−ＫＵＬである固定ダウンリンクサブフレームにおいて、少なくとも１つの送信電力制御ＴＰＣコマンドをユーザ機器ＵＥへ送信するステップの前に、本方法が、
第１のＴＰＣインデックス、第２のＴＰＣインデックス、及び第２の標識情報をＵＥへ送信するステップであって、第２の標識情報は、第１のＴＰＣインデックスが、フォーマットがＤＣＩ  ｆｏｒｍａｔ  ３／３Ａである第３のＰＤＣＣＨ上で第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上で第２のＴＰＣコマンドのロケーションを示すために使用されることを示すために使用される、送信するステップ
をさらに含み、
サブフレーム番号がｉ−ＫＵＬである固定ダウンリンクサブフレームにおいて、少なくとも１つの送信電力制御ＴＰＣコマンドをユーザ機器ＵＥへ送信するステップが、
サブフレーム番号がｉ−ＫＵＬである固定ダウンリンクサブフレームにおいて、第３のＰＤＣＣＨをＵＥへ送信するステップであって、それによって、ＵＥが第３のＰＤＣＣＨを受信した後、ＵＥが、第１のＴＰＣインデックスによって示されるロケーションから第１のＴＰＣコマンドを取得し、及び／又は、第２のＴＰＣインデックスによって示されるロケーションから第２のＴＰＣコマンドを取得する、送信するステップ
を含む。
【００１６】
第２の態様から第２の態様の第２の取り得る実装手法までのいずれか１つを参照すると、第２の態様の第３の取り得る実装手法において、
アップリンク信号が、物理アップリンク共有チャネルＰＵＳＣＨ、物理アップリンク制御チャネルＰＵＣＣＨ、又はサウンディングリファレンス信号ＳＲＳである場合、ＫＵＬの値が、下記のケースを含む：
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４である。
【００１７】
第２の態様から第２の態様の第２の取り得る実装手法までのいずれか１つを参照すると、第２の態様の第４の取り得る実装手法において、アップリンク信号が、ＰＵＳＣＨ、ＰＵＣＣＨ、又はＳＲＳである場合、ＫＵＬの値が、下記のケースを含む：
ｉが２又は７である場合、ＫＵＬ＝６であり、ｉが３又は８である場合、ＫＵＬ＝７であり、ｉが４又は９である場合、ＫＵＬ＝４である。
【００１８】
第２の態様から第２の態様の第２の取り得る実装手法までのいずれか１つを参照すると、第２の態様の第５の取り得る実装手法において、アップリンク信号がＰＵＣＣＨである場合、
ＰＵＣＣＨが、固定アップリンクサブフレームのみにおいて送信され、ＫＵＬの値が、
ＫＵＬ＝６又はＫＵＬ＝７
を含む。
【００１９】
第３の態様によれば、本発明の実施形態は、ユーザ機器であって、
サブフレーム番号がｉ−ＫＵＬである固定ダウンリンクサブフレームにおいて、基地局によって送信される少なくとも１つの送信電力制御ＴＰＣコマンドを受信するように構成された受信モジュールであって、少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用される、受信モジュールと、
サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するように構成された処理モジュールであって、サブフレーム番号がｉであるアップリンクサブフレームが、サブフレーム番号がｉ−ＫＵＬである固定ダウンリンクサブフレームの後に存在する（ＫＵＬ）番目のサブフレームであり、ＫＵＬの値が、時分割複信ＴＤＤシステムのアップリンク−ダウンリンクサブフレーム構成から独立している、処理モジュールと、
送信電力に従って、サブフレーム番号がｉであるサブフレームにおいてアップリンク信号を送信するように構成された送信モジュールと、
を含む、ユーザ機器を提供する。
【００２０】
第３の態様の第１の取り得る実装手法においては、受信モジュールが、
基地局によって送信される少なくとも１つの送信電力制御ＴＰＣコマンドが、サブフレーム番号がｉ−ＫＵＬである固定ダウンリンクサブフレームにおいて受信される前に、基地局によって送信される第１のＴＰＣ無線ネットワーク一時識別子ＴＰＣ−ＲＮＴＩ、第２のＴＰＣ−ＲＮＴＩ、及び第１の標識情報を受信するようにさらに構成され、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用され、
受信モジュールが、
サブフレーム番号がｉ−ＫＵＬである固定ダウンリンクサブフレームにおいて、基地局によって送信される第１のＰＤＣＣＨ及び／又は第２のＰＤＣＣＨを受信し、第１のＰＤＣＣＨから第１のＴＰＣコマンドを取得し、及び／又は第２のＰＤＣＣＨから第２のＴＰＣコマンドを取得する
ように構成される。
【００２１】
第３の態様を参照すると、第３の態様の第２の取り得る実装手法において、受信モジュールが、
基地局によって送信される少なくとも１つの送信電力制御ＴＰＣコマンドが、サブフレーム番号がｉ−ＫＵＬである固定ダウンリンクサブフレームにおいて受信される前に、基地局によって送信される第１のＴＰＣインデックス、第２のＴＰＣインデックス、及び第２の標識情報を受信するようにさらに構成され、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用され、
受信モジュールが、
サブフレーム番号がｉ−ＫＵＬである固定ダウンリンクサブフレームにおいて、基地局によって送信される第３のＰＤＣＣＨを受信し、第１のＴＰＣインデックスによって示されるロケーションから第１のＴＰＣコマンドを取得し、及び／又は第２のＴＰＣインデックスによって示されるロケーションから第２のＴＰＣコマンドを取得する
ように構成される。
【００２２】
第３の態様から第３の態様の第２の取り得る実装手法までのいずれか１つを参照すると、第３の態様の第３の取り得る実装手法において、アップリンク信号が、物理アップリンク共有チャネルＰＵＳＣＨ、物理アップリンク制御チャネルＰＵＣＣＨ、又はサウンディングリファレンス信号ＳＲＳである場合、ＫＵＬの値が、下記のケースを含む：
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４である。
【００２３】
第３の態様から第３の態様の第２の取り得る実装手法までのいずれか１つを参照すると、第３の態様の第４の取り得る実装手法において、アップリンク信号が、ＰＵＳＣＨ、ＰＵＣＣＨ、又はＳＲＳである場合、ＫＵＬの値が、下記のケースを含む：
ｉが２又は７である場合、ＫＵＬ＝６であり、ｉが３又は８である場合、ＫＵＬ＝７であり、ｉが４又は９である場合、ＫＵＬ＝４である。
【００２４】
第３の態様の第３の取り得る実装手法及び第３の態様の第４の取り得る実装手法のどちらかを参照すると、第３の態様の第５の取り得る実装手法では、アップリンク信号がＳＲＳである場合において、ＰＵＳＣＨが、サブフレーム番号がｉであるサブフレームにおいて送信されるとき、処理モジュールが、
各ＴＰＣコマンドに従って、サブフレーム番号がｉであるサブフレームにおけるＰＵＳＣＨの送信電力を判定し、
サブフレーム番号がｉであるサブフレームにおけるＰＵＳＣＨの送信電力に従って、サブフレーム番号がｉであるサブフレームにおけるＳＲＳの送信電力を判定する
ように構成され、又は、
ＰＵＳＣＨが、サブフレーム番号がｉであるサブフレームにおいて送信されない場合、処理モジュールが、
各ＴＰＣコマンドに従って、サブフレーム番号がｉであるサブフレームにおけるＳＲＳの送信電力を判定する
ように構成される。
【００２５】
第３の態様から第３の態様の第２の取り得る実装手法までのいずれか１つを参照すると、第３の態様の第６の取り得る実装手法において、アップリンク信号がＰＵＣＣＨである場合、ＰＵＣＣＨが、固定アップリンクサブフレームのみにおいて送信され、ＫＵＬの値が、
ＫＵＬ＝６又はＫＵＬ＝７
を含む。
【００２６】
第４の態様によれば、本発明の実施形態は、基地局であって、
サブフレーム番号がｉ−ＫＵＬである固定ダウンリンクサブフレームにおいて、少なくとも１つの送信電力制御ＴＰＣコマンドをユーザ機器ＵＥへ送信するように構成された送信モジュールであって、それによって、ＵＥが、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定し、ＫＵＬの値が、時分割複信ＴＤＤシステムのアップリンク−ダウンリンクサブフレーム構成から独立しており、
少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用される、送信モジュールと、
サブフレーム番号がｉであるサブフレームにおいて、ＵＥによって送信されるアップリンク信号を受信するように構成された受信モジュールと、
を含む、基地局を提供する。
【００２７】
第４の態様の第１の取り得る実装手法においては、送信モジュールが、
少なくとも１つの送信電力制御ＴＰＣコマンドが、ユーザ機器ＵＥへ、サブフレーム番号がｉ−ＫＵＬである固定ダウンリンクサブフレームにおいて送信される前に、第１のＴＰＣ無線ネットワーク一時識別子ＴＰＣ−ＲＮＴＩ、第２のＴＰＣ−ＲＮＴＩ、及び第１の標識情報をＵＥへ送信するようにさらに構成され、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用され、
送信モジュールが、
サブフレーム番号がｉ−ＫＵＬである固定ダウンリンクサブフレームにおいて、第１のＰＤＣＣＨ及び／又は第２のＰＤＣＣＨをＵＥへ送信するように構成され、それによって、ＵＥが第１のＰＤＣＣＨ及び／又は第２のＰＤＣＣＨを受信した後、ＵＥが、第１のＰＤＣＣＨから第１のＴＰＣコマンドを取得し、及び／又は第２のＰＤＣＣＨから第２のＴＰＣコマンドを取得する。
【００２８】
第４の態様を参照すると、第４の態様の第２の取り得る実装手法において、送信モジュールが、
少なくとも１つの送信電力制御ＴＰＣコマンドが、ユーザ機器ＵＥへ、サブフレーム番号がｉ−ＫＵＬである固定ダウンリンクサブフレームにおいて送信される前に、第１のＴＰＣインデックス、第２のＴＰＣインデックス、及び第２の標識情報をＵＥへ送信するようにさらに構成され、第２の標識情報は、第１のＴＰＣインデックスが、フォーマットがＤＣＩ  ｆｏｒｍａｔ  ３／３Ａである第３のＰＤＣＣＨ上で第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上で第２のＴＰＣコマンドのロケーションを示すために使用されることを示すために使用され、
送信モジュールが、
サブフレーム番号がｉ−ＫＵＬである固定ダウンリンクサブフレームにおいて、第３のＰＤＣＣＨをＵＥへ送信するように構成され、それによって、ＵＥが第３のＰＤＣＣＨを受信した後、ＵＥが、第１のＴＰＣインデックスによって示されるロケーションから第１のＴＰＣコマンドを取得し、及び／又は、第２のＴＰＣインデックスによって示されるロケーションから第２のＴＰＣコマンドを取得する。
【００２９】
第４の態様から第４の態様の第２の取り得る実装手法までを参照すると、第４の態様の第３の取り得る実装手法においては、アップリンク信号が、物理アップリンク共有チャネルＰＵＳＣＨ、物理アップリンク制御チャネルＰＵＣＣＨ、又はサウンディングリファレンス信号ＳＲＳである場合、ＫＵＬの値が、下記のケースを含む：
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４である。
【００３０】
第４の態様から第４の態様の第２の取り得る実装手法までを参照すると、第４の態様の第４の取り得る実装手法においては、アップリンク信号が、ＰＵＳＣＨ、ＰＵＣＣＨ、又はＳＲＳである場合、ＫＵＬの値が、下記のケースを含む：
ｉが２又は７である場合、ＫＵＬ＝６であり、ｉが３又は８である場合、ＫＵＬ＝７であり、ｉが４又は９である場合、ＫＵＬ＝４である。
【００３１】
第４の態様から第４の態様の第２の取り得る実装手法までを参照すると、第４の態様の第５の取り得る実装手法において、アップリンク信号がＰＵＣＣＨである場合、
ＰＵＣＣＨが、固定アップリンクサブフレームのみにおいて送信され、ＫＵＬの値が、
ＫＵＬ＝６又はＫＵＬ＝７
を含む。
【００３２】
第６の態様によれば、本発明の実施形態は、ワイヤレス通信方法であって、
サブフレーム番号がｉ−ＫＵＬである固定ダウンリンクサブフレームにおいて、基地局によって送信される少なくとも１つの送信電力制御ＴＰＣコマンドを受信するステップであって、少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用され、アップリンク信号が、物理アップリンク共有チャネルＰＵＳＣＨ又はサウンディングリファレンス信号ＳＲＳである、受信するステップと、
サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するステップであって、サブフレーム番号がｉであるアップリンクサブフレームが、サブフレーム番号がｉ−ＫＵＬである固定ダウンリンクサブフレームの後に存在する（ＫＵＬ）番目のサブフレームであり、ＫＵＬの値が、時分割複信ＴＤＤ構成０において定義される値である、判定するステップと、
送信電力に従って、サブフレーム番号がｉであるサブフレームにおいてアップリンク信号を送信するステップと、
を含む、ワイヤレス通信方法を提供する。
【００３３】
第６の態様の第１の取り得る実装手法においては、ＫＵＬの値が、時分割複信ＴＤＤ構成０において定義される値であることが、
ｉが２又は７である場合、ＫＵＬ＝６であり、ｉが３又は８である場合、ＫＵＬ＝８であり、ｉが４又は９である場合、ＫＵＬ＝４であること
を含む。
【００３４】
第６の態様又は第６の態様の第１の取り得る実装手法を参照すると、第６の態様の第２の取り得る実装手法では、サブフレーム番号がｉ−ＫＵＬである固定ダウンリンクサブフレームにおいて、基地局によって送信される少なくとも１つの送信電力制御ＴＰＣコマンドを受信するステップの前に、本方法が、
基地局によって送信される第１のＴＰＣ無線ネットワーク一時識別子ＴＰＣ−ＲＮＴＩ、第２のＴＰＣ−ＲＮＴＩ、及び第１の標識情報を受信するステップであって、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される、受信するステップ
をさらに含み、
サブフレーム番号がｉ−ＫＵＬである固定ダウンリンクサブフレームにおいて、基地局によって送信される少なくとも１つの送信電力制御ＴＰＣコマンドを受信するステップが、
サブフレーム番号がｉ−ＫＵＬである固定ダウンリンクサブフレームにおいて、基地局によって送信される第１のＰＤＣＣＨ及び／又は第２のＰＤＣＣＨを受信し、第１のＰＤＣＣＨから第１のＴＰＣコマンドを取得し、及び／又は第２のＰＤＣＣＨから第２のＴＰＣコマンドを取得するステップ
を含む。
【００３５】
第６の態様又は第６の態様の第１の取り得る実装手法を参照すると、第６の態様の第３の取り得る実装手法では、サブフレーム番号がｉ−ＫＵＬである固定ダウンリンクサブフレームにおいて、基地局によって送信される少なくとも１つの送信電力制御ＴＰＣコマンドを受信するステップの前に、本方法が、
基地局によって送信される第１のＴＰＣインデックス、第２のＴＰＣインデックス、及び第２の標識情報を受信するステップであって、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用される、受信するステップ
をさらに含み、
サブフレーム番号がｉ−ＫＵＬである固定ダウンリンクサブフレームにおいて、基地局によって送信される少なくとも１つの送信電力制御ＴＰＣコマンドを受信するステップが、
サブフレーム番号がｉ−ＫＵＬである固定ダウンリンクサブフレームにおいて、基地局によって送信される第３のＰＤＣＣＨを受信し、第１のＴＰＣインデックスによって示されるロケーションから第１のＴＰＣコマンドを取得し、及び／又は第２のＴＰＣインデックスによって示されるロケーションから第２のＴＰＣコマンドを取得するステップ
を含む。
【００３６】
第６の態様から第６の態様の第３の取り得る実装手法までのいずれか１つを参照すると、第６の態様の第４の取り得る実装手法では、アップリンク信号がＳＲＳである場合において、ＰＵＳＣＨが、サブフレーム番号がｉであるサブフレームにおいて送信されるとき、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するステップが、
各ＴＰＣコマンドに従って、サブフレーム番号がｉであるサブフレームにおけるＰＵＳＣＨの送信電力を判定するステップと、
サブフレーム番号がｉであるサブフレームにおけるＰＵＳＣＨの送信電力に従って、サブフレーム番号がｉであるサブフレームにおけるＳＲＳの送信電力を判定するステップと、
を含み、又は、
ＰＵＳＣＨが、サブフレーム番号がｉであるサブフレームにおいて送信されない場合、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するステップが、
各ＴＰＣコマンドに従って、サブフレーム番号がｉであるサブフレームにおけるＳＲＳの送信電力を判定するステップ
を含む。
【００３７】
第７の態様によれば、本発明の実施形態は、ワイヤレス通信方法であって、
サブフレーム番号がｉ−ＫＵＬである固定ダウンリンクサブフレームにおいて、少なくとも１つの送信電力制御ＴＰＣコマンドをユーザ機器ＵＥへ送信するステップであって、それによって、ＵＥが、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定し、ＫＵＬの値が、時分割複信ＴＤＤ構成０において定義される値であり、アップリンク信号が、物理アップリンク共有チャネルＰＵＳＣＨ又はサウンディングリファレンス信号ＳＲＳであり、
少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用される、送信するステップと、
サブフレーム番号がｉであるサブフレームにおいて、ＵＥによって送信されるアップリンク信号を受信するステップと、
を含む、ワイヤレス通信方法を提供する。
【００３８】
第７の態様の第１の取り得る実装手法においては、ＫＵＬの値が、時分割複信ＴＤＤ構成０において定義される値であることが、
ｉが２又は７である場合、ＫＵＬ＝６であり、ｉが３又は８である場合、ＫＵＬ＝８であり、ｉが４又は９である場合、ＫＵＬ＝４であること
を含む。
【００３９】
第７の態様又は第７の態様の第１の取り得る実装手法を参照すると、第７の態様の第２の取り得る実装手法では、サブフレーム番号がｉ−ＫＵＬである固定ダウンリンクサブフレームにおいて、少なくとも１つの送信電力制御ＴＰＣコマンドをユーザ機器ＵＥへ送信するステップの前に、本方法が、
第１のＴＰＣ無線ネットワーク一時識別子ＴＰＣ−ＲＮＴＩ、第２のＴＰＣ−ＲＮＴＩ、及び第１の標識情報をＵＥへ送信するステップであって、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される、送信するステップ
をさらに含み、
サブフレーム番号がｉ−ＫＵＬである固定ダウンリンクサブフレームにおいて、少なくとも１つの送信電力制御ＴＰＣコマンドをユーザ機器ＵＥへ送信するステップが、
サブフレーム番号がｉ−ＫＵＬである固定ダウンリンクサブフレームにおいて、第１のＰＤＣＣＨ及び／又は第２のＰＤＣＣＨをＵＥへ送信するステップであって、それによって、ＵＥが第１のＰＤＣＣＨ及び／又は第２のＰＤＣＣＨを受信した後、ＵＥが、第１のＰＤＣＣＨから第１のＴＰＣコマンドを取得し、及び／又は第２のＰＤＣＣＨから第２のＴＰＣコマンドを取得する、送信するステップ
を含む。
【００４０】
第７の態様又は第７の態様の第１の取り得る実装手法を参照すると、第７の態様の第３の取り得る実装手法では、サブフレーム番号がｉ−ＫＵＬである固定ダウンリンクサブフレームにおいて、少なくとも１つの送信電力制御ＴＰＣコマンドをユーザ機器ＵＥへ送信するステップの前に、本方法が、
第１のＴＰＣインデックス、第２のＴＰＣインデックス、及び第２の標識情報をＵＥへ送信するステップであって、第２の標識情報は、第１のＴＰＣインデックスが、フォーマットがＤＣＩ  ｆｏｒｍａｔ  ３／３Ａである第３のＰＤＣＣＨ上で第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上で第２のＴＰＣコマンドのロケーションを示すために使用されることを示すために使用される、送信するステップ
をさらに含み、
サブフレーム番号がｉ−ＫＵＬである固定ダウンリンクサブフレームにおいて、少なくとも１つの送信電力制御ＴＰＣコマンドをユーザ機器ＵＥへ送信するステップが、
サブフレーム番号がｉ−ＫＵＬである固定ダウンリンクサブフレームにおいて、第３のＰＤＣＣＨをＵＥへ送信するステップであって、それによって、ＵＥが第３のＰＤＣＣＨを受信した後、ＵＥが、第１のＴＰＣインデックスによって示されるロケーションから第１のＴＰＣコマンドを取得し、及び／又は、第２のＴＰＣインデックスによって示されるロケーションから第２のＴＰＣコマンドを取得する、送信するステップ
を含む。
【００４１】
第８の態様によれば、本発明の実施形態は、ユーザ機器であって、
サブフレーム番号がｉ−ＫＵＬである固定ダウンリンクサブフレームにおいて、基地局によって送信される少なくとも１つの送信電力制御ＴＰＣコマンドを受信するように構成された受信モジュールであって、少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用され、アップリンク信号が、物理アップリンク共有チャネルＰＵＳＣＨ又はサウンディングリファレンス信号ＳＲＳである、受信モジュールと、
サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するように構成された処理モジュールであって、サブフレーム番号がｉであるアップリンクサブフレームが、サブフレーム番号がｉ−ＫＵＬである固定ダウンリンクサブフレームの後に存在する（ＫＵＬ）番目のサブフレームであり、ＫＵＬの値が、時分割複信ＴＤＤ構成０において定義される値である、処理モジュールと、
送信電力に従って、サブフレーム番号がｉであるサブフレームにおいてアップリンク信号を送信するように構成された送信モジュールと、
を含む、ユーザ機器を提供する。
【００４２】
第８の態様の第１の取り得る実装手法においては、ＫＵＬの値が、時分割複信ＴＤＤ構成０において定義される値であることが、
ｉが２又は７である場合、ＫＵＬ＝６であり、ｉが３又は８である場合、ＫＵＬ＝８であり、ｉが４又は９である場合、ＫＵＬ＝４であること
を含む。
【００４３】
第８の態様又は第８の態様の第１の取り得る実装手法を参照すると、第８の態様の第２の取り得る実装手法においては、受信モジュールが、基地局によって送信される少なくとも１つの送信電力制御ＴＰＣコマンドが、サブフレーム番号がｉ−ＫＵＬである固定ダウンリンクサブフレームにおいて受信される前に、基地局によって送信される第１のＴＰＣ無線ネットワーク一時識別子ＴＰＣ−ＲＮＴＩ、第２のＴＰＣ−ＲＮＴＩ、及び第１の標識情報を受信するようにさらに構成され、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用され、
受信モジュールが、
サブフレーム番号がｉ−ＫＵＬである固定ダウンリンクサブフレームにおいて、基地局によって送信される第１のＰＤＣＣＨ及び／又は第２のＰＤＣＣＨを受信し、第１のＰＤＣＣＨから第１のＴＰＣコマンドを取得し、及び／又は第２のＰＤＣＣＨから第２のＴＰＣコマンドを取得する
ように構成される。
【００４４】
第８の態様又は第８の態様の第１の取り得る実装手法を参照すると、第８の態様の第３の取り得る実装手法においては、受信モジュールが、基地局によって送信される少なくとも１つの送信電力制御ＴＰＣコマンドが、サブフレーム番号がｉ−ＫＵＬである固定ダウンリンクサブフレームにおいて受信される前に、基地局によって送信される第１のＴＰＣインデックス、第２のＴＰＣインデックス、及び第２の標識情報を受信するようにさらに構成され、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用され、
受信モジュールが、
サブフレーム番号がｉ−ＫＵＬである固定ダウンリンクサブフレームにおいて、基地局によって送信される第３のＰＤＣＣＨを受信し、第１のＴＰＣインデックスによって示されるロケーションから第１のＴＰＣコマンドを取得し、及び／又は第２のＴＰＣインデックスによって示されるロケーションから第２のＴＰＣコマンドを取得する
ように構成される。
【００４５】
第８の態様から第８の態様の第３の取り得る実装手法までのいずれか１つを参照すると、第８の態様の第４の取り得る実装手法では、アップリンク信号がＳＲＳである場合において、ＰＵＳＣＨが、サブフレーム番号がｉであるサブフレームにおいて送信されるとき、サブフレーム番号がｉであるアップリンクサブフレームにおいて送信されるアップリンク信号のＴＰＣコマンドに従って、処理モジュールが、
各ＴＰＣコマンドに従って、サブフレーム番号がｉであるサブフレームにおけるＰＵＳＣＨの送信電力を判定し、
サブフレーム番号がｉであるサブフレームにおけるＰＵＳＣＨの送信電力に従って、サブフレーム番号がｉであるサブフレームにおけるＳＲＳの送信電力を判定する
ように構成され、又は、
ＰＵＳＣＨが、サブフレーム番号がｉであるサブフレームにおいて送信されない場合、処理モジュールが、
各ＴＰＣコマンドに従って、サブフレーム番号がｉであるサブフレームにおけるＳＲＳの送信電力を判定する
ように構成される。
【００４６】
第９の態様によれば、本発明の実施形態は、基地局であって、
サブフレーム番号がｉ−ＫＵＬである固定ダウンリンクサブフレームにおいて、少なくとも１つの送信電力制御ＴＰＣコマンドをユーザ機器ＵＥへ送信するように構成された送信モジュールであって、それによって、ＵＥが、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定し、ＫＵＬの値が、時分割複信ＴＤＤ構成０において定義される値であり、アップリンク信号が、物理アップリンク共有チャネルＰＵＳＣＨ又はサウンディングリファレンス信号ＳＲＳであり、
少なくとも１つのＴＰＣコマンドが、フォーマットがダウンリンク制御情報フォーマットＤＣＩ  ｆｏｒｍａｔ  ３／３Ａである物理ダウンリンク制御チャネルＰＤＣＣＨ上で伝達され、少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用される、送信モジュールと、
サブフレーム番号がｉであるサブフレームにおいて、ＵＥによって送信されるアップリンク信号を受信するように構成された受信モジュールと、
を含む、基地局を提供する。
【００４７】
第９の態様の第１の取り得る実装手法においては、ＫＵＬの値が、時分割複信ＴＤＤ構成０において定義される値であることが、
ｉが２又は７である場合、ＫＵＬ＝６であり、ｉが３又は８である場合、ＫＵＬ＝８であり、ｉが４又は９である場合、ＫＵＬ＝４であること
を含む。
【００４８】
第９の態様又は第９の態様の第１の取り得る実装手法を参照すると、第９の態様の第２の取り得る実装手法においては、送信モジュールが、
少なくとも１つの送信電力制御ＴＰＣコマンドが、ユーザ機器ＵＥへ、サブフレーム番号がｉ−ＫＵＬである固定ダウンリンクサブフレームにおいて送信される前に、第１のＴＰＣ無線ネットワーク一時識別子ＴＰＣ−ＲＮＴＩ、第２のＴＰＣ−ＲＮＴＩ、及び第１の標識情報をＵＥへ送信するようにさらに構成され、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用され、
送信モジュールが、
サブフレーム番号がｉ−ＫＵＬである固定ダウンリンクサブフレームにおいて、第１のＰＤＣＣＨ及び／又は第２のＰＤＣＣＨをＵＥへ送信するように構成され、それによって、ＵＥが第１のＰＤＣＣＨ及び／又は第２のＰＤＣＣＨを受信した後、ＵＥが、第１のＰＤＣＣＨから第１のＴＰＣコマンドを取得し、及び／又は第２のＰＤＣＣＨから第２のＴＰＣコマンドを取得する。
【００４９】
第９の態様又は第９の態様の第１の取り得る実装手法を参照すると、第９の態様の第３の取り得る実装手法においては、送信モジュールが、
少なくとも１つの送信電力制御ＴＰＣコマンドが、ユーザ機器ＵＥへ、サブフレーム番号がｉ−ＫＵＬである固定ダウンリンクサブフレームにおいて送信される前に、第１のＴＰＣインデックス、第２のＴＰＣインデックス、及び第２の標識情報をＵＥへ送信するようにさらに構成され、第２の標識情報は、第１のＴＰＣインデックスが、フォーマットがＤＣＩ  ｆｏｒｍａｔ  ３／３Ａである第３のＰＤＣＣＨ上で第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上で第２のＴＰＣコマンドのロケーションを示すために使用されることを示すために使用され、
送信モジュールが、
サブフレーム番号がｉ−ＫＵＬである固定ダウンリンクサブフレームにおいて、第３のＰＤＣＣＨをＵＥへ送信するように構成され、それによって、ＵＥが第３のＰＤＣＣＨを受信した後、ＵＥが、第１のＴＰＣインデックスによって示されるロケーションから第１のＴＰＣコマンドを取得し、及び／又は、第２のＴＰＣインデックスによって示されるロケーションから第２のＴＰＣコマンドを取得する。
【００５０】
第１０の態様によれば、本発明の実施形態は、第８の態様から第８の態様の第４の取り得る実装手法までのいずれか１つに係るユーザ機器と、第９の態様から第９の態様の第３の取り得る実装手法までのいずれか１つに係る基地局とを含む、通信システムを提供する。
【００５１】
本発明の実施形態において提供されるワイヤレス通信方法、装置、及びシステムによれば、ＵＥは、サブフレーム番号がｉ−ＫＵＬである固定ダウンリンクサブフレームにおいて、基地局によって送信される少なくとも１つのＴＰＣコマンドを受信し、ここで、ＴＰＣコマンドは、フォーマットがＤＣＩ  ｆｏｒｍａｔ  ３／３ＡであるＰＤＣＣＨ上で伝達される。次に、ＵＥは、各ＴＰＣコマンドに従って、各ＴＰＣコマンドに対応する、サブフレーム番号がｉであるサブフレームにおいて、アップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームである。最後に、ＵＥは、各アップリンク信号の送信電力に従って、対応する各アップリンク信号を、サブフレーム番号がｉであるサブフレームにおいて送信する。ＵＥは、ＴＰＣコマンドを固定ダウンリンクサブフレームのみにおいて受信し、フレキシブルダウンリンクサブフレームは、ＴＰＣコマンドを伝達しないため、フレキシブルサブフレームがアップリンクサブフレームへ変化した後にＴＰＣコマンドが取得されることができないという問題が、回避される。このように、基地局がアップリンク信号を受信できないという問題が、解決され得る。また、ＴＰＣコマンドを送信することと、アップリンク信号を送信することとの間の時系列関係は、ＵＥが時系列関係に従って異なるアップリンクサブフレームにおいてＴＰＣコマンドを取得することができるように、実施形態においてさらに定義される。
【００５２】
本発明の実施形態又は従来技術における技術的解決策をより明確に説明するために、下記は、実施形態又は従来技術を説明するために必要とされる添付の図面を簡単に紹介する。明らかに、下記の説明における添付の図面は、本発明の幾つかの実施形態を示しており、当業者であれば、創造的な努力なく、これらの添付の図面から他の図面を導き得る。
【図面の簡単な説明】
【００５３】
【図１】本発明に係るワイヤレス通信方法の実施形態１のフローチャートである。
【図２】本発明に係るワイヤレス通信方法の実施形態２のフローチャートである。
【図３】本発明に係るワイヤレス通信方法の実施形態３のフローチャートである。
【図４】本発明に係るユーザ機器の実施形態１の概略構造図である。
【図５】本発明に係る基地局の実施形態１の概略構造図である。
【図６】本発明に係るユーザ機器の実施形態２の概略構造図である。
【図７】本発明に係る基地局の実施形態２の概略構造図である。
【発明を実施するための形態】
【００５４】
本発明の実施形態の目的、技術的解決策、及び利点をより明確にするために、下記は、本発明の実施形態において、添付の図面を参照しつつ、本発明の実施形態における解決策を明確且つ完全に説明する。明らかに、説明される実施形態は、本発明の実施形態の一部であって、全部ではない。創造的な努力なく、本発明の実施形態に基づいて、当業者によって得られる他の全ての実施形態は、本発明の保護範囲内に収まるべきものである。
【００５５】
本発明の実施形態において、まず留意すべきことは、システムにおける時間ドメインが無線フレームを含むこと、及び無線フレームがシステムフレーム番号によって識別されることである。システムにおいて、サブフレームは、各無線フレームにおけるシステムフレーム番号及びサブフレーム番号によって識別される。
【００５６】
現在のＴＤＤシステムは、７つのアップリンク−ダウンリンクサブフレーム構成をサポートする。下記の表１に記載されるように、「Ｄ」は、ダウンリンクサブフレームを表し、「Ｕ」は、アップリンクサブフレームを表し、「Ｓ」は、特殊サブフレームを表し、ここで、「Ｓ」は、主にダウンリンク送信について使用される。エボリューションバージョン（例えば、ＬＴＥリリース１２及びそれ以降のバージョン）をサポートするＵＥの場合、システムは、ＵＥに、異なるアップリンク−ダウンリンクサブフレーム構成を動的に通知することができる。この異なるアップリンク−ダウンリンクサブフレーム構成は、７つの既存の構成であっても、又は新たに追加されるアップリンク−ダウンリンクサブフレーム構成であってもよい。
【００５７】
【表１】
2016525293.tif 000016
【００５８】
さらに留意すべきことは、本発明の実施形態における固定サブフレームが、そのサブフレーム属性が変更されないままであるサブフレーム、即ち、そのサブフレーム属性がアップリンク−ダウンリンク構成と共に変わらないサブフレームを指すことである。固定サブフレームは、常に、アップリンクサブフレーム、ダウンリンクサブフレーム、又は特殊サブフレームであり、それぞれ固定アップリンクサブフレーム、固定ダウンリンクサブフレーム、及び固定特殊サブフレームと称される。本発明の実施形態におけるフレキシブルサブフレームは、そのサブフレーム属性が動的に変更され得るサブフレームを指し、フレキシブルサブフレームは、アップリンクサブフレーム、ダウンリンクサブフレーム、特殊サブフレーム、及びヌルサブフレームのうちの少なくとも２つとして構成され得る。例えば、フレキシブルサブフレームは、アップリンクサブフレーム若しくはダウンリンクサブフレームとして動的に構成され得るサブフレームを指し、又はフレキシブルサブフレームは、アップリンクサブフレーム、ダウンリンクサブフレーム、若しくは特殊サブフレームとして動的に構成され得るサブフレームを指す。ヌルサブフレームは、アップリンクデータもダウンリンクデータも送信しないサブフレームを指す。アップリンクサブフレームとして構成されるフレキシブルサブフレームは、フレキシブルアップリンクサブフレームと称され、ダウンリンクサブフレームとして構成されるフレキシブルサブフレームは、フレキシブルダウンリンクサブフレームと称され、特殊サブフレームとして構成されるフレキシブルサブフレームは、フレキシブル特殊サブフレームと称され、ヌルサブフレームとして構成されるフレキシブルサブフレームは、フレキシブルヌルサブフレームと称される。
【００５９】
本発明において、固定サブフレーム及びフレキシブルサブフレームは、既存バージョンのシステム及び進化型バージョンのシステムによってサポートされるアップリンク−ダウンリンクサブフレーム構成に従って判定され得る。例えば、既存システムと進化型システムとの双方が、前述の表１における７つのアップリンク−ダウンリンク構成のみをサポートする場合、サブフレーム０、１、２、及び５は、固定サブフレームとして使用され、サブフレーム３、４、６、７、８、及び９は、フレキシブルサブフレームとして使用され得る。既存システムと進化型システムとの双方が、４つのアップリンク−ダウンリンクサブフレーム構成０、１、２、及び６のみをサポートする場合、サブフレーム０、１、２、５、６、及び７は、固定サブフレームとして使用され、サブフレーム３、４、８、及び９は、フレキシブルサブフレームとして使用され得る。留意すべきことは、特殊サブフレームが、主に、ダウンリンク送信のために使用されることである。したがって、特殊サブフレームは、ダウンリンクサブフレームとしても使用され得る。このように、既存システムと進化型システムとの双方が、ＵＥに、７つの構成のうちの１つを通知する場合、サブフレーム０、１、２、５、及び６は、固定サブフレームとして使用され、サブフレーム３、４、７、８、及び９は、フレキシブルサブフレームとして使用され得る。また、プライマリセル（Ｐｒｉｍａｒｙ  ｃｅｌｌ：ＰＣｅｌｌ）の場合、ＳＩＢ１（第１のシステム情報ブロック、Ｓｙｓｔｅｍ  Ｉｎｆｏｒｍａｔｉｏｎ  Ｂｌｏｃｋ  １）において示されるダウンリンクサブフレーム又は特殊サブフレームは、アップリンクサブフレームへ変更されることができない。したがって、ＳＩＢ１によって示されるダウンリンクサブフレーム又は特殊サブフレームは、固定ダウンリンクサブフレームと称され得る。セカンダリセル（Ｓｅｃｏｎｄａｒｙ  Ｃｅｌｌ：ＳＣｅｌｌ）の場合、ＲａｄｉｏＲｅｓｏｕｒｃｅＣｏｎｆｉｇＣｏｍｍｏｎＳＣｅｌｌ  ＩＥ（無線リソース構成共通ＳＣｅｌｌ情報要素）において示されるダウンリンクサブフレーム又は特殊サブフレームは、アップリンクサブフレームへ変更されることができない。したがって、ＲａｄｉｏＲｅｓｏｕｒｃｅＣｏｎｆｉｇＣｏｍｍｏｎＳＣｅｌｌ  ＩＥによって示されるダウンリンクサブフレーム又は特殊サブフレームは、固定ダウンリンクサブフレームと称され得る。
【００６０】
図１は、本発明に係るワイヤレス通信方法の実施形態１のフローチャートである。この実施形態においては、本方法がＵＥによって実行される例が、説明のために使用される。図１に示されるように、この実施形態における本方法は、下記を含み得る。
【００６１】
Ｓ１０１：ＵＥは、サブフレーム番号がｉ−ＫＵＬである固定ダウンリンクサブフレームにおいて、基地局によって送信された少なくとも１つのＴＰＣコマンドを受信する。ここで、少なくとも１つのＴＰＣコマンドは、フォーマットがＤＣＩ  ｆｏｒｍａｔ  ３／３ＡであるＰＤＣＣＨ上で伝達され、少なくとも１つのＴＰＣコマンドは、サブフレーム番号がｉであるアップリンクサブフレームにおいて送信されるアップリンク信号のＴＰＣコマンドを含む。ここで、異なるＴＰＣコマンドは、異なるアップリンクサブフレームにおいて送信されるアップリンク信号の送信電力を示すために使用される。
【００６２】
具体的には、ＵＥは、ＴＰＣコマンドを、サブフレーム番号がｉ−ＫＵＬである固定ダウンリンクサブフレームのみにおいて受信する。即ち、フレキシブルダウンリンクサブフレームは、ＴＰＣコマンドを伝達しない。したがって、フレキシブルサブフレームがアップリンクサブフレームへ変化した後にＴＰＣコマンドが取得されることができないという問題は、回避される。しかしながら、フレキシブルサブフレームは、アップリンクサブフレームとして構成され得るため、固定ダウンリンクサブフレームの数は、全ての考え得るアップリンクサブフレーム（固定アップリンクサブフレームと、アップリンクサブフレームとして構成され得るフレキシブルサブフレームとを含む）の数よりも少ない。このように、１つの固定ダウンリンクサブフレームが、複数のアップリンクサブフレームについてのＴＰＣコマンドを伝達する必要があり得る。本発明のこの実施形態において提供される時系列関係では、１つの固定ダウンリンクサブフレームは、２つのフレキシブルアップリンクサブフレームについてのＴＰＣコマンドを伝達する必要があり得、又は１つの固定ダウンリンクサブフレームは、１つのフレキシブルアップリンクサブフレームについてのＴＰＣコマンドと、１つの固定アップリンクサブフレームについてのＴＰＣコマンドとを伝達する必要があり得る。１つの固定ダウンリンクサブフレームが、２つのフレキシブルアップリンクサブフレームについてのＴＰＣコマンドを伝達する必要がある場合、又は１つの固定ダウンリンクサブフレームが、１つのフレキシブルアップリンクサブフレームについてのＴＰＣコマンドと、１つの固定アップリンクサブフレームについてのＴＰＣコマンドとを伝達する必要があり得る場合、本発明のこの実施形態においては、２つの取り得る実装手法が存在する。
【００６３】
取り得る実装手法において、Ｓ１０１の前に、本方法は、下記をさらに含む。
【００６４】
Ｓ１０４ａ：ＵＥは、基地局によって送信される第１のＴＰＣ無線ネットワーク一時識別子（ＴＰＣ−Ｒａｄｉｏ  Ｎｅｔｗｏｒｋ  Ｔｅｍｐｏｒａｒｙ  Ｉｄｅｎｔｉｆｉｅｒ：ＴＰＣ−ＲＮＴＩ）、第２のＴＰＣ−ＲＮＴＩ、及び第１の標識情報を受信する。ここで、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される。
【００６５】
第１のＴＰＣコマンド及び第２のＴＰＣコマンドは、ＵＥによって、異なるサブフレームにおけるアップリンク信号の送信電力を判定するために使用される。例えば、第１のＴＰＣコマンドは、ＵＥによって、サブフレームｉにおけるアップリンク信号の送信電力を判定するために使用され、第２のＴＰＣコマンドは、ＵＥによって、サブフレームｊにおけるアップリンク信号の送信電力を判定するために使用される。ここで、サブフレームｉとサブフレームｊとは、異なっており、サブフレームｊにおけるアップリンク信号のタイプは、サブフレームｉにおけるアップリンク信号のタイプとは異なり得る。例えば、サブフレームｊにおけるアップリンク信号は、サウンディングリファレンス信号（Ｓｏｕｎｄｉｎｇ  ｒｅｆｅｒｅｎｃｅ  ｓｉｇｎａｌｓ：ＳＲＳ）であり、サブフレームｉにおけるアップリンク信号は、物理アップリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）である。
【００６６】
基地局によって構成される第１のＴＰＣ−ＲＮＴＩと第２のＴＰＣ−ＲＮＴＩとが同じである場合、第１のＴＰＣコマンド及び第２のＴＰＣコマンドは、同じＴＰＣコマンドとして構成され得る。そのような構成の場合、１つのＴＰＣコマンドは、２つのフレキシブルアップリンクサブフレームにおけるアップリンク信号の送信電力を示すために使用され得る。したがって、制御シグナリングオーバーヘッドが低減され得る。
【００６７】
この場合、Ｓ１０１は、具体的には、下記の通りである。
【００６８】
Ｓ１０１ａ：ＵＥは、サブフレーム番号がｉ−ＫＵＬである固定ダウンリンクサブフレームにおいて、基地局によって送信される第１のＰＤＣＣＨ及び／又は第２のＰＤＣＣＨを受信し、第１のＰＤＣＣＨから第１のＴＰＣコマンドを取得し、及び／又は第２のＰＤＣＣＨから第２のＴＰＣコマンドを取得する。
【００６９】
具体的には、例えば、サブフレーム番号がｉ−ＫＵＬである固定ダウンリンクサブフレームにおいて、ＵＥは、第１のＴＰＣ−ＲＮＴＩを使用して、全ての考え得るＰＤＣＣＨをデスクランブルし、次いで、復号を実行する。巡回冗長検査（Ｃｙｃｌｉｃ  Ｒｅｄｕｎｄａｎｃｙ  Ｃｈｅｃｋ：ＣＲＣ）を通過するＰＤＣＣＨは、第１のＴＰＣ−ＲＮＴＩによってスクランブルされ、フォーマットがＤＣＩ  ｆｏｒｍａｔ  ３／３Ａである第１のＰＤＣＣＨである。次いで、第１のＴＰＣコマンドが、第１のＰＤＣＣＨから取得される。
【００７０】
取り得る実装手法において、Ｓ１０１の前に、本方法は、下記をさらに含む。
【００７１】
Ｓ１０４ｂ：ＵＥは、基地局によって送信される第１のＴＰＣインデックス、第２のＴＰＣインデックス、及び第２の標識情報を受信する。ここで、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用される。
【００７２】
複数のアップリンクサブフレームについてのＴＰＣコマンドが、同じ固定ダウンリンクサブフレームにおいて発生した後、基地局は、複数のＴＰＣインデックスを構成し得る。複数のＴＰＣインデックスは、複数のアップリンクサブフレームについてのＴＰＣコマンドと１対１の対応関係にある。
【００７３】
第１の実装手法におけるそれと同様に、第１のＴＰＣコマンド及び第２のＴＰＣコマンドは、ＵＥによって、異なるサブフレームにおけるアップリンク信号の送信電力を判定するために使用される。基地局によって構成される第１のＴＰＣインデックスと第２のＴＰＣインデックスとが同じ場合、第１のＴＰＣコマンド及び第２のＴＰＣコマンドは、同じＴＰＣコマンドとして構成され得る。そのような構成の場合、１つのＴＰＣコマンドは、２つのフレキシブルアップリンクサブフレームにおけるアップリンク信号の送信電力を示すために使用され得る。したがって、制御シグナリングオーバーヘッドが低減され得る。
【００７４】
この場合、Ｓ１０１は、具体的には、下記の通りである。
【００７５】
Ｓ１０１ｂ：ＵＥは、サブフレーム番号がｉ−ＫＵＬである固定ダウンリンクサブフレームにおいて、基地局によって送信される第３のＰＤＣＣＨを受信し、第１のＴＰＣインデックスによって示されるロケーションから第１のＴＰＣコマンドを取得し、及び／又は第２のＴＰＣインデックスによって示されるロケーションから第２のＴＰＣコマンドを取得する。
【００７６】
具体的には、フォーマットがＤＣＩ  ｆｏｒｍａｔ  ３／３Ａである第３のＰＤＣＣＨは、複数のＴＰＣコマンドを伝達し得る。ここで、ＴＰＣコマンドのロケーションは、ＴＰＣインデックスによって識別される。したがって、ＴＰＣインデックスを受信した後、ＵＥは、ＴＰＣコマンドを対応するロケーションから取得することができる。
【００７７】
Ｓ１０２：ＵＥは、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームであり、ＫＵＬの値は、ＴＤＤシステムのアップリンク−ダウンリンクサブフレーム構成から独立している。
【００７８】
ＴＤＤシステムのアップリンク−ダウンリンクサブフレーム構成は、物理層シグナリングによって示されるＴＤＤアップリンク−ダウンリンク構成である。ここで、物理層シグナリングは、ＰＤＣＣＨ又はｅｎｈａｎｃｅｄ  ＰＤＣＣＨ（ｅｎｈａｎｃｅｄ  ＰＤＣＣＨ：ｅＰＤＣＣＨ）上で伝達されるシグナリングである。
【００７９】
具体的には、ＵＥは、各ＴＰＣコマンドに従って、各ＴＰＣコマンドに対応するアップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームである。ＫＵＬの値については、下記の３つの取り得る実装手法が、この実施形態において存在する。
【００８０】
第１の取り得る実装手法において、ＫＵＬの値は、フレキシブルアップリンクサブフレームについてのＴＰＣコマンドと、固定アップリンクサブフレームについてのＴＰＣコマンドとが、異なる固定ダウンリンクサブフレームにおいて伝達されることを確保する必要がある。この実装手法は、ＰＵＳＣＨ、ＰＵＣＣＨ、又はＳＲＳであるアップリンク信号に適用可能であり、この実装手法については３つのケースが存在する。
【００８１】
第１：下記の表２に記載されるように、無線フレーム内のサブフレームｉのサブフレーム番号が２又は７である場合、ＫＵＬ＝６である。ｉが３又は８である場合、ＫＵＬ＝８である。ｉが４又は９である場合、ＫＵＬ＝４である。この解決策におけるＫＵＬの値は、ＴＰＣコマンドの送信とアップリンク信号の送信との間の最小時間遅延を確保することができる。これは、アップリンク電力制御の適時性、即ち、ＵＥが最も正確なＴＰＣコマンドを取得し得ることをさらに確保する。
【００８２】
【表２】
2016525293.tif 000017
【００８３】
第２：下記の表３に記載されるように、無線フレーム内のサブフレームｉのサブフレーム番号が２、３、７、又は８である場合、ＫＵＬ＝７である。ｉが４又は９である場合、ＫＵＬ＝８である。１つのＴＰＣコマンドが、２つのフレキシブルアップリンクサブフレームのために使用され得る場合、この解決策におけるＫＵＬの値は、互いに最も近い２つのフレキシブルサブフレームが同じＴＰＣコマンドを使用することを確保することができる。
【００８４】
【表３】
2016525293.tif 000018
【００８５】
第３：下記の表４又は表５に記載されるように、無線フレーム内のサブフレームｉのサブフレーム番号が２又は７である場合、ＫＵＬ＝７である。ｉが３である場合、ＫＵＬ＝７又はＫＵＬ＝１２である。ｉが４である場合、ＫＵＬ＝４又はＫＵＬ＝９である。ｉが８である場合、ＫＵＬ＝１２又はＫＵＬ＝７である。ｉが９である場合、ＫＵＬ＝９又はＫＵＬ＝４である。既存システムと進化型システムとの双方が、４つのアップリンク−ダウンリンクサブフレーム構成０、１、２、及び６のみをサポートする場合、サブフレーム番号が３及び８であるフレキシブルアップリンクサブフレームが被る干渉のタイプは、同様である（即ち、近接セル内のダウンリンク信号からの干渉は、同じである）。この解決策におけるＫＵＬの値は、サブフレーム番号が３及び８であるフレキシブルアップリンクサブフレームが同じＴＰＣコマンドを使用することを確保することができる。
【００８６】
【表４】
2016525293.tif 000019
【００８７】
【表５】
2016525293.tif 000020
【００８８】
第２の取り得る実装手法において、この実装手法は、ＰＵＳＣＨ、ＰＵＣＣＨ、又はＳＲＳであるアップリンク信号に適用可能である。この実装手法において、フレキシブルアップリンクサブフレームについてのＴＰＣコマンドと、固定アップリンクサブフレームについてのＴＰＣコマンドとは、同じサブフレームにおいて発生し得る。ＫＵＬの値は、下記の表６に記載されるような、既存バージョンにおいて定義されるＴＤＤ構成０における値である。
【００８９】
無線フレーム内のサブフレームｉのサブフレーム番号が２又は７である場合、ＫＵＬ＝６である。ｉが３又は８である場合、ＫＵＬ＝７である。ｉが４又は９である場合、ＫＵＬ＝４である。
【００９０】
【表６】
2016525293.tif 000021
【００９１】
或いは、無線フレーム内のサブフレームｉのサブフレーム番号が２又は７である場合、ＫＵＬ＝６又はＫＵＬ＝７である。ｉが３又は８である場合、ＫＵＬ＝７である。ｉが４又は９である場合、ＫＵＬ＝４である。
【００９２】
構成０において、ＴＰＣコマンドは、固定ダウンリンクサブフレームのみにおいて送信され得る。したがって、構成０における時系列関係は、任意のＴＤＤ構成について使用される（ＴＤＤ構成は、物理層チャネル上で伝達される構成情報によって示されるＴＤＤアップリンク−ダウンリンク構成であり得る）。これは、ＴＰＣコマンドが取得されることができないという問題を解決することができる。この解決策において、ＵＥの既存バージョンにおける全てのＴＤＤ構成は、ＴＤＤ構成０として構成される。このように、前方互換性及び後方互換性が、好ましい形で確保され得る。
【００９３】
前述の第１及び第２の取り得る実装手法では、アップリンク信号がＳＲＳである場合において、ＰＵＳＣＨが、サブフレーム番号がｉであるサブフレームにおいて送信されるとき、各ＴＰＣコマンドに従って、サブフレーム番号がｉであるサブフレームにおけるアップリンク信号の送信電力を判定するＳ１０２は、具体的には、
各ＴＰＣコマンドに従って、サブフレーム番号がｉであるサブフレームにおけるＰＵＳＣＨの送信電力を判定するステップ、及びサブフレーム番号がｉであるサブフレームにおけるＰＵＳＣＨの送信電力に従って、サブフレーム番号がｉであるサブフレームにおけるＳＲＳの送信電力を判定するステップ
となる。
【００９４】
サブフレーム番号がｉであるサブフレームにおいてＰＵＳＣＨが送信されない場合、各ＴＰＣコマンドに従って、サブフレーム番号がｉであるサブフレームにおけるアップリンク信号の送信電力を判定するＳ１０２は、具体的には、
各ＴＰＣコマンドに従って、サブフレーム番号がｉであるサブフレームにおけるＳＲＳの送信電力を判定するステップ
となる。
【００９５】
この解決策において、前述の方法は、ＰＵＳＣＨが送信されない場合であっても、ＳＲＳについてのＴＰＣコマンドがなお構成され得ることを達成することができる。
【００９６】
第３の取り得る実装手法において、この実装手法は、アップリンク信号がＰＵＣＣＨのみであるケースに適用可能である。ここで、ＰＵＣＣＨは、固定アップリンクサブフレームのみにおいて送信され、ＫＵＬ＝６又はＫＵＬ＝７である。
【００９７】
Ｓ１０３：ＵＥは、送信電力に従って、サブフレーム番号がｉであるサブフレームにおいてアップリンク信号を送信する。
【００９８】
この実施形態において提供されるワイヤレス通信方法によれば、ＵＥは、サブフレーム番号がｉ−ＫＵＬである固定ダウンリンクサブフレームにおいて、基地局によって送信された少なくとも１つのＴＰＣコマンドを受信する。ここで、ＴＰＣコマンドは、フォーマットがＤＣＩ  ｆｏｒｍａｔ  ３／３ＡであるＰＤＣＣＨ上で伝達される。次に、ＵＥは、各ＴＰＣコマンドに従って、各ＴＰＣコマンドに対応する、サブフレーム番号がｉであるサブフレームにおけるアップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームである。最後に、ＵＥは、各アップリンク信号の送信電力に従って、対応する各アップリンク信号をサブフレーム番号がｉであるサブフレームにおいて送信する。ＵＥは、ＴＰＣコマンドを固定ダウンリンクサブフレームのみにおいて受信し、フレキシブルダウンリンクサブフレームは、ＴＰＣコマンドを伝達しないため、フレキシブルサブフレームがアップリンクサブフレームへ変化した後にＴＰＣコマンドが取得されることができないという問題が、回避される。このように、基地局がアップリンク信号を受信できないという問題は、解決され得る。また、ＴＰＣコマンドを送信することと、アップリンク信号を送信することとの間の時系列関係は、ＵＥが時系列関係に従って異なるアップリンクサブフレームにおいてＴＰＣコマンドを取得することができるように、この実施形態においてさらに定義される。
【００９９】
図２は、本発明に係るワイヤレス通信方法の実施形態２のフローチャートである。この実施形態においては、本方法がＵＥ基地局によって実行される例が、説明のために使用される。図２に示されるように、この実施形態における本方法は、下記を含み得る。
【０１００】
Ｓ２０１：基地局は、サブフレーム番号がｉ−ＫＵＬである固定ダウンリンクサブフレームにおいて、少なくとも１つのＴＰＣコマンドをユーザ機器ＵＥへ送信し、それによって、ＵＥは、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定する。ここで、ＫＵＬの値は、時分割複信ＴＤＤシステムのアップリンク−ダウンリンクサブフレーム構成から独立している。
【０１０１】
ＴＤＤシステムのアップリンク−ダウンリンクサブフレーム構成は、物理層シグナリングによって示されるＴＤＤアップリンク−ダウンリンク構成である。ここで、物理層シグナリングは、ＰＤＣＣＨ又はｅｎｈａｎｃｅｄ  ＰＤＣＣＨ（ｅｎｈａｎｃｅｄ  ＰＤＣＣＨ：ｅＰＤＣＣＨ）上で伝達されるシグナリングである。
【０１０２】
少なくとも１つのＴＰＣコマンドは、フォーマットがＤＣＩ  ｆｏｒｍａｔ  ３／３ＡであるＰＤＣＣＨ上で伝達され、少なくとも１つのＴＰＣコマンドは、サブフレーム番号がｉであるアップリンクサブフレームにおいて送信されるアップリンク信号のＴＰＣコマンドを含む。ここで、異なるＴＰＣコマンドは、異なるアップリンクサブフレームにおいて送信されるアップリンク信号の送信電力を示すために使用される。
【０１０３】
具体的には、基地局は、サブフレーム番号がｉ−ＫＵＬである固定ダウンリンクサブフレームのみにおいてＴＰＣコマンドを送信する。即ち、フレキシブルダウンリンクサブフレームは、ＴＰＣコマンドを伝達しない。したがって、フレキシブルサブフレームがアップリンクサブフレームへ変化した後にＴＰＣコマンドが取得されることができないという問題が、回避される。しかしながら、フレキシブルサブフレームは、アップリンクサブフレームとして構成され得るため、固定ダウンリンクサブフレームの数は、全ての考え得るアップリンクサブフレーム（固定アップリンクサブフレームと、アップリンクサブフレームとして構成され得るフレキシブルサブフレームとを含む）の数よりも少ない。このように、１つの固定ダウンリンクサブフレームが、複数のアップリンクサブフレームについてのＴＰＣコマンドを伝達する必要があり得る。本発明のこの実施形態において提供される時系列関係において、１つの固定ダウンリンクサブフレームは、２つのフレキシブルアップリンクサブフレームについてのＴＰＣコマンドを伝達する必要があり得、又は、１つの固定ダウンリンクサブフレームは、１つのフレキシブルアップリンクサブフレームについてのＴＰＣコマンドと、１つの固定アップリンクサブフレームについてのＴＰＣコマンドとを伝達する必要があり得る。１つの固定ダウンリンクサブフレームが、２つのフレキシブルアップリンクサブフレームについてのＴＰＣコマンドを伝達する必要がある場合、又は１つの固定ダウンリンクサブフレームが、１つのフレキシブルアップリンクサブフレームについてのＴＰＣコマンドと、１つの固定アップリンクサブフレームについてのＴＰＣコマンドと伝達する必要がある場合、本発明のこの実施形態においては２つの取り得る実装手法が存在する。
【０１０４】
取り得る実装手法において、Ｓ２０１の前に、本方法は、下記をさらに含む。
【０１０５】
Ｓ２０３ａ：第１のＴＰＣ−ＲＮＴＩ、第２のＴＰＣ−ＲＮＴＩ、及び第１の標識情報をＵＥへ送信する。ここで、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される。
【０１０６】
第１のＴＰＣコマンド及び第２のＴＰＣコマンドは、ＵＥによって、異なるサブフレームにおけるアップリンク信号の送信電力を判定するために使用される。基地局によって構成される第１のＴＰＣ−ＲＮＴＩと第２のＴＰＣ−ＲＮＴＩとが同じである場合、第１のＴＰＣコマンド及び第２のＴＰＣコマンドは、同じＴＰＣコマンドである。そのような構成の場合、１つのＴＰＣコマンドは、２つのフレキシブルアップリンクサブフレームにおけるアップリンク信号の送信電力を示すために使用され得る。したがって、制御シグナリングオーバーヘッドが低減され得る。
【０１０７】
この場合、Ｓ２０１は、具体的には、下記の通りである。
【０１０８】
Ｓ２０１ａ：基地局は、サブフレーム番号がｉ−ＫＵＬである固定ダウンリンクサブフレームにおいて、第１のＰＤＣＣＨ及び／又は第２のＰＤＣＣＨをＵＥへ送信し、それによって、ＵＥが第１のＰＤＣＣＨ及び／又は第２のＰＤＣＣＨを受信した後、ＵＥは、第１のＰＤＣＣＨから第１のＴＰＣコマンドを取得し、及び／又は第２のＰＤＣＣＨから第２のＴＰＣコマンドを取得する。
【０１０９】
別の取り得る実装手法において、Ｓ２０１の前に、本方法は、下記をさらに含む。
【０１１０】
Ｓ２０３ｂ：基地局は、第１のＴＰＣインデックス、第２のＴＰＣインデックス、及び第２の標識情報をＵＥへ送信する。ここで、第２の標識情報は、第１のＴＰＣインデックスが、フォーマットがＤＣＩ  ｆｏｒｍａｔ  ３／３Ａである第３のＰＤＣＣＨ上で第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上で第２のＴＰＣコマンドのロケーションを示すために使用されることを示すために使用される。
【０１１１】
複数のアップリンクサブフレームについてのＴＰＣコマンドが、同じ固定ダウンリンクサブフレームにおいて発生した後、基地局は、複数のＴＰＣインデックスを構成し得る。複数のＴＰＣインデックスは、複数のアップリンクサブフレームについてのＴＰＣコマンドと１対１の対応関係にある。
【０１１２】
第１の実装手法におけるそれと同様に、第１のＴＰＣコマンド及び第２のＴＰＣコマンドは、ＵＥによって、異なるサブフレームにおけるアップリンク信号の送信電力を判定するために使用される。基地局によって構成される第１のＴＰＣインデックスと第２のＴＰＣインデックスとが同じである場合、第１のＴＰＣコマンド及び第２のＴＰＣコマンドは、同じＴＰＣコマンドである。そのような構成の場合、１つのＴＰＣコマンドは、２つのフレキシブルアップリンクサブフレームにおけるアップリンク信号の送信電力を示すために使用され得る。したがって、制御シグナリングオーバーヘッドが低減され得る。
【０１１３】
この場合、Ｓ２０１は、具体的には、下記の通りである。
【０１１４】
Ｓ２０１ｂ：サブフレーム番号がｉ−ＫＵＬである固定ダウンリンクサブフレームにおいて、第３のＰＤＣＣＨをＵＥへ送信し、それによって、ＵＥが第３のＰＤＣＣＨを受信した後、ＵＥは、第１のＴＰＣインデックスによって示されるロケーションから第１のＴＰＣコマンドを取得し、及び／又は、第２のＴＰＣインデックスによって示されるロケーションから第２のＴＰＣコマンドを取得する。
【０１１５】
サブフレーム番号がｉであるサブフレームは、サブフレーム番号がｉ−ＫＵＬである固定ダウンリンクサブフレームの後に存在する（ＫＵＬ）番目のサブフレームである。ＫＵＬの値は、フレキシブルアップリンクサブフレームについてのＴＰＣコマンドと、固定アップリンクサブフレームについてのＴＰＣコマンドとが、異なる固定ダウンリンクサブフレームにおいて伝達されることを確保する必要がある。ＫＵＬの値については、下記の３つの取り得る実装手法が、この実施形態において存在する。
【０１１６】
第１の取り得る実装手法において、この実装手法は、ＰＵＳＣＨ、ＰＵＣＣＨ、又はＳＲＳであるアップリンク信号に適用可能であり、この実装手法については３つのケースが存在する。
【０１１７】
第１：前述の表２に記載されるように、無線フレーム内のサブフレームｉのサブフレーム番号が２又は７である場合、ＫＵＬ＝６である。ｉが３又は８である場合、ＫＵＬ＝８である。ｉが４又は９である場合、ＫＵＬ＝４である。本解決策におけるＫＵＬの値は、ＴＰＣコマンドの送信とアップリンク信号の送信との間の最小時間遅延を確保することができる。これは、アップリンク電力制御の適時性、即ち、ＵＥが最も正確なＴＰＣコマンドを取得し得ることをさらに確保する。
【０１１８】
第２：前述の表３に記載されるように、無線フレーム内のサブフレームｉのサブフレーム番号が２、３、７又は８である場合、ＫＵＬ＝７であり、ｉが４又は９である場合、ＫＵＬ＝８である。１つのＴＰＣコマンドが、２つのフレキシブルアップリンクサブフレームのために使用され得る場合、本解決策におけるＫＵＬの値は、互いに最も近い２つのフレキシブルサブフレームが同じＴＰＣコマンドを使用することを確保することができる。
【０１１９】
第３：前述の表４又は表５に記載されるように、無線フレーム内のサブフレームｉのサブフレーム番号が２又は７である場合、ＫＵＬ＝７である。ｉが３である場合、ＫＵＬ＝７又はＫＵＬ＝１２である。ｉが４である場合、ＫＵＬ＝４又はＫＵＬ＝９である。ｉが８である場合、ＫＵＬ＝１２又はＫＵＬ＝７である。ｉが９である場合、ＫＵＬ＝９又はＫＵＬ＝４である。既存システムと進化型システムとの双方が、４つのアップリンク−ダウンリンクサブフレーム構成０、１、２、及び６のみをサポートする場合、サブフレーム番号が３及び８であるフレキシブルアップリンクサブフレームが被る干渉のタイプは、同様である（即ち、近接セル内のダウンリンク信号からの干渉は、同じである）。この解決策におけるＫＵＬの値は、サブフレーム番号が３及び８であるフレキシブルアップリンクサブフレームが同じＴＰＣコマンドを使用することを確保することができる。
【０１２０】
第２の取り得る実装手法において、この実装手法は、ＰＵＳＣＨ、ＰＵＣＣＨ、又はＳＲＳであるアップリンク信号に適用可能である。この実装手法において、ＫＵＬの値は、前述の表６に記載されるような、既存バージョンにおいて定義されるＴＤＤ構成０における値である。
【０１２１】
無線フレーム内のサブフレームｉのサブフレーム番号が２又は７である場合、ＫＵＬ＝６である。ｉが３又は８である場合、ＫＵＬ＝７である。ｉが４又は９である場合、ＫＵＬ＝４である。
【０１２２】
或いは、無線フレーム内のサブフレームｉのサブフレーム番号が２又は７である場合、ＫＵＬ＝６又はＫＵＬ＝７である。ｉが３又は８である場合、ＫＵＬ＝７である。ｉが４又は９である場合、ＫＵＬ＝４である。
【０１２３】
構成０において、ＴＰＣコマンドは、固定ダウンリンクサブフレームのみにおいて送信され得る。したがって、構成０における時系列関係は、任意のＴＤＤ構成について使用される（ＴＤＤ構成は、物理層チャネル上で伝達される構成情報によって示されるＴＤＤアップリンク−ダウンリンク構成であり得る）。これは、ＴＰＣコマンドが取得されることができないという問題を解決することができる。この解決策において、ＵＥの既存バージョンにおける全てのＴＤＤ構成は、ＴＤＤ構成０として構成される。このように、前方互換性及び後方互換性が、好ましい形で確保され得る。
【０１２４】
第３の取り得る実装手法において、この実装手法は、アップリンク信号がＰＵＣＣＨのみであるケースに適用可能である。ここで、ＰＵＣＣＨは、固定アップリンクサブフレームのみにおいて送信され、ＫＵＬ＝６又はＫＵＬ＝７である。
【０１２５】
Ｓ２０２：基地局は、サブフレーム番号がｉであるサブフレームにおいて、ＵＥによって送信されたアップリンク信号を受信する。
【０１２６】
この実施形態において提供されるワイヤレス通信方法によれば、基地局は、サブフレーム番号がｉ−ＫＵＬである固定ダウンリンクサブフレームにおいて、少なくとも１つの送信電力制御ＴＰＣコマンドをユーザ機器ＵＥへ送信し、それによって、ＵＥは、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームである。次いで、基地局は、サブフレーム番号がｉであるサブフレームにおいて、ＵＥによって送信されたアップリンク信号を受信する。基地局は、ＴＰＣコマンドを固定ダウンリンクサブフレームのみにおいて送信し、フレキシブルダウンリンクサブフレームは、ＴＰＣコマンドを伝達しないため、フレキシブルサブフレームがアップリンクサブフレームへ変化した後にＴＰＣコマンドが取得されることができないという問題が、回避される。このように、基地局がアップリンク信号を受信できないという問題が、解決され得る。また、ＴＰＣコマンドを送信することと、アップリンク信号を送信することとの間の時系列関係は、ＵＥが時系列関係に従って異なるアップリンクサブフレームにおいてＴＰＣコマンドを取得することができるように、この実施形態においてさらに定義される。
【０１２７】
前述の方法実施形態の技術的解決策は、特定の実施形態を使用することによって、下記において詳細に説明される。
【０１２８】
図３は、本発明に係るワイヤレス通信方法の実施形態３のフローチャートである。図３に示されるように、ＵＥと基地局とが情報を交換する例が、この実施形態において説明のために使用される。この実施形態における方法は、下記を含み得る。
【０１２９】
Ｓ３０１：基地局は、サブフレーム番号がｉ−ＫＵＬである固定ダウンリンクサブフレームにおいて、少なくとも１つのＴＰＣコマンドをユーザ機器ＵＥへ送信する。ここで、ＴＰＣコマンドは、フォーマットがＤＣＩ  ｆｏｒｍａｔ  ３／３ＡであるＰＤＣＣＨ上で伝達される。
【０１３０】
Ｓ３０２：ＵＥは、サブフレーム番号がｉ−ＫＵＬである固定ダウンリンクサブフレームにおいて、基地局によって送信された少なくとも１つのＴＰＣコマンドを受信する。
【０１３１】
Ｓ３０３：ＵＥは、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームである。異なるＴＰＣコマンドは、異なるアップリンクサブフレームにおいて送信されるアップリンク信号の送信電力を示す。ＫＵＬの値は、時分割複信ＴＤＤシステムのアップリンク−ダウンリンクサブフレーム構成から独立している。ＴＤＤシステムのアップリンク−ダウンリンクサブフレーム構成は、物理層シグナリングによって示されるＴＤＤアップリンク−ダウンリンク構成である。ここで、物理層シグナリングは、ＰＤＣＣＨ又はｅｎｈａｎｃｅｄ  ＰＤＣＣＨ（ｅｎｈａｎｃｅｄ  ＰＤＣＣＨ：ｅＰＤＣＣＨ）上で伝達されるシグナリングである。
【０１３２】
Ｓ３０４：ＵＥは、送信電力に従って、サブフレーム番号がｉであるサブフレームにおいてアップリンク信号を送信する。
【０１３３】
Ｓ３０５：基地局は、サブフレーム番号がｉであるサブフレームにおいて、ＵＥによって送信されたアップリンク信号を受信する。
【０１３４】
Ｓ３０１の前に、固定ダウンリンクサブフレームが、２つのフレキシブルアップリンクサブフレームについてのＴＰＣコマンドを伝達する必要がある場合、方法手続きは、下記へ変更される。
【０１３５】
Ｓ３０ａ：基地局は、第１のＴＰＣ−ＲＮＴＩ、第２のＴＰＣ−ＲＮＴＩ、及び第１の標識情報をＵＥへ送信する。ここで、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される。
【０１３６】
Ｓ３０１ａ：基地局は、サブフレーム番号がｉ−ＫＵＬである固定ダウンリンクサブフレームにおいて、第１のＰＤＣＣＨ及び／又は第２のＰＤＣＣＨをＵＥへ送信する。
【０１３７】
Ｓ３０２ａ：ＵＥは、サブフレーム番号がｉ−ＫＵＬである固定ダウンリンクサブフレームにおいて、基地局によって送信された第１のＰＤＣＣＨ及び／又は第２のＰＤＣＣＨを受信し、第１のＰＤＣＣＨから第１のＴＰＣコマンドを取得し、及び／又は第２のＰＤＣＣＨから第２のＴＰＣコマンドを取得する。
【０１３８】
次に、Ｓ３０３、Ｓ３０４、及びＳ３０５が実行される。
【０１３９】
或いは、方法手続きが、下記へ変更される。
【０１４０】
Ｓ３０ｂ：基地局は、第１のＴＰＣインデックス、第２のＴＰＣインデックス、及び第２の標識情報をＵＥへ送信する。ここで、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用される。
【０１４１】
Ｓ３０１ｂ：基地局は、サブフレーム番号がｉ−ＫＵＬである固定ダウンリンクサブフレームにおいて、第３のＰＤＣＣＨをＵＥへ送信する。
【０１４２】
Ｓ３０２ｂ：ＵＥは、サブフレーム番号がｉ−ＫＵＬである固定ダウンリンクサブフレームにおいて、基地局によって送信される第３のＰＤＣＣＨを受信し、第１のＴＰＣインデックスによって示されるロケーションから第１のＴＰＣコマンドを取得し、及び／又は第２のＴＰＣインデックスによって示されるロケーションから第２のＴＰＣコマンドを取得する。
【０１４３】
次に、Ｓ３０３、Ｓ３０４、及びＳ３０５が実行される。
【０１４４】
サブフレーム番号がｉであるサブフレームは、サブフレーム番号がｉ−ＫＵＬである固定ダウンリンクサブフレームの後に存在する（ＫＵＬ）番目のサブフレームである。ＫＵＬの値については、下記の３つの取り得る実装手法が、この実施形態において存在する。
【０１４５】
第１の取り得る実装手法において、ＫＵＬの値は、フレキシブルアップリンクサブフレームについてのＴＰＣコマンドと、固定アップリンクサブフレームについてのＴＰＣコマンドとが、異なる固定ダウンリンクサブフレームにおいて伝達されることを確保する必要がある。この実装手法は、ＰＵＳＣＨ、ＰＵＣＣＨ、又はＳＲＳであるアップリンク信号に適用可能であり、この実装手法については３つのケースが存在する。
【０１４６】
第１：前述の表２に記載されるように、無線フレーム内のサブフレームｉのサブフレーム番号が２又は７である場合、ＫＵＬ＝６である。ｉが３又は８である場合、ＫＵＬ＝８である。ｉが４又は９である場合、ＫＵＬ＝４である。この解決策におけるＫＵＬの値は、ＴＰＣコマンドの送信とアップリンク信号の送信との間の最小時間遅延を確保することができる。これは、アップリンク電力制御の適時性、即ち、ＵＥが最も正確なＴＰＣコマンドを取得し得ることをさらに確保する。
【０１４７】
第２：前述の表３に記載されるように、無線フレーム内のサブフレームｉのサブフレーム番号が２、３、７又は８である場合、ＫＵＬ＝７であり、ｉが４又は９である場合、ＫＵＬ＝８である。１つのＴＰＣコマンドが、２つのフレキシブルアップリンクサブフレームのために使用され得る場合、本解決策におけるＫＵＬの値は、互いに最も近い２つのフレキシブルサブフレームが同じＴＰＣコマンドを使用することを確保することができる。
【０１４８】
第３：前述の表４又は表５に記載されるように、無線フレーム内のサブフレームｉのサブフレーム番号が２又は７である場合、ＫＵＬ＝７である。ｉが３である場合、ＫＵＬ＝７又はＫＵＬ＝１２である。ｉが４である場合、ＫＵＬ＝４又はＫＵＬ＝９である。ｉが８である場合、ＫＵＬ＝１２又はＫＵＬ＝７である。ｉが９である場合、ＫＵＬ＝９又はＫＵＬ＝４である。既存システムと進化型システムとの双方が、４つのアップリンク−ダウンリンクサブフレーム構成０、１、２、及び６のみをサポートする場合、サブフレーム番号が３及び８であるフレキシブルアップリンクサブフレームが被る干渉のタイプは、同様である（即ち、近接セル内のダウンリンク信号からの干渉は、同じである）。この解決策におけるＫＵＬの値は、サブフレーム番号が３及び８であるフレキシブルアップリンクサブフレームが同じＴＰＣコマンドを使用することを確保することができる。
【０１４９】
第２の取り得る実装手法において、この実装手法は、ＰＵＳＣＨ、ＰＵＣＣＨ、又はＳＲＳであるアップリンク信号に適用可能である。この実装手法において、フレキシブルアップリンクサブフレームについてのＴＰＣコマンドと、固定アップリンクサブフレームについてのＴＰＣコマンドとは、同じサブフレームにおいて発生し得る。ＫＵＬの値は、前述の表６に記載されるような、既存バージョンにおいて定義されるＴＤＤ構成０における値である。
【０１５０】
無線フレーム内のサブフレームｉのサブフレーム番号が２又は７である場合、ＫＵＬ＝６である。ｉが３又は８である場合、ＫＵＬ＝７である。ｉが４又は９である場合、ＫＵＬ＝４である。或いは、無線フレーム内のサブフレームｉのサブフレーム番号が２又は７である場合、ＫＵＬ＝６又はＫＵＬ＝７である。ｉが３又は８である場合、ＫＵＬ＝７である。ｉが４又は９である場合、ＫＵＬ＝４である。
【０１５１】
構成０において、ＴＰＣコマンドは、固定ダウンリンクサブフレームのみにおいて送信され得る。したがって、構成０における時系列関係は、任意のＴＤＤ構成について使用される。これは、ＴＰＣコマンドが取得されることができないという問題を解決することができる。この解決策において、ＵＥの既存バージョンにおける全てのＴＤＤ構成は、ＴＤＤ構成０として構成される。このように、前方互換性及び後方互換性が、好ましい形で確保され得る。
【０１５２】
第３の取り得る実装手法において、この実装手法は、アップリンク信号がＰＵＣＣＨのみであるケースに適用可能である。ここで、ＰＵＣＣＨは、固定アップリンクサブフレームのみにおいて送信され、ＫＵＬ＝６又はＫＵＬ＝７である。
【０１５３】
図４は、本発明に係るユーザ機器の実施形態１の概略構造図である。図４に示されるように、この実施形態における装置は、受信モジュール１１と、処理モジュール１２と、送信モジュール１３とを含み得る。受信モジュール１１は、サブフレーム番号がｉ−ＫＵＬである固定ダウンリンクサブフレームにおいて、基地局によって送信された少なくとも１つのＴＰＣコマンドを受信するように構成される。ここで、少なくとも１つのＴＰＣコマンドは、フォーマットがＤＣＩ  ｆｏｒｍａｔ  ３／３Ａである物理ダウンリンク制御チャネルＰＤＣＣＨ上で伝達され、少なくとも１つのＴＰＣコマンドは、サブフレーム番号がｉであるアップリンクサブフレームにおいて送信されるアップリンク信号のＴＰＣコマンドを含む。ここで、異なるＴＰＣコマンドは、異なるアップリンクサブフレームにおいて送信されるアップリンク信号の送信電力を示すために使用される。処理モジュール１２は、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するように構成される。ここで、サブフレーム番号がｉであるアップリンクサブフレームは、サブフレーム番号がｉ−ＫＵＬである固定ダウンリンクサブフレームの後に存在する（ＫＵＬ）番目のサブフレームであり、ＫＵＬの値は、ＴＤＤシステムのアップリンク−ダウンリンクサブフレーム構成から独立している。即ち、サブフレーム番号がｉ−ＫＵＬである固定ダウンリンクサブフレームは、サブフレーム番号がｉであるアップリンクサブフレームに先立って発生し、２つのサブフレームは、ＫＵＬ−１個のサブフレームによって分離される。ＴＤＤシステムのアップリンク−ダウンリンクサブフレーム構成は、物理層シグナリングによって示されるＴＤＤアップリンク−ダウンリンク構成である。ここで、物理層シグナリングは、ＰＤＣＣＨ又はｅｎｈａｎｃｅｄ  ＰＤＣＣＨ（ｅｎｈａｎｃｅｄ  ＰＤＣＣＨ：ｅＰＤＣＣＨ）上で伝達されるシグナリングである。送信モジュール１３は、送信電力に従って、サブフレーム番号がｉであるサブフレームにおいてアップリンク信号を送信するように構成される。
【０１５４】
さらに、受信モジュール１１は、
基地局によって送信される少なくとも１つの送信電力制御ＴＰＣコマンドが、サブフレーム番号がｉ−ＫＵＬである固定ダウンリンクサブフレームにおいて受信される前に、基地局によって送信される第１のＴＰＣ−ＲＮＴＩ、第２のＴＰＣ−ＲＮＴＩ、及び第１の標識情報を受信するようにさらに構成される。ここで、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される。また、受信モジュール１１は、
サブフレーム番号がｉ−ＫＵＬである固定ダウンリンクサブフレームにおいて、基地局によって送信される第１のＰＤＣＣＨ及び／若しくは第２のＰＤＣＣＨを受信し、第１のＰＤＣＣＨから第１のＴＰＣコマンドを取得し、並びに／又は第２のＰＤＣＣＨから第２のＴＰＣコマンドを取得するように構成される。
【０１５５】
さらに、随意的に、受信モジュール１１は、
基地局によって送信される少なくとも１つの送信電力制御ＴＰＣコマンドが、サブフレーム番号がｉ−ＫＵＬである固定ダウンリンクサブフレームにおいて受信される前に、基地局によって送信される第１のＴＰＣインデックス、第２のＴＰＣインデックス、及び第２の標識情報を受信するようにさらに構成される。ここで、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用される。また、受信モジュール１１は、
サブフレーム番号がｉ−ＫＵＬである固定ダウンリンクサブフレームにおいて、基地局によって送信される第３のＰＤＣＣＨを受信し、第１のＴＰＣインデックスによって示されるロケーションから第１のＴＰＣコマンドを取得し、及び／又は第２のＴＰＣインデックスによって示されるロケーションから第２のＴＰＣコマンドを取得するように構成される。
【０１５６】
前述の実施形態において、アップリンク信号が、ＰＵＳＣＨ、ＰＵＣＣＨ、又はＳＲＳである場合、ＫＵＬの値は、下記のケースを含む。
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４である。
【０１５７】
前述の実施形態において、アップリンク信号が、ＰＵＳＣＨ、ＰＵＣＣＨ、又はＳＲＳである場合、ＫＵＬの値は、下記のケースを含む。
ｉが２又は７である場合、ＫＵＬ＝６であり、ｉが３又は８である場合、ＫＵＬ＝７であり、ｉが４又は９である場合、ＫＵＬ＝４である。或いは、無線フレーム内のサブフレームｉのサブフレーム番号が２又は７である場合、ＫＵＬ＝６又はＫＵＬ＝７であり、ｉが３又は８である場合、ＫＵＬ＝７であり、ｉが４又は９である場合、ＫＵＬ＝４である。
【０１５８】
さらに、アップリンク信号がＳＲＳである場合において、ＰＵＳＣＨが、サブフレーム番号がｉであるサブフレームにおいて送信されるとき、処理モジュール１２は、
各ＴＰＣコマンドに従って、サブフレーム番号がｉであるサブフレームにおけるＰＵＳＣＨの送信電力を判定し、
サブフレーム番号がｉであるサブフレームにおけるＰＵＳＣＨの送信電力に従って、サブフレーム番号がｉであるサブフレームにおけるＳＲＳの送信電力を判定するように構成される。又は、
ＰＵＳＣＨが、サブフレーム番号がｉであるサブフレームにおいて送信されない場合、処理モジュールは、
各ＴＰＣコマンドに従って、サブフレーム番号がｉであるサブフレームにおけるＳＲＳの送信電力を判定するように構成される。
【０１５９】
前述の実施形態において、随意的に、アップリンク信号がＰＵＣＣＨである場合、ＰＵＣＣＨは、固定アップリンクサブフレームのみにおいて送信され、ＫＵＬの値は、
ＫＵＬ＝６又はＫＵＬ＝７を含む。
【０１６０】
この実施形態における装置は、図１に示される方法実施形態における技術的解決策を実装するように構成され得る。装置実施形態の実装原理は、方法実施形態の実装原理と同様であり、詳細は、本明細書において繰り返し説明されない。
【０１６１】
この実施形態において提供されるユーザ機器によれば、受信モジュールは、サブフレーム番号がｉ−ＫＵＬである固定ダウンリンクサブフレームにおいて、基地局によって送信される少なくとも１つのＴＰＣコマンドを受信する。ここで、ＴＰＣコマンドは、フォーマットがＤＣＩ  ｆｏｒｍａｔ  ３／３ＡであるＰＤＣＣＨ上で伝達される。次に、処理モジュールは、各ＴＰＣコマンドに従って、各ＴＰＣコマンドに対応する、サブフレーム番号がｉであるサブフレームにおける、アップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームである。最後に、送信モジュールは、各アップリンク信号の送信電力に従って、サブフレーム番号がｉであるサブフレームにおいて、対応する各アップリンク信号を送信する。ＵＥは、固定ダウンリンクサブフレームのみにおいてＴＰＣコマンドを受信し、フレキシブルダウンリンクサブフレームは、ＴＰＣコマンドを伝達しないため、フレキシブルサブフレームがアップリンクサブフレームへ変化した後にＴＰＣコマンドが取得されることができないという問題が、回避される。このように、基地局がアップリンク信号を受信できないという問題は、解決され得る。また、ＴＰＣコマンドを送信することと、アップリンク信号を送信することとの間の時系列関係は、ＵＥが時系列関係に従って異なるアップリンクサブフレームにおいてＴＰＣコマンドを取得することができるように、この実施形態においてさらに定義される。
【０１６２】
図５は、本発明に係る基地局の実施形態１の概略構造図である。図５に示されるように、この実施形態における装置は、送信モジュール２１と、受信モジュール２２とを含む。送信モジュール２１は、サブフレーム番号がｉ−ＫＵＬである固定ダウンリンクサブフレームにおいて、少なくとも１つのＴＰＣコマンドをユーザ機器ＵＥへ送るように構成され、それによって、ＵＥは、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定する。ここで、ＫＵＬの値は、ＴＤＤシステムのアップリンク−ダウンリンクサブフレーム構成から独立している。ＴＤＤシステムのアップリンク−ダウンリンクサブフレーム構成は、物理層シグナリングによって示されるＴＤＤアップリンク−ダウンリンク構成である。ここで、物理層シグナリングは、ＰＤＣＣＨ又はｅｎｈａｎｃｅｄ  ＰＤＣＣＨ（ｅｎｈａｎｃｅｄ  ＰＤＣＣＨ：ｅＰＤＣＣＨ）上で伝達されるシグナリングである。
【０１６３】
少なくとも１つのＴＰＣコマンドは、フォーマットがＤＣＩ  ｆｏｒｍａｔ  ３／３Ａである物理ダウンリンク制御チャネルＰＤＣＣＨ上で伝達され、少なくとも１つのＴＰＣコマンドは、サブフレーム番号がｉであるアップリンクサブフレームにおいて送信されるアップリンク信号のＴＰＣコマンドを含む。ここで、異なるＴＰＣコマンドは、異なるアップリンクサブフレームにおいて送信されるアップリンク信号の送信電力を示すために使用される。
【０１６４】
受信モジュール２２は、サブフレーム番号がｉであるサブフレームにおいて、ＵＥによって送信されるアップリンク信号を受信するように構成される。
【０１６５】
さらに、送信モジュール２１は、
少なくとも１つの送信電力制御ＴＰＣコマンドが、サブフレーム番号がｉ−ＫＵＬである固定ダウンリンクサブフレームにおいてユーザ機器ＵＥへ送信される前に、第１のＴＰＣ−ＲＮＴＩ、第２のＴＰＣ−ＲＮＴＩ、及び第１の標識情報をＵＥへ送るようにさらに構成される。ここで、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される。また、送信モジュール２１は、
サブフレーム番号がｉ−ＫＵＬである固定ダウンリンクサブフレームにおいて、第１のＰＤＣＣＨ及び／又は第２のＰＤＣＣＨをＵＥへ送信するように構成され、それによって、ＵＥが第１のＰＤＣＣＨ及び／又は第２のＰＤＣＣＨを受信した後、ＵＥは、第１のＰＤＣＣＨから第１のＴＰＣコマンドを取得し、及び／又は第２のＰＤＣＣＨから第２のＴＰＣコマンドを取得する。
【０１６６】
さらに、随意的に、送信モジュール２１は、
少なくとも１つの送信電力制御ＴＰＣコマンドが、サブフレーム番号がｉ−ＫＵＬである固定ダウンリンクサブフレームにおいてユーザ機器ＵＥへ送信される前に、第１のＴＰＣインデックス、第２のＴＰＣインデックス、及び第２の標識情報をＵＥへ送るようにさらに構成される。ここで、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用される。また、送信モジュール２１は、
サブフレーム番号がｉ−ＫＵＬである固定ダウンリンクサブフレームにおいて、第３のＰＤＣＣＨをＵＥへ送信するように構成され、それによって、ＵＥが第３のＰＤＣＣＨを受信した後、ＵＥは、第１のＴＰＣインデックスによって示されるロケーションから第１のＴＰＣコマンドを取得し、及び／又は、第２のＴＰＣインデックスによって示されるロケーションから第２のＴＰＣコマンドを取得する。
【０１６７】
前述の実施形態において、アップリンク信号が、ＰＵＳＣＨ、ＰＵＣＣＨ、又はＳＲＳである場合、ＫＵＬの値は、下記のケースを含む。
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４である。
【０１６８】
前述の実施形態において、アップリンク信号が、ＰＵＳＣＨ、ＰＵＣＣＨ、又はＳＲＳである場合、ＫＵＬの値は、下記のケースを含む。
ｉが２又は７である場合、ＫＵＬ＝６であり、ｉが３又は８である場合、ＫＵＬ＝７であり、ｉが４又は９である場合、ＫＵＬ＝４である。或いは、無線フレーム内のサブフレームｉのサブフレーム番号が２又は７である場合、ＫＵＬ＝６又はＫＵＬ＝７であり、ｉが３又は８である場合、ＫＵＬ＝７であり、ｉが４又は９である場合、ＫＵＬ＝４である。
【０１６９】
前述の実施形態において、アップリンク信号がＰＵＣＣＨである場合、
ＰＵＣＣＨは、固定アップリンクサブフレームのみにおいて送信され、ＫＵＬの値は、下記を含む。
ＫＵＬ＝６又はＫＵＬ＝７である。
【０１７０】
この実施形態における装置は、図２に示される方法実施形態における技術的解決策を実装するように構成され得る。装置実施形態の実装原理及び技術的効果は、方法実施形態の実装原理及び技術的効果と同様であり、詳細は、本明細書において繰り返し説明されない。
【０１７１】
この実施形態において提供される基地局によれば、送信モジュールは、サブフレーム番号がｉ−ＫＵＬである固定ダウンリンクサブフレームにおいて、少なくとも１つの送信電力制御ＴＰＣコマンドをユーザ機器ＵＥへ送信し、それによって、ＵＥは、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームである。次いで、受信モジュールは、サブフレーム番号がｉであるサブフレームにおいて、ＵＥによって送信されたアップリンク信号を受信する。基地局は、ＴＰＣコマンドを固定ダウンリンクサブフレームのみにおいて送信し、フレキシブルダウンリンクサブフレームは、ＴＰＣコマンドを伝達しないため、フレキシブルサブフレームがアップリンクサブフレームへ変化した後にＴＰＣコマンドが取得されることができないという問題が、回避される。このように、基地局がアップリンク信号を受信できないという問題が、解決され得る。また、ＴＰＣコマンドを送信することと、アップリンク信号を送信することとの間の時系列関係は、ＵＥが時系列関係に従って異なるアップリンクサブフレームにおいてＴＰＣコマンドを取得することができるように、この実施形態においてさらに定義される。
【０１７２】
本発明の実施形態において提供される通信システムは、図４に示されるユーザ機器と、図５に示される基地局とを含む。
【０１７３】
図６は、本発明に係るユーザ機器の実施形態２の概略構造図である。図６に示されるように、この実施形態における装置は、受信器３１と、プロセッサ３２と、送信器３３とを含み得る。受信器３１は、サブフレーム番号がｉ−ＫＵＬである固定ダウンリンクサブフレームにおいて、基地局によって送信される少なくとも１つのＴＰＣコマンドを受信するように構成される。ここで、少なくとも１つのＴＰＣコマンドは、フォーマットがＤＣＩ  ｆｏｒｍａｔ  ３／３Ａである物理ダウンリンク制御チャネルＰＤＣＣＨ上で伝達され、少なくとも１つのＴＰＣコマンドは、サブフレーム番号がｉであるアップリンクサブフレームにおいて送信されるアップリンク信号のＴＰＣコマンドを含む。ここで、異なるＴＰＣコマンドは、異なるアップリンクサブフレームにおいて送信されるアップリンク信号の送信電力を示すために使用される。プロセッサ３２は、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定するように構成される。ここで、サブフレーム番号がｉであるアップリンクサブフレームは、サブフレーム番号がｉ−ＫＵＬである固定ダウンリンクサブフレームの後に存在する（ＫＵＬ）番目のサブフレームであり、ＫＵＬの値は、ＴＤＤシステムのアップリンク−ダウンリンクサブフレーム構成から独立している。ＴＤＤシステムのアップリンク−ダウンリンクサブフレーム構成は、物理層シグナリングによって示されるＴＤＤアップリンク−ダウンリンク構成である。ここで、物理層シグナリングは、ＰＤＣＣＨ又はｅｎｈａｎｃｅｄ  ＰＤＣＣＨ（ｅｎｈａｎｃｅｄ  ＰＤＣＣＨ：ｅＰＤＣＣＨ）上で伝達されるシグナリングである。送信器３３は、送信電力に従って、サブフレーム番号がｉであるサブフレームにおいてアップリンク信号を送信するように構成される。
【０１７４】
さらに、受信器３１は、
基地局によって送信される少なくとも１つの送信電力制御ＴＰＣコマンドが、サブフレーム番号がｉ−ＫＵＬである固定ダウンリンクサブフレームにおいて受信される前に、基地局によって送信される第１のＴＰＣ−ＲＮＴＩ、第２のＴＰＣ−ＲＮＴＩ、及び第１の標識情報を受信するようにさらに構成される。ここで、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される。また、受信器３１は、
サブフレーム番号がｉ−ＫＵＬである固定ダウンリンクサブフレームにおいて、基地局によって送信される第１のＰＤＣＣＨ及び／若しくは第２のＰＤＣＣＨを受信し、第１のＰＤＣＣＨから第１のＴＰＣコマンドを取得し、並びに／又は第２のＰＤＣＣＨから第２のＴＰＣコマンドを取得するように構成される。
【０１７５】
さらに、随意的に、受信器３１は、
基地局によって送信される少なくとも１つの送信電力制御ＴＰＣコマンドが、サブフレーム番号がｉ−ＫＵＬである固定ダウンリンクサブフレームにおいて受信される前に、第１のＴＰＣインデックス、第２のＴＰＣインデックス、及び第２の標識情報を受信するようにさらに構成される。ここで、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用される。また、受信器３１は、
サブフレーム番号がｉ−ＫＵＬである固定ダウンリンクサブフレームにおいて、基地局によって送信される第３のＰＤＣＣＨを受信し、第１のＴＰＣインデックスによって示されるロケーションから第１のＴＰＣコマンドを取得し、及び／又は第２のＴＰＣインデックスによって示されるロケーションから第２のＴＰＣコマンドを取得するように構成される。
【０１７６】
前述の実施形態において、アップリンク信号が、ＰＵＳＣＨ、ＰＵＣＣＨ、又はＳＲＳである場合、ＫＵＬの値は、下記のケースを含む。
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４である。
【０１７７】
前述の実施形態において、アップリンク信号が、ＰＵＳＣＨ、ＰＵＣＣＨ、又はＳＲＳである場合、ＫＵＬの値は、下記のケースを含む。
ｉが２又は７である場合、ＫＵＬ＝６であり、ｉが３又は８である場合、ＫＵＬ＝７であり、ｉが４又は９である場合、ＫＵＬ＝４である。或いは、無線フレーム内のサブフレームｉのサブフレーム番号が２又は７である場合、ＫＵＬ＝６又はＫＵＬ＝７であり、ｉが３又は８である場合、ＫＵＬ＝７であり、ｉが４又は９である場合、ＫＵＬ＝４である。
【０１７８】
さらに、アップリンク信号がＳＲＳである場合において、ＰＵＳＣＨが、サブフレーム番号がｉであるサブフレームにおいて送信されるとき、プロセッサ３２は、
各ＴＰＣコマンドに従って、サブフレーム番号がｉであるサブフレームにおけるＰＵＳＣＨの送信電力を判定し、
サブフレーム番号がｉであるサブフレームにおけるＰＵＳＣＨの送信電力に従って、サブフレーム番号がｉであるサブフレームにおけるＳＲＳの送信電力を判定するように構成される。又は、
ＰＵＳＣＨが、サブフレーム番号がｉであるサブフレームにおいて送信されない場合、プロセッサ３２は、
各ＴＰＣコマンドに従って、サブフレーム番号がｉであるサブフレームにおけるＳＲＳの送信電力を判定するように構成される。
【０１７９】
前述の実施形態において、随意的に、アップリンク信号がＰＵＣＣＨである場合、ＰＵＣＣＨは、固定アップリンクサブフレームのみにおいて送信され、ＫＵＬの値は、
ＫＵＬ＝６又はＫＵＬ＝７を含む。
【０１８０】
この実施形態における装置は、図１に示される方法実施形態の技術的解決策を実装するように構成され得る。装置実施形態の実装原理は、方法実施形態の実装原理と同様であり、詳細は、本明細書において繰り返し説明されない。
【０１８１】
この実施形態において提供されるユーザ機器によれば、受信器は、サブフレーム番号がｉ−ＫＵＬである固定ダウンリンクサブフレームにおいて、基地局によって送信される少なくとも１つのＴＰＣコマンドを受信する。ここで、ＴＰＣコマンドは、フォーマットがＤＣＩ  ｆｏｒｍａｔ  ３／３ＡであるＰＤＣＣＨ上で伝達される。次に、プロセッサは、各ＴＰＣコマンドに従って、各ＴＰＣコマンドに対応する、サブフレーム番号がｉであるサブフレームにおけるアップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームである。最後に、送信器は、各アップリンク信号の送信電力に従って、対応する各アップリンク信号をサブフレーム番号がｉであるサブフレームにおいて送信する。ＵＥは、ＴＰＣコマンドを固定ダウンリンクサブフレームのみにおいて受信し、フレキシブルダウンリンクサブフレームは、ＴＰＣコマンドを伝達しないため、フレキシブルサブフレームがアップリンクサブフレームへ変化した後にＴＰＣコマンドが取得されることができないという問題が、回避される。このように、基地局がアップリンク信号を受信できないという問題は、解決され得る。また、ＴＰＣコマンドを送信することと、アップリンク信号を送信することとの間の時系列関係は、ＵＥが時系列関係に従って異なるアップリンクサブフレームにおいてＴＰＣコマンドを取得することができるように、この実施形態においてさらに定義される。
【０１８２】
図７は、本発明に係る基地局の実施形態２の概略構造図である。図７に示されるように、この実施形態における装置は、送信器４１と、受信器４２とを含む。送信器４１は、サブフレーム番号がｉ−ＫＵＬである固定ダウンリンクサブフレームにおいて、少なくとも１つのＴＰＣコマンドをユーザ機器ＵＥへ送るように構成され、それによって、ＵＥは、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定する。ここで、ＫＵＬの値は、ＴＤＤシステムのアップリンク−ダウンリンクサブフレーム構成から独立している。ＴＤＤシステムのアップリンク−ダウンリンクサブフレーム構成は、物理層シグナリングによって示されるＴＤＤアップリンク−ダウンリンク構成である。ここで、物理層シグナリングは、ＰＤＣＣＨ又はｅｎｈａｎｃｅｄ  ＰＤＣＣＨ（ｅｎｈａｎｃｅｄ  ＰＤＣＣＨ：ｅＰＤＣＣＨ）上で伝達されるシグナリングである。
【０１８３】
少なくとも１つのＴＰＣコマンドは、フォーマットがＤＣＩ  ｆｏｒｍａｔ  ３／３Ａである物理ダウンリンク制御チャネルＰＤＣＣＨ上で伝達され、少なくとも１つのＴＰＣコマンドは、サブフレーム番号がｉであるアップリンクサブフレームにおいて送信されるアップリンク信号のＴＰＣコマンドを含む。ここで、異なるＴＰＣコマンドは、異なるアップリンクサブフレームにおいて送信されるアップリンク信号の送信電力を示すために使用される。
【０１８４】
受信器４２は、サブフレーム番号がｉであるサブフレームにおいて、ＵＥによって送信されるアップリンク信号を受信するように構成される。
【０１８５】
さらに、送信器４１は、
少なくとも１つの送信電力制御ＴＰＣコマンドが、サブフレーム番号がｉ−ＫＵＬである固定ダウンリンクサブフレームにおいてユーザ機器ＵＥへ送信される前に、第１のＴＰＣ−ＲＮＴＩ、第２のＴＰＣ−ＲＮＴＩ、及び第１の標識情報をＵＥへ送るようにさらに構成される。ここで、第１の標識情報は、第１のＴＰＣ−ＲＮＴＩによってスクランブルされ、フォーマットがＤＣＩ  ｆｏｒｍａｔ  ３／３Ａである第１のＰＤＣＣＨが、第１のＴＰＣコマンドを伝達するために使用されること、及び、第２のＴＰＣ−ＲＮＴＩによってスクランブルされ、フォーマットがＤＣＩ  ｆｏｒｍａｔ  ３／３Ａである第２のＰＤＣＣＨが、第２のＴＰＣコマンドを伝達するために使用されることを示すために使用される。また、送信器４１は、
サブフレーム番号がｉ−ＫＵＬである固定ダウンリンクサブフレームにおいて、第１のＰＤＣＣＨ及び／又は第２のＰＤＣＣＨをＵＥへ送信するように構成され、それによって、ＵＥが第１のＰＤＣＣＨ及び／又は第２のＰＤＣＣＨを受信した後、ＵＥは、第１のＰＤＣＣＨから第１のＴＰＣコマンドを取得し、及び／又は第２のＰＤＣＣＨから第２のＴＰＣコマンドを取得する。
【０１８６】
さらに、随意的に、送信器４１は、
少なくとも１つの送信電力制御ＴＰＣコマンドが、サブフレーム番号がｉ−ＫＵＬである固定ダウンリンクサブフレームにおいてユーザ機器ＵＥへ送信される前に、第１のＴＰＣインデックス、第２のＴＰＣインデックス、及び第２の標識情報をＵＥへ送るようにさらに構成される。ここで、第２の標識情報は、第１のＴＰＣインデックスが、フォーマットがＤＣＩ  ｆｏｒｍａｔ  ３／３Ａである第３のＰＤＣＣＨ上の第１のＴＰＣコマンドのロケーションを示すために使用されること、及び、第２のＴＰＣインデックスが、フォーマットがＤＣＩ  ｆｏｒｍａｔ  ３／３Ａである第３のＰＤＣＣＨ上の第２のＴＰＣコマンドのロケーションを示すために使用されることを示すために使用される。また、送信器４１は、
サブフレーム番号がｉ−ＫＵＬである固定ダウンリンクサブフレームにおいて、第３のＰＤＣＣＨをＵＥへ送信するように構成され、それによって、ＵＥが第３のＰＤＣＣＨを受信した後、ＵＥは、第１のＴＰＣインデックスによって示されるロケーションから第１のＴＰＣコマンドを取得し、及び／又は、第２のＴＰＣインデックスによって示されるロケーションから第２のＴＰＣコマンドを取得する。
【０１８７】
前述の実施形態において、アップリンク信号が、ＰＵＳＣＨ、ＰＵＣＣＨ、又はＳＲＳである場合、ＫＵＬの値は、下記のケースを含む。
ｉが２若しくは７である場合、ＫＵＬ＝６であり、ｉが３若しくは８である場合、ＫＵＬ＝８であり、ｉが４若しくは９である場合、ＫＵＬ＝４である、又は、
ｉが２、３、７若しくは８である場合、ＫＵＬ＝７であり、ｉが４若しくは９である場合、ＫＵＬ＝８である、又は、
ｉが２若しくは７である場合、ＫＵＬ＝７であり、
ｉが３である場合、ＫＵＬ＝７若しくはＫＵＬ＝１２であり、
ｉが４である場合、ＫＵＬ＝４若しくはＫＵＬ＝９であり、
ｉが８である場合、ＫＵＬ＝１２若しくはＫＵＬ＝７であり、
ｉが９である場合、ＫＵＬ＝９若しくはＫＵＬ＝４である。
【０１８８】
前述の実施形態において、アップリンク信号が、ＰＵＳＣＨ、ＰＵＣＣＨ、又はＳＲＳである場合、ＫＵＬの値は、下記のケースを含む。
ｉが２又は７である場合、ＫＵＬ＝６であり、ｉが３又は８である場合、ＫＵＬ＝７であり、ｉが４又は９である場合、ＫＵＬ＝４である。或いは、無線フレーム内のサブフレームｉのサブフレーム番号が２又は７である場合、ＫＵＬ＝６又はＫＵＬ＝７であり、ｉが３又は８である場合、ＫＵＬ＝７であり、ｉが４又は９である場合、ＫＵＬ＝４である。
【０１８９】
前述の実施形態において、アップリンク信号がＰＵＣＣＨである場合、
ＰＵＣＣＨは、固定アップリンクサブフレームのみにおいて送信され、ＫＵＬの値は、下記を含む。
ＫＵＬ＝６又はＫＵＬ＝７である。
【０１９０】
この実施形態における装置は、図２に示される方法実施形態における技術的解決策を実装するように構成され得る。装置実施形態の実装原理及び技術的効果は、方法実施形態の実装原理及び技術的効果と同様であり、詳細は、本明細書において繰り返し説明されない。
【０１９１】
この実施形態において提供される基地局によれば、送信器は、サブフレーム番号がｉ−ＫＵＬである固定ダウンリンクサブフレームにおいて、少なくとも１つの送信電力制御ＴＰＣコマンドをユーザ機器ＵＥへ送信し、それによって、ＵＥは、サブフレーム番号がｉであるアップリンクサブフレームにおいて送信されるアップリンク信号のＴＰＣコマンドに従って、サブフレーム番号がｉであるアップリンクサブフレームにおいて送信されるアップリンク信号の送信電力を判定する。ここで、サブフレーム番号がｉであるサブフレームは、サブフレーム番号がｉ−ＫＵＬである固定ダウンリンクサブフレームの後に存在する（ＫＵＬ）番目のサブフレームである。次いで、受信器は、サブフレーム番号がｉであるサブフレームにおいて、ＵＥによって送信されたアップリンク信号を受信する。基地局は、ＴＰＣコマンドを固定ダウンリンクサブフレームのみにおいて送信し、フレキシブルダウンリンクサブフレームは、ＴＰＣコマンドを伝達しないため、フレキシブルサブフレームがアップリンクサブフレームへ変化した後にＴＰＣコマンドが取得されることができないという問題が、回避される。このように、基地局がアップリンク信号を受信できないという問題が、解決され得る。また、ＴＰＣコマンドを送信することと、アップリンク信号を送信することとの間の時系列関係は、ＵＥが時系列関係に従って異なるアップリンクサブフレームにおいてＴＰＣコマンドを取得することができるように、この実施形態においてさらに定義される。
【０１９２】
本発明の実施形態において提供される通信システムは、図６に示されるユーザ機器と、図７に示される基地局とを含む。
【０１９３】
本発明において提供される幾つかの実施形態では、開示された装置及び方法が他の手法において実装されてもよいことが理解されるべきである。例えば、説明された装置実施形態は、例に過ぎない。例えば、ユニット分割は、論理的な機能分割に過ぎず、実際の実装においては他の分割であってもよい。例えば、複数のユニット又は複数のコンポーネントは、組み合わせられても、若しくは別のシステムへ統合されてもよく、又は、幾つかの特徴は、無視されても、若しくは実行されなくてもよい。また、表示若しくは議論された相互結合又は直接結合又は通信接続は、幾つかのインターフェースを通じて実装され得る。装置間又はユニット間の間接結合又は通信接続は、電気的形式、機械的形式、又は他の形式において実装され得る。
【０１９４】
別個の部分として説明されたユニットは、物理的に別個であっても、又は物理的に別個でなくてもよく、ユニットとして表示された部分は、物理的ユニットであっても、又は物理的ユニットでなくてもよく、１つの場所に位置しても、又は複数のネットワークユニット上に分散されてもよい。ユニットの一部又は全部は、実施形態の解決策の目的を達成するために、実際の必要性に従って選択され得る。
【０１９５】
また、本発明の実施形態における機能ユニットは、１つの処理ユニットに統合されてもよく、又はユニットの各々が、物理的に単独で存在してもよく、又は２つ以上のユニットが、１つのユニットに統合される。統合されたユニットは、ハードウェアの形式で実装されてもよく、又はソフトウェア機能ユニットに加えてハードウェアの形式で実装されてもよい。
【０１９６】
前述の統合されたユニットが、ソフトウェア機能ユニットの形式で実装される場合、当該統合されたユニットは、コンピュータ読取可能な記憶媒体に記憶され得る。ソフトウェア機能ユニットは、記憶媒体に記憶され、（パーソナルコンピュータ、サーバ、又はネットワークデバイスであり得る）コンピュータデバイス又はプロセッサに、本発明の実施形態において説明された方法のステップのうちの一部を実行するように命令するための幾つかの命令を含む。前述の記憶媒体は、ＵＳＢフラッシュドライブ、リムーバブルハードディスク、読み出し専用メモリ（Ｒｅａｄ−Ｏｎｌｙ  Ｍｅｍｏｒｙ：ＲＯＭ）、ランダムアクセスメモリ（Ｒａｎｄｏｍ  Ａｃｃｅｓｓ  Ｍｅｍｏｒｙ：ＲＡＭ）、磁気ディスク、又は光ディスクなどの、プログラムコードを記憶することができる任意の媒体を含む。
【０１９７】
便宜及び簡単な説明のために、前述の機能もモジュールの分割は例示のための例として見なされることが、当業者によって明確に理解され得る。実際の適用例において、前述の機能は、異なる機能モジュールに割り当てられ、要件に従って実装され得る。即ち、装置の内部構造は、上述された機能の全部又は一部を実装するために、異なる機能モジュールに分割される。前述の装置の詳細な作業工程については、前述の方法実施形態における対応する工程への参照がなされ得、詳細は、本明細書において繰り返し説明されない。
【０１９８】
最後に、留意すべきことは、前述の実施形態が本発明の技術的解決策を説明するために意図されたものに過ぎず、本発明を限定するために意図されたものではないことである。本発明は、前述の実施形態を参照しつつ、詳細に説明されているが、当業者であれば、本発明の実施形態の技術的解決策の範囲から逸脱することなく、前述の実施形態において説明された技術的解決策に対して変更を為し得ること、又は前述の実施形態の一部若しくは全部の技術的解決策に対して均等な置換を為し得ることを理解するはずである。
【手続補正２】
【補正対象書類名】特許請求の範囲
【補正対象項目名】全文
【補正方法】変更
【補正の内容】
【特許請求の範囲】
【請求項１】
ワイヤレス通信方法であって、
サブフレーム番号がｉ−ＫＵＬである固定ダウンリンクサブフレームにおいて、基地局によって送信される少なくとも１つの送信電力制御（ＴＰＣ）コマンドを受信するステップであって、前記少なくとも１つのＴＰＣコマンドが、フォーマットがダウンリンク制御情報フォーマット（ＤＣＩ  ｆｏｒｍａｔ）３／３Ａである物理ダウンリンク制御チャネル（ＰＤＣＣＨ）上で伝達され、前記少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用され、前記アップリンク信号が、物理アップリンク共有チャネル（ＰＵＳＣＨ）又はサウンディングリファレンス信号（ＳＲＳ）である、受信するステップと、
サブフレーム番号がｉである前記アップリンクサブフレームにおいて送信される前記アップリンク信号の前記ＴＰＣコマンドに従って、サブフレーム番号がｉである前記アップリンクサブフレームにおいて送信される前記アップリンク信号の送信電力を判定するステップであって、サブフレーム番号がｉである前記アップリンクサブフレームが、サブフレーム番号がｉ−ＫＵＬである前記固定ダウンリンクサブフレームの後に存在する（ＫＵＬ）番目のサブフレームであり、ＫＵＬの値が、時分割複信（ＴＤＤ）構成０において定義される値である、判定するステップと、
前記送信電力に従って、サブフレーム番号がｉである前記サブフレームにおいて前記アップリンク信号を送信するステップと、
を含む、ワイヤレス通信方法。
【請求項２】
ＫＵＬの値が、時分割複信ＴＤＤ構成０において定義される値であることが、
ｉが２又は７である場合、ＫＵＬ＝６であり、ｉが３又は８である場合、ＫＵＬ＝８であり、ｉが４又は９である場合、ＫＵＬ＝４であること
を含む、請求項１に記載の方法。
【請求項３】
サブフレーム番号がｉ−ＫＵＬである固定ダウンリンクサブフレームにおいて、基地局によって送信される少なくとも１つの送信電力制御ＴＰＣコマンドを受信する前記ステップの前に、前記方法が、
前記基地局によって送信される第１のＴＰＣ無線ネットワーク一時識別子（ＴＰＣ−ＲＮＴＩ）、第２のＴＰＣ−ＲＮＴＩ、及び第１の標識情報を受信するステップであって、前記第１の標識情報は、前記第１のＴＰＣ−ＲＮＴＩによってスクランブルされ、フォーマットが前記ＤＣＩ  ｆｏｒｍａｔ  ３／３Ａである第１のＰＤＣＣＨが、第１のＴＰＣコマンドを伝達するために使用されること、及び、前記第２のＴＰＣ−ＲＮＴＩによってスクランブルされ、フォーマットが前記ＤＣＩ  ｆｏｒｍａｔ  ３／３Ａである第２のＰＤＣＣＨが、第２のＴＰＣコマンドを伝達するために使用されることを示すために使用される、受信するステップ
をさらに含み、
サブフレーム番号がｉ−ＫＵＬである固定ダウンリンクサブフレームにおいて、基地局によって送信される少なくとも１つの送信電力制御ＴＰＣコマンドを受信する前記ステップが、
サブフレーム番号がｉ−ＫＵＬである前記固定ダウンリンクサブフレームにおいて、前記基地局によって送信される前記第１のＰＤＣＣＨ及び／又は前記第２のＰＤＣＣＨを受信し、前記第１のＰＤＣＣＨから前記第１のＴＰＣコマンドを取得し、及び／又は前記第２のＰＤＣＣＨから前記第２のＴＰＣコマンドを取得するステップ
を含む、請求項１又は２に記載の方法。
【請求項４】
サブフレーム番号がｉ−ＫＵＬである固定ダウンリンクサブフレームにおいて、基地局によって送信される少なくとも１つの送信電力制御ＴＰＣコマンドを受信する前記ステップの前に、前記方法が、
前記基地局によって送信される第１のＴＰＣインデックス、第２のＴＰＣインデックス、及び第２の標識情報を受信するステップであって、前記第２の標識情報は、前記第１のＴＰＣインデックスが、フォーマットが前記ＤＣＩ  ｆｏｒｍａｔ  ３／３Ａである第３のＰＤＣＣＨ上の第１のＴＰＣコマンドのロケーションを示すために使用されること、及び、前記第２のＴＰＣインデックスが、フォーマットが前記ＤＣＩ  ｆｏｒｍａｔ  ３／３Ａである前記第３のＰＤＣＣＨ上の第２のＴＰＣコマンドのロケーションを示すために使用されることを示すために使用される、受信するステップ
をさらに含み、
サブフレーム番号がｉ−ＫＵＬである固定ダウンリンクサブフレームにおいて、基地局によって送信される少なくとも１つの送信電力制御ＴＰＣコマンドを受信する前記ステップが、
サブフレーム番号がｉ−ＫＵＬである前記固定ダウンリンクサブフレームにおいて、前記基地局によって送信される前記第３のＰＤＣＣＨを受信し、前記第１のＴＰＣインデックスによって示される前記ロケーションから前記第１のＴＰＣコマンドを取得し、及び／又は前記第２のＴＰＣインデックスによって示される前記ロケーションから前記第２のＴＰＣコマンドを取得するステップ
を含む、請求項１又は２に記載の方法。
【請求項５】
前記アップリンク信号が前記ＳＲＳである場合において、前記ＰＵＳＣＨが、サブフレーム番号がｉである前記サブフレームにおいて送信されるとき、サブフレーム番号がｉである前記アップリンクサブフレームにおいて送信される前記アップリンク信号の前記ＴＰＣコマンドに従って、サブフレーム番号がｉである前記アップリンクサブフレームにおいて送信される前記アップリンク信号の送信電力を判定する前記ステップが、
各ＴＰＣコマンドに従って、サブフレーム番号がｉである前記サブフレームにおける前記ＰＵＳＣＨの送信電力を判定するステップと、
サブフレーム番号がｉである前記サブフレームにおける前記ＰＵＳＣＨの前記送信電力に従って、サブフレーム番号がｉである前記サブフレームにおける前記ＳＲＳの送信電力を判定するステップと、
を含み、又は、
ＰＵＳＣＨが、サブフレーム番号がｉである前記サブフレームにおいて送信されない場合、サブフレーム番号がｉである前記アップリンクサブフレームにおいて送信される前記アップリンク信号の前記ＴＰＣコマンドに従って、サブフレーム番号がｉである前記アップリンクサブフレームにおいて送信される前記アップリンク信号の送信電力を判定する前記ステップが、
各ＴＰＣコマンドに従って、サブフレーム番号がｉである前記サブフレームにおける前記ＳＲＳの送信電力を判定するステップ
を含む、請求項１から４のいずれか一項に記載の方法。
【請求項６】
ワイヤレス通信方法であって、
サブフレーム番号がｉ−ＫＵＬである固定ダウンリンクサブフレームにおいて、少なくとも１つの送信電力制御（ＴＰＣ）コマンドをユーザ機器（ＵＥ）へ送信するステップであって、それによって、前記ＵＥが、サブフレーム番号がｉであるアップリンクサブフレームにおいて送信されるアップリンク信号のＴＰＣコマンドに従って、サブフレーム番号がｉである前記アップリンクサブフレームにおいて送信される前記アップリンク信号の送信電力を判定し、ＫＵＬの値が、時分割複信（ＴＤＤ）構成０において定義される値であり、前記アップリンク信号が、物理アップリンク共有チャネル（ＰＵＳＣＨ）又はサウンディングリファレンス信号（ＳＲＳ）であり、
前記少なくとも１つのＴＰＣコマンドが、フォーマットがダウンリンク制御情報フォーマット（ＤＣＩ  ｆｏｒｍａｔ）３／３Ａである物理ダウンリンク制御チャネルＰＤＣＣＨ上で伝達され、前記少なくとも１つのＴＰＣコマンドが、サブフレーム番号がｉである前記アップリンクサブフレームにおいて送信される前記アップリンク信号の前記ＴＰＣコマンドを含み、異なるＴＰＣコマンドが、異なるアップリンクサブフレームにおいて送信されるアップリンク信号の送信電力を示すために使用される、送信するステップと、
サブフレーム番号がｉである前記サブフレームにおいて、前記ＵＥによって送信される前記アップリンク信号を受信するステップと、
を含む、ワイヤレス通信方法。
【請求項７】
ＫＵＬの値が、時分割複信（ＴＤＤ）構成０において定義される値であることが、
ｉが２又は７である場合、ＫＵＬ＝６であり、ｉが３又は８である場合、ＫＵＬ＝８であり、ｉが４又は９である場合、ＫＵＬ＝４であること
を含む、請求項６に記載の方法。
【請求項８】
サブフレーム番号がｉ−ＫＵＬである固定ダウンリンクサブフレームにおいて、少なくとも１つの送信電力制御ＴＰＣコマンドをユーザ機器（ＵＥ）へ送信する前記ステップの前に、前記方法が、
第１のＴＰＣ無線ネットワーク一時識別子（ＴＰＣ−ＲＮＴＩ）、第２のＴＰＣ−ＲＮＴＩ、及び第１の標識情報を前記ＵＥへ送信するステップであって、前記第１の標識情報は、前記第１のＴＰＣ−ＲＮＴＩによってスクランブルされ、フォーマットが前記ＤＣＩ  ｆｏｒｍａｔ  ３／３Ａである第１のＰＤＣＣＨが、第１のＴＰＣコマンドを伝達するために使用されること、及び、前記第２のＴＰＣ−ＲＮＴＩによってスクランブルされ、フォーマットが前記ＤＣＩ  ｆｏｒｍａｔ  ３／３Ａである第２のＰＤＣＣＨが、第２のＴＰＣコマンドを伝達するために使用されることを示すために使用される、送信するステップ
をさらに含み、
サブフレーム番号がｉ−ＫＵＬである固定ダウンリンクサブフレームにおいて、少なくとも１つの送信電力制御（ＴＰＣ）コマンドをユーザ機器（ＵＥ）へ送信する前記ステップが、
サブフレーム番号がｉ−ＫＵＬである前記固定ダウンリンクサブフレームにおいて、前記第１のＰＤＣＣＨ及び／又は前記第２のＰＤＣＣＨを前記ＵＥへ送信するステップであって、それによって、前記ＵＥが第１のＰＤＣＣＨ及び／又は前記第２のＰＤＣＣＨを受信した後、前記ＵＥが、前記第１のＰＤＣＣＨから前記第１のＴＰＣコマンドを取得し、及び／又は前記第２のＰＤＣＣＨから前記第２のＴＰＣコマンドを取得する、送信するステップ
を含む、請求項６又は７に記載の方法。
【請求項９】
サブフレーム番号がｉ−ＫＵＬである固定ダウンリンクサブフレームにおいて、少なくとも１つの送信電力制御（ＴＰＣ）コマンドをユーザ機器（ＵＥ）へ送信する前記ステップの前に、前記方法が、
第１のＴＰＣインデックス、第２のＴＰＣインデックス、及び第２の標識情報を前記ＵＥへ送信するステップであって、前記第２の標識情報は、前記第１のＴＰＣインデックスが、フォーマットが前記ＤＣＩ  ｆｏｒｍａｔ  ３／３Ａである第３のＰＤＣＣＨ上で第１のＴＰＣコマンドのロケーションを示すために使用されること、及び、前記第２のＴＰＣインデックスが、フォーマットが前記ＤＣＩ  ｆｏｒｍａｔ  ３／３Ａである前記第３のＰＤＣＣＨ上で第２のＴＰＣコマンドのロケーションを示すために使用されることを示すために使用される、送信するステップ
をさらに含み、
サブフレーム番号がｉ−ＫＵＬである固定ダウンリンクサブフレームにおいて、少なくとも１つの送信電力制御（ＴＰＣ）コマンドをユーザ機器（ＵＥ）へ送信する前記ステップが、
サブフレーム番号がｉ−ＫＵＬである前記固定ダウンリンクサブフレームにおいて、前記第３のＰＤＣＣＨを前記ＵＥへ送信するステップであって、それによって、前記ＵＥが前記第３のＰＤＣＣＨを受信した後、前記ＵＥが、前記第１のＴＰＣインデックスによって示される前記ロケーションから前記第１のＴＰＣコマンドを取得し、及び／又は、前記第２のＴＰＣインデックスによって示される前記ロケーションから前記第２のＴＰＣコマンドを取得する、送信するステップ
を含む、請求項６又は７に記載の方法。
【請求項１０】
ユーザ機器であって、
サブフレーム番号がｉ−ＫＵＬである固定ダウンリンクサブフレームにおいて、基地局によって送信される少なくとも１つの送信電力制御（ＴＰＣ）コマンドを受信するように構成された受信モジュールであって、前記少なくとも１つのＴＰＣコマンドが、フォーマットがダウンリンク制御情報フォーマット（ＤＣＩ  ｆｏｒｍａｔ）  ３／３Ａである物理ダウンリンク制御チャネル（ＰＤＣＣＨ）上で伝達され、前記少なくとも１つのＴＰＣコマンドが、サブフレーム番号がｉであるアップリンクサブフレームにおいて送信されるアップリンク信号のＴＰＣコマンドを含み、異なるＴＰＣコマンドが、異なるアップリンクサブフレームにおいて送信されるアップリンク信号の送信電力を示すために使用され、前記アップリンク信号が、物理アップリンク共有チャネル（ＰＵＳＣＨ）又はサウンディングリファレンス信号（ＳＲＳ）である、受信モジュールと、
サブフレーム番号がｉである前記アップリンクサブフレームにおいて送信される前記アップリンク信号の前記ＴＰＣコマンドに従って、サブフレーム番号がｉである前記アップリンクサブフレームにおいて送信される前記アップリンク信号の送信電力を判定するように構成された処理モジュールであって、サブフレーム番号がｉである前記アップリンクサブフレームが、サブフレーム番号がｉ−ＫＵＬである前記固定ダウンリンクサブフレームの後に存在する（ＫＵＬ）番目のサブフレームであり、ＫＵＬの値が、時分割複信（ＴＤＤ）構成０において定義される値である、処理モジュールと、
前記送信電力に従って、サブフレーム番号がｉである前記サブフレームにおいて前記アップリンク信号を送信するように構成された送信モジュールと、
を備える、ユーザ機器。
【請求項１１】
ＫＵＬの値が、時分割複信（ＴＤＤ）構成０において定義される値であることが、
ｉが２又は７である場合、ＫＵＬ＝６であり、ｉが３又は８である場合、ＫＵＬ＝８であり、ｉが４又は９である場合、ＫＵＬ＝４であること
を含む、請求項１０に記載のユーザ機器。
【請求項１２】
前記受信モジュールが、前記基地局によって送信される前記少なくとも１つの送信電力制御ＴＰＣコマンドが、サブフレーム番号がｉ−ＫＵＬである前記固定ダウンリンクサブフレームにおいて受信される前に、前記基地局によって送信される第１のＴＰＣ無線ネットワーク一時識別子ＴＰＣ−ＲＮＴＩ、第２のＴＰＣ−ＲＮＴＩ、及び第１の標識情報を受信するようにさらに構成され、前記第１の標識情報は、前記第１のＴＰＣ−ＲＮＴＩによってスクランブルされ、フォーマットが前記ＤＣＩ  ｆｏｒｍａｔ  ３／３Ａである第１のＰＤＣＣＨが、第１のＴＰＣコマンドを伝達するために使用されること、及び、前記第２のＴＰＣ−ＲＮＴＩによってスクランブルされ、フォーマットが前記ＤＣＩ  ｆｏｒｍａｔ  ３／３Ａである第２のＰＤＣＣＨが、第２のＴＰＣコマンドを伝達するために使用されることを示すために使用され、
前記受信モジュールが、
サブフレーム番号がｉ−ＫＵＬである前記固定ダウンリンクサブフレームにおいて、前記基地局によって送信される前記第１のＰＤＣＣＨ及び／又は前記第２のＰＤＣＣＨを受信し、前記第１のＰＤＣＣＨから前記第１のＴＰＣコマンドを取得し、及び／又は前記第２のＰＤＣＣＨから前記第２のＴＰＣコマンドを取得する
ように構成される、請求項１０又は１１に記載のユーザ機器。
【請求項１３】
前記受信モジュールが、前記基地局によって送信される前記少なくとも１つの送信電力制御（ＴＰＣ）コマンドが、サブフレーム番号がｉ−ＫＵＬである前記固定ダウンリンクサブフレームにおいて受信される前に、前記基地局によって送信される第１のＴＰＣインデックス、第２のＴＰＣインデックス、及び第２の標識情報を受信するようにさらに構成され、前記第２の標識情報は、前記第１のＴＰＣインデックスが、フォーマットが前記ＤＣＩ  ｆｏｒｍａｔ  ３／３Ａである第３のＰＤＣＣＨ上の第１のＴＰＣコマンドのロケーションを示すために使用されること、及び、前記第２のＴＰＣインデックスが、フォーマットが前記ＤＣＩ  ｆｏｒｍａｔ  ３／３Ａである前記第３のＰＤＣＣＨ上の第２のＴＰＣコマンドのロケーションを示すために使用されることを示すために使用され、
前記受信モジュールが、
サブフレーム番号がｉ−ＫＵＬである前記固定ダウンリンクサブフレームにおいて、前記基地局によって送信される前記第３のＰＤＣＣＨを受信し、前記第１のＴＰＣインデックスによって示される前記ロケーションから前記第１のＴＰＣコマンドを取得し、及び／又は前記第２のＴＰＣインデックスによって示される前記ロケーションから前記第２のＴＰＣコマンドを取得する
ように構成される、請求項１０又は１１に記載のユーザ機器。
【請求項１４】
前記アップリンク信号が前記ＳＲＳである場合において、前記ＰＵＳＣＨが、サブフレーム番号がｉである前記サブフレームにおいて送信されるとき、前記処理モジュールが、
各ＴＰＣコマンドに従って、サブフレーム番号がｉである前記サブフレームにおける前記ＰＵＳＣＨの送信電力を判定し、
サブフレーム番号がｉである前記サブフレームにおける前記ＰＵＳＣＨの前記送信電力に従って、サブフレーム番号がｉである前記サブフレームにおける前記ＳＲＳの送信電力を判定する
ように構成され、又は、
ＰＵＳＣＨが、サブフレーム番号がｉである前記サブフレームにおいて送信されない場合、前記処理モジュールが、
各ＴＰＣコマンドに従って、サブフレーム番号がｉである前記サブフレームにおける前記ＳＲＳの送信電力を判定する
ように構成される、請求項１０から１３のいずれか一項に記載のユーザ機器。
【請求項１５】
基地局であって、
サブフレーム番号がｉ−ＫＵＬである固定ダウンリンクサブフレームにおいて、少なくとも１つの送信電力制御（ＴＰＣ）コマンドをユーザ機器（ＵＥ）へ送信するように構成された送信モジュールであって、それによって、前記ＵＥが、サブフレーム番号がｉであるアップリンクサブフレームにおいて送信されるアップリンク信号のＴＰＣコマンドに従って、サブフレーム番号がｉである前記アップリンクサブフレームにおいて送信される前記アップリンク信号の送信電力を判定し、ＫＵＬの値が、時分割複信ＴＤＤ構成０において定義される値であり、前記アップリンク信号が、物理アップリンク共有チャネル（ＰＵＳＣＨ）又はサウンディングリファレンス信号（ＳＲＳ）であり、
前記少なくとも１つのＴＰＣコマンドが、フォーマットがダウンリンク制御情報フォーマット（ＤＣＩ  ｆｏｒｍａｔ）３／３Ａである物理ダウンリンク制御チャネル（ＰＤＣＣＨ）上で伝達され、前記少なくとも１つのＴＰＣコマンドが、サブフレーム番号がｉである前記アップリンクサブフレームにおいて送信される前記アップリンク信号の前記ＴＰＣコマンドを含み、異なるＴＰＣコマンドが、異なるアップリンクサブフレームにおいて送信されるアップリンク信号の送信電力を示すために使用される、送信モジュールと、
サブフレーム番号がｉである前記サブフレームにおいて、前記ＵＥによって送信される前記アップリンク信号を受信するように構成された受信モジュールと、
を備える、基地局。
【請求項１６】
ＫＵＬの値が、時分割複信（ＴＤＤ）構成０において定義される値であることが、
ｉが２又は７である場合、ＫＵＬ＝６であり、ｉが３又は８である場合、ＫＵＬ＝８であり、ｉが４又は９である場合、ＫＵＬ＝４であること
を含む、請求項１５に記載の基地局。
【請求項１７】
前記送信モジュールが、
前記少なくとも１つの送信電力制御（ＴＰＣ）コマンドが、前記ユーザ機器（ＵＥ）へ、サブフレーム番号がｉ−ＫＵＬである前記固定ダウンリンクサブフレームにおいて送信される前に、第１のＴＰＣ無線ネットワーク一時識別子（ＴＰＣ−ＲＮＴＩ）、第２のＴＰＣ−ＲＮＴＩ、及び第１の標識情報を前記ＵＥへ送信するようにさらに構成され、前記第１の標識情報は、前記第１のＴＰＣ−ＲＮＴＩによってスクランブルされ、フォーマットが前記ＤＣＩ  ｆｏｒｍａｔ  ３／３Ａである第１のＰＤＣＣＨが、第１のＴＰＣコマンドを伝達するために使用されること、及び、前記第２のＴＰＣ−ＲＮＴＩによってスクランブルされ、フォーマットが前記ＤＣＩ  ｆｏｒｍａｔ  ３／３Ａである第２のＰＤＣＣＨが、第２のＴＰＣコマンドを伝達するために使用されることを示すために使用され、
前記送信モジュールが、
サブフレーム番号がｉ−ＫＵＬである前記固定ダウンリンクサブフレームにおいて、前記第１のＰＤＣＣＨ及び／又は前記第２のＰＤＣＣＨを前記ＵＥへ送信するように構成され、それによって、前記ＵＥが第１のＰＤＣＣＨ及び／又は前記第２のＰＤＣＣＨを受信した後、前記ＵＥが、前記第１のＰＤＣＣＨから前記第１のＴＰＣコマンドを取得し、及び／又は前記第２のＰＤＣＣＨから前記第２のＴＰＣコマンドを取得する、
請求項１５又は１６に記載の基地局。
【請求項１８】
前記送信モジュールが、
前記少なくとも１つの送信電力制御（ＴＰＣ）コマンドが、前記ユーザ機器（ＵＥ）へ、サブフレーム番号がｉ−ＫＵＬである前記固定ダウンリンクサブフレームにおいて送信される前に、第１のＴＰＣインデックス、第２のＴＰＣインデックス、及び第２の標識情報を前記ＵＥへ送信するようにさらに構成され、前記第２の標識情報は、前記第１のＴＰＣインデックスが、フォーマットが前記ＤＣＩ  ｆｏｒｍａｔ  ３／３Ａである第３のＰＤＣＣＨ上で第１のＴＰＣコマンドのロケーションを示すために使用されること、及び、前記第２のＴＰＣインデックスが、フォーマットが前記ＤＣＩ  ｆｏｒｍａｔ  ３／３Ａである前記第３のＰＤＣＣＨ上で第２のＴＰＣコマンドのロケーションを示すために使用されることを示すために使用され、
前記送信モジュールが、
サブフレーム番号がｉ−ＫＵＬである前記固定ダウンリンクサブフレームにおいて、前記第３のＰＤＣＣＨを前記ＵＥへ送信するように構成され、それによって、前記ＵＥが前記第３のＰＤＣＣＨを受信した後、前記ＵＥが、前記第１のＴＰＣインデックスによって示される前記ロケーションから前記第１のＴＰＣコマンドを取得し、及び／又は、前記第２のＴＰＣインデックスによって示される前記ロケーションから前記第２のＴＰＣコマンドを取得する、
請求項１５又は１６に記載の基地局。
【国際調査報告】
2016525293.tif 000022
2016525293.tif 000023
2016525293.tif 000024
2016525293.tif 000025